(57)【要約】      （修正有）【課題】マルチキャストサービス読み取り及び送信方法並びに関係するデバイスを提供する。【解決手段】ユーザ装置ＵＥにより、マルチキャスト制御チャネル識別子ＭＣＣＨ−ＲＮＴＩ及びＭＣＣＨ送信周期情報を含むマルチキャスト制御チャネルＭＣＣＨ設定情報を決定するステップと、ＵＥにより、ＭＣＣＨ送信周期情報に従ってＭＣＣＨ送信時間情報を決定するステップと、ＵＥにより、ＭＣＣＨ−ＲＮＴＩを使用することによりＭＣＣＨ送信時間情報に従ってマルチキャストサービスの設定情報を含むＭＣＣＨメッセージを読み取るステップと、ＵＥにより、マルチキャストサービスの設定情報に従ってマルチキャストサービスを読み取るステップと、を含む。【選択図】図１
2020113994.tif 000002
【特許請求の範囲】
【請求項１】
ユーザ装置側デバイスにおけるマルチキャストサービス読み取り方法であって、
第１の情報を決定するステップであり、前記第１の情報は、マルチキャスト制御チャネル（MCCH）繰り返し周期及びMCCHを送信するためのオフセットパラメータを含むステップと、
前記MCCH繰り返し周期及び前記オフセットパラメータに従って、前記MCCHを送信するためのフレームに対応するシステムフレーム番号を決定するステップと、
第２の情報及び前記システムフレーム番号に対応する前記フレームに従って、少なくとも１つのサブフレーム位置を決定するステップであり、前記第２の情報は、MCCHサブフレーム開始位置を含むか、或いは前記第２の情報は、前記MCCHサブフレーム開始位置及び送信持続時間情報を含むステップと、
前記少なくとも１つのサブフレーム位置に従ってMCCHメッセージを読み取るステップであり、前記MCCHメッセージは、マルチキャストサービスの設定情報を含むステップと、
前記マルチキャストサービスの前記設定情報に従って前記マルチキャストサービスを読み取るステップと
を含む方法。
【請求項２】
前記第２の情報は、基地局側デバイスからシステムブロードキャストメッセージ又は前記ユーザ装置側デバイスの専用シグナリング内で搬送される、請求項１に記載の方法。
【請求項３】
前記第２の情報が前記MCCHサブフレーム開始位置を含む場合、前記少なくとも１つのサブフレーム位置は、前記MCCHサブフレーム開始位置に対応する１つのサブフレーム位置である、請求項１又は２に記載の方法。
【請求項４】
前記第２の情報が前記MCCHサブフレーム開始位置及び前記送信持続時間情報を含む場合、前記第２の情報及び前記システムフレーム番号に対応する前記フレームに従って、前記少なくとも１つのサブフレーム位置を決定するステップは、
前記送信持続時間情報に従って、前記MCCHを送信するためのサブフレームの総数量を決定するステップと、
前記MCCHを送信するための前記サブフレームの前記総数量、前記MCCHを送信するための開始サブフレーム、前記システムフレーム番号に対応する前記フレーム及びMBSFNサブフレーム設定に従って、前記MCCHを送信するための全てのサブフレームを決定するステップと
を含む、請求項１乃至３のうちいずれか１項に記載の方法。
【請求項５】
前記第２の情報に従って開始サブフレームを決定し、前記開始サブフレームをMCCH変更通知のサブフレームとして使用するステップを更に含む、請求項１乃至４のうちいずれか１項に記載の方法。
【請求項６】
前記MCCHが変化したか否かを決定するステップと、
前記MCCHが変化した場合、前記MCCHが変化した現在のMCCH変更周期において、前記第１の情報に従って新たなMCCHメッセージを読み取るステップと
を更に含む、請求項１乃至５のうちいずれか１項に記載の方法。
【請求項７】
基地局側デバイスにおけるマルチキャストサービス送信方法であって、
第１の情報を決定するステップであり、前記第１の情報は、マルチキャスト制御チャネル（MCCH）繰り返し周期及びMCCHを送信するためのオフセットパラメータを含むステップと、
前記MCCH繰り返し周期及び前記オフセットパラメータに従って、前記MCCHを送信するためのフレームに対応するシステムフレーム番号を決定するステップと、
第２の情報及び前記システムフレーム番号に対応する前記フレームに従って、少なくとも１つのサブフレーム位置を決定するステップであり、前記第２の情報は、MCCHサブフレーム開始位置を含むか、或いは前記第２の情報は、前記MCCHサブフレーム開始位置及び送信持続時間情報を含むステップと、
前記少なくとも１つのサブフレーム位置に従ってMCCHメッセージを送信するステップであり、前記MCCHメッセージは、マルチキャストサービスの設定情報を含むステップと、
前記マルチキャストサービスの前記設定情報に従って前記マルチキャストサービスを送信するステップと
を含む方法。
【請求項８】
前記第２の情報は、前記基地局側デバイスにより前記MCCHのサブフレームの数量に従って決定され、
前記MCCHの１つのサブフレームが存在する場合、前記第２の情報は、MCCHサブフレーム開始位置を含むか、或いは
前記MCCHの複数のサブフレームが存在する場合、前記第２の情報は、MCCHサブフレーム開始位置及び送信持続時間情報を含む、請求項７に記載の方法。
【請求項９】
前記第２の情報が前記MCCHサブフレーム開始位置を含む場合、前記少なくとも１つのサブフレーム位置は、前記MCCHサブフレーム開始位置に対応する１つのサブフレーム位置を含む、請求項７又は８に記載の方法。
【請求項１０】
前記第２の情報が前記MCCHサブフレーム開始位置及び前記送信持続時間情報を含む場合、前記第２の情報及び前記フレームに従って、少なくとも１つのサブフレーム位置を決定するステップは、
前記送信持続時間情報に従って、前記MCCHを送信するためのサブフレームの総数量を決定するステップと、
前記MCCHを送信するための前記サブフレームの総数量、前記フレーム及び前記MCCHを送信するための開始サブフレームに従って、前記MCCHを送信するための全てのサブフレームを決定するステップと
を含む、請求項７乃至９のうちいずれか１項に記載の方法。
【請求項１１】
前記第２の情報に従って開始サブフレームを決定し、前記開始サブフレームをMCCH変更通知のサブフレームとして使用するステップを更に含む、請求項７乃至１０のうちいずれか１項に記載の方法。
【請求項１２】
前記MCCHが変化した場合、前記MCCHが変化した現在のMCCH変更周期において、前記第１の情報に従って新たなMCCHメッセージを送信するステップを更に含む、請求項７乃至１１のうちいずれか１項に記載の方法。
【請求項１３】
プロセッサと、前記プロセッサと結合されたメモリとを含むユーザ装置側デバイスであって、前記プロセッサは、
第１の情報を決定し、前記第１の情報は、マルチキャスト制御チャネル（MCCH）繰り返し周期及びMCCHを送信するためのオフセットパラメータを含み、
前記MCCH繰り返し周期及び前記オフセットパラメータに従って、前記MCCHを送信するためのフレームに対応するシステムフレーム番号を決定し、
第２の情報及び前記システムフレーム番号に対応する前記フレームに従って、少なくとも１つのサブフレーム位置を決定し、前記第２の情報は、MCCHサブフレーム開始位置を含むか、或いは前記第２の情報は、前記MCCHサブフレーム開始位置及び送信持続時間情報を含み、
前記少なくとも１つのサブフレーム位置に従ってMCCHメッセージを読み取り、前記MCCHメッセージは、マルチキャストサービスの設定情報を含み、
前記マルチキャストサービスの前記設定情報に従って前記マルチキャストサービスを読み取るように構成されるユーザ装置側デバイス。
【請求項１４】
前記第２の情報が前記MCCHサブフレーム開始位置を含む場合、前記少なくとも１つのサブフレーム位置は、前記MCCHサブフレーム開始位置に対応する１つのサブフレーム位置である、請求項１３に記載のデバイス。
【請求項１５】
前記第２の情報が前記MCCHサブフレーム開始位置及び前記送信持続時間情報を含む場合、
前記プロセッサが、前記第２の情報及び前記システムフレーム番号に対応する前記フレームに従って、前記少なくとも１つのサブフレーム位置を決定するように構成されることは、
前記プロセッサが、前記送信持続時間情報に従って、前記MCCHを送信するためのサブフレームの総数量を決定し、
前記MCCHを送信するための前記サブフレームの前記総数量、前記MCCHを送信するための開始サブフレームに従って、前記MCCHを送信するための全てのサブフレームを決定するように構成されることを含む、請求項１３又は１４に記載のデバイス。
【請求項１６】
前記プロセッサは、
前記第２の情報に従って開始サブフレームを決定し、前記開始サブフレームをMCCH変更通知のサブフレームとして使用するように更に構成される、請求項１３乃至１５のうちいずれか１項に記載のデバイス。
【請求項１７】
前記プロセッサは、
前記MCCHが変化したか否かを決定し、
前記MCCHが変化した場合、前記MCCHが変化した現在のMCCH変更周期において、前記第１の情報に従って新たなMCCHメッセージを読み取るように更に構成される、請求項１３乃至１６のうちいずれか１項に記載のデバイス。
【請求項１８】
プロセッサと、前記プロセッサと結合されたメモリとを含む基地局側デバイスであって、前記プロセッサは、
第１の情報を決定し、前記第１の情報は、マルチキャスト制御チャネル（MCCH）繰り返し周期及びMCCHを送信するためのオフセットパラメータを含み、
前記MCCH繰り返し周期及び前記オフセットパラメータに従って、前記MCCHを送信するためのフレームに対応するシステムフレーム番号を決定し、
第２の情報及び前記システムフレーム番号に対応する前記フレームに従って、少なくとも１つのサブフレーム位置を決定し、前記第２の情報は、MCCHサブフレーム開始位置を含むか、或いは前記第２の情報は、前記MCCHサブフレーム開始位置及び送信持続時間情報を含み、
前記少なくとも１つのサブフレーム位置に従ってMCCHメッセージを送信し、前記MCCHメッセージは、マルチキャストサービスの設定情報を含み、
前記マルチキャストサービスの前記設定情報に従って前記マルチキャストサービスを送信するように構成される基地局側デバイス。
【請求項１９】
前記第２の情報は、前記基地局側デバイスにより前記MCCHのサブフレームの数量に従って決定され、
前記MCCHの１つのサブフレームが存在する場合、前記第２の情報は、MCCHサブフレーム開始位置を含むか、或いは
前記MCCHの複数のサブフレームが存在する場合、前記第２の情報は、MCCHサブフレーム開始位置及び送信持続時間情報を含む、請求項１８に記載のデバイス。
【請求項２０】
前記第２の情報が前記MCCHサブフレーム開始位置を含む場合、前記少なくとも１つのサブフレーム位置は、前記MCCHサブフレーム開始位置に対応する１つのサブフレーム位置である、請求項１８又は１９に記載のデバイス。
【請求項２１】
前記第２の情報が前記MCCHサブフレーム開始位置及び前記送信持続時間情報を含む場合、
前記プロセッサが、前記第２の情報及び前記フレームに従って、少なくとも１つのサブフレーム位置を決定するように構成されることは、
前記プロセッサが、前記送信持続時間情報に従って、前記MCCHを送信するためのサブフレームの総数量を決定し、
前記MCCHを送信するための前記サブフレームの総数量及び前記MCCHを送信するための開始サブフレームに従って、前記MCCHを送信するための全てのサブフレームを決定するように構成されることを含む、請求項１８乃至２０のうちいずれか１項に記載のデバイス。
【請求項２２】
前記プロセッサは、
前記第２の情報に従って開始サブフレームを決定し、前記開始サブフレームをMCCH変更通知のサブフレームとして使用するように更に構成される、請求項１８乃至２１のうちいずれか１項に記載のデバイス。
【請求項２３】
前記プロセッサは、
前記MCCHが変化した場合、前記MCCHが変化した現在のMCCH変更周期において、前記第１の情報に従って新たなMCCHメッセージを送信するように更に構成される、請求項１８乃至２１のうちいずれか１項に記載のデバイス。
【請求項２４】
コンピュータに請求項１乃至１２のうちいずれか１項に記載の方法を実行させるプログラムを記録したコンピュータ読み取り可能記憶媒体。
【発明の詳細な説明】
【技術分野】
【０００１】
［関連出願への相互参照］
この出願は、2015年8月14日に国際特許庁に出願された「MULTICAST  SERVICE  READING  AND  SENDING  METHOD,  AND  RELATED  DEVICE」という名称の国際特許出願第PCT/CN2015/087114号の優先権を主張し、その全内容を参照により援用する。
【０００２】
［技術分野］
本開示は、モバイル通信技術の分野に関し、特に、マルチキャストサービス読み取り及び送信方法並びに関係するデバイスに関する。
【背景技術】
【０００３】
LTE（ロングタームエボリューション）システムに導入されたMBMS（マルチメディア・ブロードキャスト・マルチキャスト・サービス）機構は、eMBMS（進化型MBMS）機構とも呼ばれる。MBMSの制御情報は、MCCH（マルチキャスト制御チャネル）上で伝送され、MCCHのMCS（変調及び符号化方式）情報は、BCCH（ブロードキャスト制御チャネル）上で伝送される。
【０００４】
MBMSの関係する論理チャネルは、BCCHと、MCCHと、MTCH（MBMSポイントツーマルチポイント制御チャネル）とを含む。BCCHは、ネットワークによりシステム情報をUE（ユーザ装置）にブロードキャストするように構成される。MCCHは、ネットワークによりMBMS関係の制御情報をUEに伝送するように構成される。１つのMCCHは、１つ以上のMTCHに対応してもよい。MBMSサービスを読み取ることができるUEのみがMCCHを使用できる。基地局は、システムブロードキャストを用いて、MCCHのMCSとMCCHの周期情報（MCCHの周期情報は、変更周期（MP）及び繰り返し周期（RP）を含む）とをUEに通知する。MTCHは、ポイントツーマルチポイント下りリンクチャネルであり、ネットワークによりMBMSサービスデータをUEに伝送するように構成される。MBMSサービスを読み取ることができるUEのみがMTCHを使用できる。MTCHについての情報は、MTCHに対応するMCCHにより示される。ネットワークは、BCCHを使用することによりMCCHをUEに示し、次に、MCCHを使用することによりMTCHをUEに示し、それにより、UEは、MTCH上で搬送されたMBMSサービスを読み取る。
【０００５】
現在、MBMSシステムにおいて、MCCHメッセージは、MBSFN（マルチメディア・ブロードキャスト・マルチキャスト・サービス単一周波数ネットワーク）サブフレームを使用することによってのみ送信できる。MBSFNサブフレームは専用サブフレームであり、１つのみのデータブロックを送信するために使用できる。UEは、対応する時点においてMBSFNサブフレームを読み取ることにより、MCCHメッセージを取得できる。MBSFNサブフレームは、１つのみのデータブロックを伝送するために使用でき、１つのデータブロックは、MCCHメッセージを伝送するために、或いはMCCHメッセージ以外のデータを伝送するために使用できる。しかし、MCCHメッセージがMBSFNサブフレーム内の全てのリソースを完全に占有できない場合、他のデータもMBSFNサブフレーム内で送信できず、リソースの浪費を生じる。
【発明の概要】
【０００６】
本開示の実施例は、MBSFNサブフレームの浪費を低減するためのマルチキャストサービス読み取り及び送信方法並びに関係するデバイスを提供する。
【０００７】
第１の態様によれば、本開示の実施例は、マルチキャストサービス読み取り方法を提供し、
ユーザ装置UEにより、マルチキャスト制御チャネルMCCH設定情報を決定するステップであり、MCCH設定情報は、マルチキャスト制御チャネル無線ネットワーク一時識別子MCCH-RNTI及びMCCH送信周期情報を含むステップと、
UEにより、MCCH送信周期情報に従ってMCCH送信時間情報を決定するステップと、
UEにより、MCCH-RNTIを使用することによりMCCH送信時間情報に従ってMCCHメッセージを読み取るステップであり、MCCHメッセージは、マルチキャストサービスの設定情報を含むステップと、
UEにより、マルチキャストサービスの設定情報に従ってマルチキャストサービスを読み取るステップと
を含む。
【０００８】
第１の態様を参照して、第１の態様の第１の可能な実現では、MCCH送信周期情報は、MCCH繰り返し周期及びMCCHを送信するためのオフセットパラメータを含み、
UEにより、MCCH送信周期情報に従ってMCCH送信時間情報を決定するステップは、
UEにより、MCCH繰り返し周期及びMCCHを送信するためのオフセットパラメータに従って、MCCHを送信する時間に対応するサブフレーム位置を決定するステップを含む。
【０００９】
第１の態様の第１の可能な実現を参照して、第１の態様の第２の可能な実現では、各MCCH繰り返し周期内に、MCCHを送信するための１つのみのサブフレームが存在する場合、UEにより、MCCH繰り返し周期及びMCCHを送信するためのオフセットパラメータに従って、MCCHを送信する時間に対応するサブフレーム位置を決定するステップは、
UEにより、システムフレーム番号、サブフレーム番号、MCCH繰り返し周期及びMCCHを送信するためのオフセットパラメータに従って、MCCHを送信する時間に対応するサブフレーム位置を決定するステップを含む。
【００１０】
第１の態様の第１の可能な実現を参照して、第１の態様の第３の可能な実現では、各MCCH繰り返し周期内に、MCCHを送信するための複数の候補サブフレームが存在する場合、UEにより、MCCH繰り返し周期及びMCCHを送信するためのオフセットパラメータに従って、MCCHを送信する時間に対応するサブフレーム位置を決定するステップは、
UEにより、システムフレーム番号、MCCH繰り返し周期及びMCCHのオフセットパラメータに従って、MCCHを送信する時間に対応するサブフレーム位置セットを決定するステップを含む。
【００１１】
第１の態様の第１の可能な実現を参照して、第１の態様の第４の可能な実現では、UEにより、MCCH繰り返し周期及びMCCHを送信するためのオフセットパラメータに従って、MCCHを送信する時間に対応するサブフレーム位置を決定するステップは、
UEにより、システムフレーム番号、MCCH繰り返し周期及びMCCHのオフセットパラメータに従って、MCCHを送信するためのフレームを決定するステップと、UEにより、MCCHサブフレームセット設定情報及びMCCHを送信するためのフレームに従って、MCCH送信時間情報に対応するサブフレーム位置セットを決定するステップとを含む。
【００１２】
第１の態様の第４の可能な実現を参照して、第１の態様の第５の可能な実現では、MCCHサブフレームセット設定情報は、基地局によりUEに送信されるMCCH設定シグナリング内で搬送され、MCCH設定シグナリングは、システムブロードキャストメッセージ又はUEの専用シグナリングである。
【００１３】
第１の態様の第４又は第５の可能な実現を参照して、第１の態様の第６の可能な実現では、MCCHサブフレームセット設定情報は、MCCHサブフレーム系列を含むか、或いはMCCHサブフレームセット設定情報は、MCCHサブフレーム開始位置を含むか、或いはMCCHサブフレームセット設定情報は、MCCHサブフレーム開始位置及び送信持続時間情報を含む。
【００１４】
第１の態様の第６の可能な実現を参照して、第１の態様の第７の可能な実現では、MCCHサブフレーム系列は、ビットマップ系列であり、UEにより、MCCHサブフレームセット設定情報及びMCCHを送信するためのフレームに従って、MCCH送信時間情報に対応するサブフレーム位置セットを決定するステップは、
UEにより、MCCHを送信するためのフレーム、ビットマップ系列内の各ビットの値及びビットマップ系列内の各ビットに対応するサブフレーム番号に従って、MCCH送信時間情報に対応するサブフレーム位置セットを決定するステップを含む。
【００１５】
第１の態様の第６の可能な実現を参照して、第１の態様の第８の可能な実現では、MCCHサブフレームセット設定情報は、MCCHサブフレーム開始位置を含み、MCCH送信時間情報に対応するサブフレーム位置セットは、１つのサブフレームを含み、サブフレームは、MCCHサブフレーム開始位置に対応するサブフレームである。
【００１６】
第１の態様の第６の可能な実現を参照して、第１の態様の第９の可能な実現では、MCCHサブフレームセット設定情報は、MCCHサブフレーム開始位置及び送信持続時間情報を含み、UEにより、MCCHサブフレームセット設定情報及びMCCHを送信するためのフレームに従って、MCCH送信時間情報に対応するサブフレーム位置セットを決定するステップは、
UEにより、送信持続時間情報に従って、MCCHを送信するためのサブフレームの総数量を決定するステップと、
UEにより、MCCHを送信するためのサブフレームの総数量及びMCCHを送信するための開始サブフレームに従って、MCCHを送信するための全てのサブフレームを決定するステップ、又はUEにより、MCCHを送信するためのサブフレームの総数量、MCCHを送信するための開始サブフレーム及びMBSFNサブフレーム設定に従って、MCCHを送信するための全てのサブフレームを決定するステップと
を含む。
【００１７】
第１の態様の第４〜第９の可能な実現のうちいずれか１つを参照して、第１の態様の第１０の可能な実現では、方法は、
UEにより、MCCHサブフレームセット設定情報に従って開始サブフレームを決定し、開始サブフレームをMCCH変更通知のサブフレームとして使用するステップ、又は
UEにより、MCCHサブフレームセット設定情報に従って、MCCHを送信するための全てのサブフレームを決定し、MCCHを送信するための全てのサブフレーム内のいずれかのサブフレームをMCCH変更通知のサブフレームとして使用するステップ
を更に含む。
【００１８】
第１の態様の第１〜第１０の可能な実現のうちいずれか１つを参照して、第１の態様の第１１の可能な実現では、UEにより、MCCH-RNTIを使用することによりMCCH送信時間情報に従ってMCCHメッセージを読み取るステップは、
UEにより、MCCH-RNTIを使用することにより、MCCHを送信する時間に対応するサブフレーム位置で物理下りリンク制御チャネルPDCCH又は拡張物理下りリンク制御チャネルEPDCCHを読み取るステップと、
UEにより、PDCCH又はEPDCCH上の指定のMCCHメッセージリソース位置でMCCHメッセージを読み取るステップと
を含む。
【００１９】
第１の態様又は第１の態様の第１〜第１１の可能な実現のうちいずれか１つを参照して、第１の態様の第１２の可能な実現では、マルチキャストサービスの設定情報は、一時マルチキャストグループ識別子及びマルチキャストサービスをスケジューリングするためのG-RNTIを含み、UEにより、マルチキャストサービスの設定情報に従ってマルチキャストサービスを読み取るステップは、
UEにより、マルチキャストサービスをスケジューリングするためのG-RNTIに従って、一時マルチキャストグループ識別子に対応するマルチキャストサービスを読み取るステップを含む。
【００２０】
第１の態様の第１２の可能な実現を参照して、第１の態様の第１３の可能な実現では、UEにより、マルチキャストサービスをスケジューリングするためのG-RNTIに従って、一時マルチキャストグループ識別子に対応するマルチキャストサービスを読み取るステップは、
UEにより、マルチキャストサービスのG-RNTIに従ってPDCCHスケジューリング情報を読み取るステップと、
UEにより、PDCCHスケジューリング情報に従って、一時マルチキャストグループ識別子に対応するマルチキャストサービスに対応する周波数リソース及び変調方式を決定し、周波数リソース及び変調方式に従ってマルチキャストサービスを読み取るステップと
を含む。
【００２１】
第１の態様又は第１の態様の第１〜第１１の可能な実現のうちいずれか１つを参照して、第１の態様の第１４の可能な実現では、マルチキャストサービスの設定情報は、一時マルチキャストグループ識別子及びマルチキャストサービスのスケジューリング情報を含み、マルチキャストサービスのスケジューリング情報は、マルチキャストサービスを読み取るために使用される周波数リソース及び変調方式を含み、UEにより、マルチキャストサービスの設定情報に従ってマルチキャストサービスを読み取るステップは、
UEにより、マルチキャストサービスの周波数リソース及び変調方式に従って、一時マルチキャストグループ識別子に対応するマルチキャストサービスを読み取るステップを含む。
【００２２】
第１の態様又は第１の態様の第１〜第１４の可能な実現のうちいずれか１つを参照して、第１の態様の第１５の可能な実現では、UEにより、MCCH設定情報を決定した後に、方法は、
UEにより、MCCHが変化したか否かを決定するステップと、
MCCHが変化したとUEが決定した場合、UEにより、MCCH設定情報に従ってMCCHメッセージを再び読み取るステップと
を更に含む。
【００２３】
第１の態様の第１５の可能な実現を参照して、第１の態様の第１６の可能な実現では、UEにより、MCCHが変化したか否かを決定するステップは、
UEにより、MCCHのMCCH変更周期を決定するステップと、
UEにより、PDCCH又はEPDCCH上でMCCH変更識別子を取得するために、MCCH-RNTIに従ってMCCH変更周期においてPDCCH又はEPDCCHを読み取るステップであり、変更識別子は、以下の変更識別子、すなわち、PDCCH又はEPDCCHの変更識別子フィールド内の変更識別子、NDI、プロセス番号、又はNDIとプロセス番号との組み合わせのうちいずれか１つを含むステップと、
MCCH変更識別子が前の変更周期における変更識別子と異なる場合、UEにより、MCCHが変化したと決定するステップ、又は
MCCH変更識別子が第１の予め設定された値と同じである場合、UEにより、MCCHが変化したと決定するステップと
を含む。
【００２４】
第１の態様の第１５の可能な実現を参照して、第１の態様の第１７の可能な実現では、UEにより、MCCHが変化したか否かを決定するステップは、
UEにより、MCCHのMCCH変更周期及びMCCH変更周期に対応するM-RNTIを決定するステップと、
UEにより、非MBSFNサブフレーム内で、M-RNTIに対応するPDCCH上に含まれる変更通知フィールドを読み取るステップと、
変更通知フィールド内のMCCHに対応するビット値が第２の予め設定された値と同じである場合、UEにより、MCCHが変化したと決定するステップと
を含む。
【００２５】
第１の態様の第１５〜第１７の可能な実現のうちいずれか１つを参照して、第１の態様の第１８の可能な実現では、UEにより、MCCH設定情報に従ってMCCHメッセージを再び読み取るステップは、
UEにより、MCCH設定情報に従って、MCCHが変化したと決定された現在のMCCH変更周期においてMCCHメッセージを再び読み取るステップ、又は
UEにより、MCCH設定情報に従って、MCCHが変化したと決定された現在のMCCH変更周期の次のMCCH変更周期においてMCCHメッセージを再び読み取るステップ
を含む。
【００２６】
第１の態様の第１６又は第１７の可能な実現を参照して、第１の態様の第１９の可能な実現では、UEにより、MCCHのMCCH変更周期を決定するステップは、
MCCH送信周期情報が１つのみのMCCH変更周期を含む場合、UEにより、MCCH変更周期をMCCH変更周期として決定するステップ、又は
MCCH送信周期情報が複数のMCCH変更周期を含み、各MCCH変更周期がMCCH変更周期に対応する周期選択パラメータを有する場合、UEにより、MCCH周期選択パラメータ及びUEにより読み取られる必要のあるマルチキャストサービスに従ってMCCH変更周期を決定するステップ、又は
MCCH設定情報が複数のMCCHを含み、各MCCHが複数のMCCH変更周期を有し、各MCCHがMCCHに対応するMCCH選択パラメータを有する場合、UEにより、MCCH選択パラメータ及びUEにより読み取られる必要のあるマルチキャストサービスに従って、読み取られる必要のあるMCCHを決定するステップと、UEにより、MCCH周期選択パラメータ及びUEにより読み取られる必要のあるマルチキャストサービスに従ってMCCH変更周期を決定するステップ
を含む。
【００２７】
第１の態様又は第１の態様の第１〜第１９の可能な実現のうちいずれか１つを参照して、第１の態様の第２０の可能な実現では、MCCH設定情報は、予め定義された設定情報又はシステムブロードキャストメッセージを使用することにより基地局によりUEに送信される設定情報のうち少なくとも１つを含む。
【００２８】
第２の態様によれば、本開示の実施例は、マルチキャストサービス送信方法を提供し、
基地局により、MCCH設定情報を決定するステップであり、MCCH設定情報は、MCCH-RNTI及びMCCH送信周期情報を含むステップと、
基地局により、MCCH送信周期情報に従ってMCCH送信時間情報を決定するステップと、
基地局により、MCCH-RNTIを使用することによりMCCH送信時間情報に従ってMCCHメッセージを送信するステップであり、MCCHメッセージは、マルチキャストサービスの設定情報を含むステップと、
基地局により、マルチキャストサービスの設定情報に従ってマルチキャストサービスを送信するステップと
を含む。
【００２９】
第２の態様を参照して、第２の態様の第１の可能な実現では、MCCH送信周期情報は、MCCH繰り返し周期及びMCCHを送信するためのオフセットパラメータを含み、
基地局により、MCCH送信周期情報に従ってMCCH送信時間情報を決定するステップは、
基地局により、MCCH繰り返し周期及びMCCHを送信するためのオフセットパラメータに従って、MCCHを送信する時間に対応するサブフレーム位置を決定するステップを含む。
【００３０】
第２の態様の第１の可能な実現を参照して、第２の態様の第２の可能な実現では、各MCCH繰り返し周期内に、MCCHを送信するための１つのみのサブフレームが存在する場合、基地局により、MCCH繰り返し周期及びMCCHを送信するためのオフセットパラメータに従って、MCCHを送信する時間に対応するサブフレーム位置を決定するステップは、
基地局により、システムフレーム番号、サブフレーム番号、MCCH繰り返し周期及びMCCHを送信するためのオフセットパラメータに従って、MCCHを送信する時間に対応するサブフレーム位置を決定するステップを含む。
【００３１】
第２の態様の第１の可能な実現を参照して、第２の態様の第３の可能な実現では、各MCCH繰り返し周期内に、MCCHを送信するための複数の候補サブフレームが存在する場合、基地局により、MCCH繰り返し周期及びMCCHを送信するためのオフセットパラメータに従って、MCCHを送信する時間に対応するサブフレーム位置を決定するステップは、
基地局により、システムフレーム番号、MCCH繰り返し周期及びMCCHのオフセットパラメータに従って、MCCHを送信する時間に対応するサブフレーム位置セットを決定するステップを含む。
【００３２】
第２の態様の第１の可能な実現を参照して、第２の態様の第４の可能な実現では、基地局により、MCCH繰り返し周期及びMCCHを送信するためのオフセットパラメータに従って、MCCHを送信する時間に対応するサブフレーム位置を決定するステップは、
基地局により、システムフレーム番号、MCCH繰り返し周期及びMCCHのオフセットパラメータに従って、MCCHを送信するためのフレームを決定するステップと、
基地局により、MCCHサブフレームセット設定情報及びMCCHを送信するためのフレームに従って、MCCH送信時間情報に対応するサブフレーム位置セットを決定するステップと
を含む。
【００３３】
第２の態様の第４の可能な実現を参照して、第２の態様の第５の可能な実現では、MCCHサブフレームセット設定情報は、MCCHサブフレーム系列を含むか、或いはMCCHサブフレームセット設定情報は、MCCHサブフレーム開始位置を含むか、或いはMCCHサブフレームセット設定情報は、MCCHサブフレーム開始位置及び送信持続時間情報を含む。
【００３４】
第２の態様の第４の可能な実現を参照して、第２の態様の第６の可能な実現では、MCCHサブフレームセット設定情報は、基地局により送信対象のMCCHのサブフレーム情報に従って決定され、
送信対象のMCCHのサブフレーム情報は、送信対象のMCCHのサブフレーム位置を含み、MCCHサブフレームセット設定情報は、MCCHサブフレーム系列を含み、MCCHサブフレーム系列は、基地局により送信対象のMCCHのサブフレーム位置に従って決定されるか、或いは送信対象のMCCHのサブフレーム情報は、送信対象のMCCHのサブフレームの数量を含み、送信対象のMCCHの１つのサブフレームが存在する場合、MCCHサブフレームセット設定情報は、MCCHサブフレーム開始位置を含むか、或いは送信対象のMCCHの複数のサブフレームが存在する場合、MCCHサブフレームセット設定情報は、MCCHサブフレーム開始位置及び送信持続時間情報を含む。
【００３５】
第２の態様の第６の可能な実現を参照して、第２の態様の第７の可能な実現では、MCCHサブフレーム系列は、ビットマップ系列であり、基地局により、MCCHサブフレームセット設定情報及びMCCHを送信するためのフレームに従って、MCCH送信時間情報に対応するサブフレーム位置セットを決定するステップは、
基地局により、MCCHを送信するためのフレーム、ビットマップ系列内の各ビットの値及びビットマップ系列内の各ビットに対応するサブフレーム番号に従って、MCCH送信時間情報に対応するサブフレーム位置セットを決定するステップを含む。
【００３６】
第２の態様の第６の可能な実現を参照して、第２の態様の第８の可能な実現では、MCCHサブフレームセット設定情報は、MCCHサブフレーム開始位置を含み、MCCH送信時間情報に対応するサブフレーム位置セットは、１つのサブフレームを含み、サブフレームは、MCCHサブフレーム開始位置に対応するサブフレームである。
【００３７】
第２の態様の第６の可能な実現を参照して、第２の態様の第９の可能な実現では、MCCHサブフレームセット設定情報は、MCCHサブフレーム開始位置及び送信持続時間情報を含み、基地局により、MCCHサブフレームセット設定情報及びMCCHを送信するためのフレームに従って、MCCH送信時間情報に対応するサブフレーム位置セットを決定するステップは、
基地局により、送信持続時間情報に従って、MCCHを送信するためのサブフレームの総数量を決定するステップと、
基地局により、MCCHを送信するためのサブフレームの総数量及びMCCHを送信するための開始サブフレームに従って、MCCHを送信するための全てのサブフレームを決定するステップ、又は基地局により、MCCHを送信するためのサブフレームの総数量、MCCHを送信するための開始サブフレーム及びMBSFNサブフレーム設定に従って、MCCHを送信するための全てのサブフレームを決定するステップと
を含む。
【００３８】
第２の態様の第４〜第９の可能な実現のうちいずれか１つを参照して、第２の態様の第１０の可能な実現では、方法は、
基地局により、MCCHサブフレームセット設定情報に従って開始サブフレームを決定し、開始サブフレームをMCCH変更通知のサブフレームとして使用するステップ、又は
基地局により、MCCHサブフレームセット設定情報に従って、MCCHを送信するための全てのサブフレームを決定し、MCCHを送信するための全てのサブフレーム内のいずれかのサブフレームをMCCH変更通知のサブフレームとして使用するステップ
を更に含む。
【００３９】
第２の態様の第１〜第１０の可能な実現のうちいずれか１つを参照して、第２の態様の第１１の可能な実現では、基地局により、MCCH-RNTIを使用することによりMCCH送信時間情報に従ってMCCHメッセージを送信するステップは、
基地局により、MCCH-RNTIを使用することにより、MCCHを送信する時間に対応するサブフレーム位置で物理下りリンク制御チャネルPDCCH又は拡張物理下りリンク制御チャネルEPDCCHを送信するステップと、
基地局により、PDCCH又はEPDCCH上の指定のMCCHメッセージリソース位置でMCCHメッセージを送信するステップと
を含む。
【００４０】
第２の態様又は第２の態様の第１〜第１１の可能な実現のうちいずれか１つを参照して、第２の態様の第１２の可能な実現では、マルチキャストサービスの設定情報は、一時マルチキャストグループ識別子及びマルチキャストサービスをスケジューリングするためのG-RNTIを含み、基地局により、マルチキャストサービスの設定情報に従ってマルチキャストサービスを送信するステップは、
基地局により、マルチキャストサービスをスケジューリングするためのG-RNTIに従って、一時マルチキャストグループ識別子に対応するマルチキャストサービスを送信するステップを含む。
【００４１】
第２の態様の第１２の可能な実現を参照して、第２の態様の第１３の可能な実現では、基地局により、マルチキャストサービスをスケジューリングするためのG-RNTIに従って、一時マルチキャストグループ識別子に対応するマルチキャストサービスを送信するステップは、
基地局により、一時マルチキャストグループ識別子に対応するマルチキャストサービスの周波数リソース及び変調方式を決定するステップと、
基地局により、マルチキャストサービスのG-RNTIに従ってPDCCHスケジューリング情報をUEに送信し、PDCCHスケジューリング情報は、周波数リソース及び変調方式を搬送し、周波数リソース及び変調方式に従ってマルチキャストサービスを送信するステップと
を含む。
【００４２】
第２の態様又は第２の態様の第１〜第１１の可能な実現のうちいずれか１つを参照して、第２の態様の第１４の可能な実現では、マルチキャストサービスの設定情報は、一時マルチキャストグループ識別子及びマルチキャストサービスのスケジューリング情報を含み、マルチキャストサービスのスケジューリング情報は、マルチキャストサービスを送信するために使用される周波数リソース及び変調方式を含み、基地局により、マルチキャストサービスの設定情報に従ってマルチキャストサービスを送信するステップは、
基地局により、マルチキャストサービスに使用される周波数リソース及び変調方式に従って、一時マルチキャストグループ識別子に対応するマルチキャストサービスを送信するステップを含む。
【００４３】
第２の態様又は第２の態様の第１〜第１４の可能な実現のうちいずれか１つを参照して、第２の態様の第１５の可能な実現では、基地局により、MCCH設定情報を決定した後に、方法は、
MCCHが変化したと基地局が決定した場合、基地局により、MCCHの変更通知を送信するステップと、
基地局により、MCCH設定情報に従ってMCCHメッセージを再送信するステップと
を更に含む。
【００４４】
第２の態様の第１５の可能な実現を参照して、第２の態様の第１６の可能な実現では、基地局により、MCCHの変更通知を送信するステップは、
基地局により、MCCHのMCCH変更周期を決定するステップと、
基地局により、MCCH-RNTIに従ってMCCH変更周期においてPDCCH又はEPDCCH上で変更識別子を送信するステップであり、変更識別子は、以下の変更識別子、すなわち、PDCCH又はEPDCCHの変更識別子フィールド内の変更識別子、NDI、プロセス番号、又はNDIとプロセス番号との組み合わせのうちいずれか１つを含むステップと
を含み、
変更識別子は、前の変更周期における変更識別子と異なるか、或いは変更識別子は、第１の予め設定された値の変更識別子である。
【００４５】
第２の態様の第１５の可能な実現を参照して、第２の態様の第１７の可能な実現では、基地局により、MCCHの変更通知を送信するステップは、
基地局により、MCCHのMCCH変更周期及びMCCH変更周期に対応するM-RNTIを決定するステップと、
基地局により、MCCHに対応する変更通知フィールド内のビット値を送信するステップであり、ビット値は、第２の予め設定された値と同じであり、MCCHに対応する変更通知フィールドは、非MBSFNサブフレーム内のM-RNTIに対応するPDCCH上に含まれる変更通知フィールドであるステップと
を含む。
【００４６】
第２の態様の第１５〜第１７の可能な実現のうちいずれか１つを参照して、第２の態様の第１８の可能な実現では、基地局により、MCCH設定情報に従ってMCCHメッセージを再送信するステップは、
基地局により、MCCH設定情報に従って、MCCHが変化したと決定された現在のMCCH変更周期においてMCCHメッセージを再送信するステップ、又は
基地局により、MCCH設定情報に従って、MCCHが変化したと決定された現在のMCCH変更周期の次のMCCH変更周期においてMCCHメッセージを再送信するステップ
を含む。
【００４７】
第２の態様の第１６又は第１７の可能な実現を参照して、第２の態様の第１９の可能な実現では、基地局により、MCCHのMCCH変更周期を決定するステップは、
MCCH送信周期情報が１つのみのMCCH変更周期を含む場合、基地局により、MCCH変更周期をMCCH変更周期として決定するステップ、又は
MCCH送信周期情報が複数のMCCH変更周期を含み、各MCCH変更周期がMCCH変更周期に対応する周期選択パラメータを有する場合、基地局により、MCCH周期選択パラメータ及び基地局により送信される必要のあるマルチキャストサービスに従ってMCCH変更周期を決定するステップ、又は
MCCH設定情報が複数のMCCHを含み、各MCCHが複数のMCCH変更周期を有し、各MCCHがMCCHに対応するMCCH選択パラメータを有する場合、基地局により、MCCH選択パラメータ及び基地局により送信される必要のあるマルチキャストサービスに従って、送信される必要のあるMCCHを決定するステップと、基地局により、MCCH周期選択パラメータ及び基地局により送信される必要のあるマルチキャストサービスに従ってMCCH変更周期を決定するステップ
を含む。
【００４８】
第２の態様の第１〜第１９の可能な実現のうちいずれか１つを参照して、第２の態様の第２０の可能な実現では、MCCH設定情報は、予め定義された設定情報又はMCEにより基地局に送信される設定情報のうち少なくとも１つを含む。
【００４９】
第３の態様によれば、本開示は、ユーザ装置UEを提供し、第１の態様における方法のステップを実行するように構成された様々なモジュールを含む。
【００５０】
第４の態様によれば、本開示は、基地局を提供し、第２の態様における方法のステップを実行するように構成された様々なモジュールを含む。
【００５１】
第５の態様によれば、ユーザ装置UEが提供される。UEの構成は、受信機と、送信機と、プロセッサとを含む。プロセッサは、前述の方法における対応する機能を実行する際にUEをサポートするように構成される。送信機は、モバイルネットワークサーバと通信する際にUEをサポートするように構成される。UEは、メモリを更に含んでもよい。メモリは、プロセッサに結合されるように構成され、UEにより必要とされるプログラム命令及びデータを記憶する。UEは、UEにより、他のデバイス又は通信ネットワークと通信するように構成された通信インタフェースを更に含んでもよい。
【００５２】
第６の態様によれば、基地局が提供される。基地局の構成は、受信機と、送信機と、プロセッサとを含む。プロセッサは、前述の方法における対応する機能を実行する際に基地局をサポートするように構成される。送信機は、モバイルネットワークサーバと通信する際に基地局をサポートするように構成される。基地局は、メモリを更に含んでもよい。メモリは、プロセッサに結合されるように構成され、基地局により必要とされるプログラム命令及びデータを記憶する。基地局は、基地局により、他のデバイス又は通信ネットワークと通信するように構成された通信インタフェースを更に含んでもよい。
【００５３】
第７の態様によれば、本開示は、前述のUEにより使用されるコンピュータソフトウェア命令を記憶するように構成されたコンピュータ記憶媒体を提供し、コンピュータソフトウェア命令は、前述の態様を実行するように設計されたプログラムを含む。
【００５４】
第８の態様によれば、本開示は、前述の基地局により使用されるコンピュータソフトウェア命令を記憶するように構成されたコンピュータ記憶媒体を提供し、コンピュータソフトウェア命令は、前述の態様を実行するように設計されたプログラムを含む。
【００５５】
以下の有益な効果は、本開示の実施例を実現することによって達成できる。
【００５６】
本開示の実施例では、ユーザ装置UEは、MCCH設定情報を決定し、設定情報は、MCCH-RNTI及びMCCH送信周期情報を含み、UEは、MCCH送信周期情報に従ってMCCH送信時間情報を決定し、UEは、MCCH-RNTIを使用することによりMCCH送信時間情報に従ってMCCHメッセージを読み取り、MCCHメッセージは、マルチキャストサービスの設定情報を含み、UEは、マルチキャストサービスの設定情報に従ってマルチキャストサービスを読み取る。本開示の実施例では、UEは、設定されたMCCH-RNTIを使用することによりサブフレーム内のMCCHを識別する。したがって、MCCHは、いずれかのサブフレームで伝送されてUEにより識別されることができ、MBSFNサブフレームのみで伝送されることに限定されず、それにより、他の非MBSFNサブフレームもまた、MCCHを伝送するために使用できる。したがって、本開示の実施例では、MCCHはMBSFNサブフレームで全て伝送されなくてもよく、それにより、いくつかのMBSFNサブフレームは、MCCHを伝送するために使用されなくてもよいが、UEに関係するMBSFNサービスデータを伝送するために全て使用され、それにより、MBSFNサブフレームがMCCHメッセージを伝送するために使用される必要があり且つMBSFNサブフレームリソースがMCCHにより完全に使用できないという事実により引き起こされるMBSFNサブフレームリソースの浪費を低減する。
【図面の簡単な説明】
【００５７】
本開示の実施例における技術的解決策をより明確に説明するために、以下に、実施例又は従来技術を説明するために必要な添付図面を簡単に説明する。明らかに、以下の説明における添付図面は、本開示の単にいくつかの実施例を示しているに過ぎず、当業者は、創造的取り組みなしに依然としてこれらの添付図面から他の図面を導き得る。
【図１】本開示の実施例によるマルチキャストサービス読み取り方法のフローチャートである。
【図２】本開示の実施例によるマルチキャストサービス送信方法のフローチャートである。
【図３】本開示の実施例によるネットワークアーキテクチャの概略図である。
【図４】本開示の実施例によるマルチキャストサービス受信及び送信方法のフローチャートである。
【図５】本開示の実施例によるMCCH伝送機構の概略図である。
【図６】本開示の実施例によるMCCH伝送機構の概略図である。
【図７】本開示の実施例によるMCCH伝送機構の概略図である。
【図８】本開示の実施例によるMCCH伝送機構の概略図である。
【図９】本開示の実施例によるUEの第１の実施例の概略構成図である。
【図１０】本開示の実施例による基地局の第１の実施例の概略構成図である。
【図１１】本開示の実施例によるUEの第２の実施例の概略構成図である。
【図１２】本開示の実施例による基地局の第２の実施例の概略構成図である。
【発明を実施するための形態】
【００５８】
当業者に本開示における解決策をより良く理解してもらうために、以下に、本開示の実施例における添付図面を参照して本開示の実施例における技術的解決策を明確に説明する。明らかに、説明する実施例は、本開示の実施例の全てではなく、単なる一部である。創造的取り組みなしに本開示の実施例に基づいて当業者により得られる全ての他の実施例は、本開示の保護範囲内に入るものとする。
【００５９】
以下に、詳細な説明を別々に与える。
【００６０】
本開示の明細書、特許請求の範囲及び添付図面において、「第１」、「第２」、「第３」、「第４」等の用語は、異なる物を区別することを意図するものであり、特定の順序を示さない。さらに、「含む」、「有する」又はこれらの他の変形は、非排他的包含をカバーすることを意図するものである。例えば、一連のステップ又はモジュールを含むプロセス、方法、システム、プロダクト又はデバイスは、記載のステップ又はモジュールに限定されず、任意選択で記載されていないステップ又はモジュールを更に含むか、或いは任意選択でプロセス、方法、プロダクト又はデバイスの他の固有のステップ又はユニットを更に含む。
【００６１】
この明細書における「実施例」の言及は、実施例を参照して記載される特定の特徴、構成又は特性が本開示の少なくとも１つの実施例に含まれてもよいことを意味する。この明細書内のそれぞれの場所に現れる用語は、同じ実施例、又は互いに他の実施例と排他的である独立若しくは候補の実施例を示さなくてもよい。当業者は、この明細書において記載される実施例が他の実施例と結合されてもよいことを明示的或いは暗示的に理解する。
【００６２】
図１を参照すると、図１は、本開示の実施例によるマルチキャストサービス読み取り方法の第１の実施例のフローチャートである。図１に示すように、本開示のこの実施例によるマルチキャストサービス読み取り方法は、ステップS101〜S104を含んでもよい。
【００６３】
S101：ユーザ装置UEは、MCCH設定情報を決定し、MCCH設定情報は、MCCH-RNTI及びMCCH送信周期情報を含む。
【００６４】
本開示のこの実施例では、ユーザ装置UEは、モバイル電話、タブレットコンピュータ、パーソナルデジタルアシスタント（PDA）、モバイルインターネットデバイス（MID）及びインテリジェントウェアラブルデバイス（例えば、スマートウォッチ又はスマートバンド）のような様々な種類のUEを含んでもよい。これは、本開示のこの実施例において限定されない。
【００６５】
本開示のこの実施例では、MCCH設定情報は、予め定義された設定情報（例えば、プロトコルを使用することによりUE及び基地局により合意されたMCCH設定情報）でもよい。或いは、MCCH設定情報は、基地局により送信されてUEにより受信されるシステムブロードキャストメッセージでもよく、ブロードキャストメッセージは、MCCH設定情報を搬送する。或いは、MCCH設定情報の一部は予め定義され、他の部分は、システムブロードキャストメッセージを使用することにより基地局によりUEに送信されてもよい（例えば、MCCH-RNTI及びMCCH送信周期は、システムブロードキャストメッセージを使用することにより基地局によりUEに送信され、他の設定情報は予め定義される）。
【００６６】
本開示のこの実施例では、MCCH-RNTIは、UEにより、PDCCH（物理下りリンク制御チャネル）又はEPDCCH（拡張物理下りリンク制御チャネル）の検出を実行するために使用される。MCCH設定情報は、少なくとも１つのMCCH設定情報を含む。MCCH設定情報が複数のMCCH設定情報を含む場合、MCCHの複数のMCCH設定情報に含まれるMCCH-RNTIは、同じMCCH-RNTIでもよく、或いはMCCHは、異なるMCCH-RNTIを有する。MCCH送信周期情報は、MCCH変更周期、MCCH繰り返し周期及びMCCHを送信するためのオフセットパラメータを含む。１つの変更周期又は複数の変更周期が１つのMCCHについて設定されてもよい。複数の変更周期が１つのMCCHについて設定された場合、MCCH送信周期情報は、各MCCH変更周期に対応するMCCH周期選択パラメータを更に含み、それにより、UEは、MCCH周期選択パラメータを使用することによりMCCH変更周期を選択できる。MCCH設定情報が複数のMCCH設定情報を含むとき、MCCH設定情報は、MCCHに対応するサービスタイプ情報を更に含む。MCCHに対応するサービスタイプ情報は、UEにより、サービスタイプ情報に従って複数のMCCHの中のMCCHを読み取るように選択するために使用される。
【００６７】
本開示のこの実施例では、MCCH設定情報は、少なくとも１つのMCCH設定情報を含み、UEは、１つのMCCHメッセージ又は複数のMCCHメッセージを読み取ってもよい。例えば、MCCH設定情報は、１つのみのMCCH設定情報を含み、UEは、MCCH設定情報に従ってMCCHメッセージを読み取る。他の例では、MCCH設定情報は、複数のMCCH設定情報を含み、UEは、MCCHに対応するサービスタイプ情報に従って複数のMCCHの中の１つのMCCHを読み取るように選択してもよく、或いはUEは、MCCHに対応するサービスタイプ情報に従って複数のMCCHの中のいくつかのMCCHを読み取るように選択してもよい。同様に、UEは、MCCH設定情報に含まれる全てのMCCHメッセージを読み取ってもよい。UEにより１つのMCCHメッセージを読み取る原理は、複数のMCCHを読み取る原理と同じである。したがって、本開示のこの実施例では、UEが１つのMCCHメッセージを読み取る例を使用することにより、詳細な説明が提供される。
【００６８】
S102：UEは、MCCH送信周期情報に従ってMCCH送信時間情報を決定する。
【００６９】
本開示のこの実施例では、UEにより、MCCH送信周期情報に従ってMCCH送信時間情報を決定する具体的な実現は、UEにより、MCCH繰り返し周期及びMCCHを送信するためのオフセットパラメータに従って、MCCHを送信する時間に対応するサブフレーム位置を決定し、MCCHを送信する時間に対応するサブフレーム位置は、MCCHを送信するためのサブフレーム位置であることでもよい。
【００７０】
本開示の実施例では、各MCCH繰り返し周期内に、MCCHを送信するための１つのみのサブフレームが存在する場合、UEにより、MCCH繰り返し周期及びMCCHを送信するためのオフセットパラメータに従って、MCCHを送信する時間に対応するサブフレーム位置を決定する具体的な実現は、UEにより、システムフレーム番号、サブフレーム番号、MCCH繰り返し周期及びMCCHを送信するためのオフセットパラメータに従って、MCCHを送信する時間に対応するサブフレーム位置を決定することでもよい。
【００７１】
具体的には、UEは、式{[(SFN*10)+subframe  number]  modulo  (R*10)=S}に従って、MCCHを送信するためのサブフレーム位置を決定し、SFNはシステムフレーム番号であり、subframe  numberはサブフレーム番号であり、RはMCCH繰り返し周期であり、SはMCCHのオフセットパラメータである。SFN及びサブフレーム番号が式を満たすとき、MCCHを送信するためのサブフレームが決定される。
【００７２】
本開示の他の実施例は、各MCCH繰り返し周期内に、MCCHを送信するための複数の候補サブフレームが存在する場合、UEにより、MCCH繰り返し周期及びMCCHを送信するためのオフセットパラメータに従って、MCCHを送信する時間に対応するサブフレーム位置を決定する具体的な実現は、UEにより、システムフレーム番号、MCCH繰り返し周期及びMCCHのオフセットパラメータに従って、MCCHを送信する時間に対応するサブフレーム位置セットを決定することでもよい。
【００７３】
具体的には、UEは、式{(SFNs  modulo  (R)=S}に従って、MCCHを送信するためのサブフレーム位置を決定し、SFNsはいずれかのシステムフレーム番号であり、RはMCCH繰り返し周期であり、SはMCCHのオフセットパラメータである。SFNが式を満たすとき、MCCHを送信するためのフレームが決定される。フレームに含まれるサブフレームは、MCCHを送信する時間に対応するサブフレーム位置セットとして決定される。
【００７４】
S103：UEは、MCCH-RNTIを使用することによりMCCH送信時間情報に従ってMCCHメッセージを読み取り、MCCHメッセージは、マルチキャストサービスの設定情報を含む。
【００７５】
本開示のこの実施例では、UEにより、MCCH-RNTIを使用することによりMCCH送信時間情報に従ってMCCHメッセージを読み取る具体的な実現は、UEにより、MCCH-RNTIを使用することにより、MCCHを送信する時間に対応するサブフレーム位置で物理下りリンク制御チャネルPDCCH又は拡張物理下りリンク制御チャネルEPDCCHを読み取り、UEにより、PDCCH又はEPDCCH上の指定のMCCHメッセージリソース位置でMCCHメッセージを読み取ることである。
【００７６】
S104：UEは、マルチキャストサービスの設定情報に従ってマルチキャストサービスを読み取る。
【００７７】
本開示の実施例では、マルチキャストサービスの設定情報が一時マルチキャストグループ識別子及びマルチキャストサービスをスケジューリングするためのG-RNTIを含む場合、UEにより、マルチキャストサービスの設定情報に従ってマルチキャストサービスを読み取る具体的な実現は、UEにより、マルチキャストサービスをスケジューリングするためのG-RNTIに従って、一時マルチキャストグループ識別子に対応するマルチキャストサービスを読み取ることである。
【００７８】
具体的には、UEにより、マルチキャストサービスをスケジューリングするためのG-RNTIに従って、一時マルチキャストグループ識別子に対応するマルチキャストサービスを読み取る具体的な実現は、UEにより、マルチキャストサービスのG-RNTIに従ってPDCCHスケジューリング情報を読み取り、UEにより、PDCCHスケジューリング情報に従って、一時マルチキャストグループ識別子に対応するマルチキャストサービスに対応する周波数リソース及び変調方式を決定し、周波数リソース及び変調方式に従ってマルチキャストサービスを読み取ることである。任意選択で、マルチキャストサービスの設定情報が一時マルチキャストグループ識別子、マルチキャストサービスをスケジューリングするためのG-RNTI及びマルチキャストサービスの伝送モードを含む場合、UEにより、マルチキャストサービスの設定情報に従ってマルチキャストサービスを読み取る具体的な実現は、UEにより、マルチキャストサービスをスケジューリングするためのG-RNTI及びマルチキャストサービスの伝送モードに従って、一時マルチキャストグループ識別子に対応するマルチキャストサービスを読み取ることである。
【００７９】
具体的には、UEにより、マルチキャストサービスをスケジューリングするためのG-RNTIに従って、一時マルチキャストグループ識別子に対応するマルチキャストサービスを読み取る具体的な実現は、UEにより、マルチキャストサービスのG-RNTIに従ってPDCCHスケジューリング情報を読み取り、UEにより、PDCCHスケジューリング情報に従って、一時マルチキャストグループ識別子に対応するマルチキャストサービスに対応する周波数リソース及び変調方式を決定し、周波数リソース、変調方式及びマルチキャストサービスの伝送モードに従ってマルチキャストサービスを読み取ることである。
【００８０】
本開示の他の実施例では、マルチキャストサービスの設定情報は、一時マルチキャストグループ識別子及びマルチキャストサービスのスケジューリング情報を含み、UEにより、マルチキャストサービスの設定情報に従ってマルチキャストサービスを読み取る具体的な実現は、UEにより、マルチキャストサービスのスケジューリング情報に従って、一時マルチキャストグループ識別子に対応するマルチキャストサービスを読み取ることである。
【００８１】
具体的には、UEにより、マルチキャストサービスのスケジューリング情報に従って、一時マルチキャストグループ識別子に対応するマルチキャストサービスを読み取る具体的な実現は、UEにより、マルチキャストサービスのスケジューリング情報に従って、マルチキャストサービスに対応する周波数リソース、時間リソース、変調方式、符号化方式等を決定し、マルチキャストサービスを更に読み取ることである。
【００８２】
任意選択で、マルチキャストサービスの設定情報は、一時マルチキャストグループ識別子、マルチキャストサービスのスケジューリング情報及びマルチキャストサービスの伝送モードを含み、UEにより、マルチキャストサービスの設定情報に従ってマルチキャストサービスを読み取る具体的な実現は、UEにより、マルチキャストサービスのスケジューリング情報及びマルチキャストサービスの伝送モードに従って、一時マルチキャストグループ識別子に対応するマルチキャストサービスを読み取ることである。
【００８３】
具体的には、UEにより、マルチキャストサービスのスケジューリング情報及びマルチキャストサービスの伝送モードに従って、一時マルチキャストグループ識別子に対応するマルチキャストサービスを読み取る具体的な実現は、UEにより、マルチキャストサービスのスケジューリング情報に従って、マルチキャストサービスに対応する周波数リソース、時間リソース、変調方式、符号化方式等を決定し、マルチキャストサービスを更に読み取ることである。
【００８４】
本開示のこの実施例では、ユーザ装置UEは、MCCH設定情報を決定し、設定情報は、MCCH-RNTI及びMCCH送信周期情報を含み、UEは、MCCH送信周期情報に従ってMCCH送信時間情報を決定し、UEは、MCCH-RNTIを使用することによりMCCH送信時間情報に従ってMCCHメッセージを読み取り、MCCHメッセージは、マルチキャストサービスの設定情報を含み、UEは、マルチキャストサービスの設定情報に従ってマルチキャストサービスを読み取ることが習得できる。本開示のこの実施例では、UEは、MCCH-RNTIを設定することによりサブフレーム内のMCCHを識別する。したがって、MCCHは、いずれかのサブフレームで伝送でき、MBSFNサブフレームのみで伝送されることに限定されず、それにより、他の非MBSFNサブフレームもまた、MCCHを伝送するために使用できる。したがって、MCCHはMBSFNサブフレームで全て伝送されなくてもよく、それにより、いくつかのMBSFNサブフレームは、MCCHを伝送するために使用されなくてもよいが、UEに関係するMBSFNサービスデータを伝送するために全て使用され、それにより、MBSFNサブフレームの浪費を低減する。
【００８５】
任意選択で、UEにより、MCCH設定情報を決定した後に、図１に示すマルチキャストサービス読み取り方法は、
MCCHが変化したとUEが決定した場合、UEにより、MCCH設定情報に従ってMCCHメッセージを再び読み取ることを更に含む。
【００８６】
UEにより、MCCH設定情報に従ってMCCHメッセージを再び読み取る具体的な実現は、UEにより、MCCH設定情報に従って、MCCHが変化したと決定された現在のMCCH変更周期においてMCCHメッセージを再び読み取ること、又はUEにより、MCCH設定情報に従って、MCCHが変化したと決定された現在のMCCH変更周期の次のMCCH変更周期においてMCCHメッセージを再び読み取ることである。
【００８７】
任意選択で、UEにより、MCCH設定情報に従ってMCCHメッセージを再び読み取る前に、図１に示すマルチキャストサービス読み取り方法は、
UEにより、MCCHのMCCH変更周期を決定し、UEにより、PDCCH又はEPDCCH上でMCCH変更識別子を取得するために、MCCH-RNTIに従ってMCCH変更周期においてPDCCH又はEPDCCHを読み取り、変更識別子は、以下の変更識別子、すなわち、PDCCH又はEPDCCHの変更識別子フィールド内の変更識別子、NDI、プロセス番号、又はNDIとプロセス番号との組み合わせのうちいずれか１つを含み、UEにより、MCCH変更識別子に従って、MCCHが変化したか否かを決定し、MCCH変更識別子が前の変更周期における変更識別子と異なる場合、UEにより、MCCHが変化したと決定すること、又はMCCH変更識別子が第１の予め設定された値と同じである場合、UEにより、MCCHが変化したと決定することを更に含む。
【００８８】
任意選択で、UEにより、MCCH設定情報に従ってMCCHメッセージを再び読み取る前に、図１に示すマルチキャストサービス読み取り方法は、
UEにより、MCCHのMCCH変更周期及びMCCH変更周期に対応するM-RNTIを決定し、UEにより、非MBSFNサブフレーム内で、M-RNTIに対応するPDCCH上に含まれる変更通知フィールドを読み取り、変更通知フィールド内のMCCHに対応するビット値が第２の予め設定された値と同じである場合、UEにより、MCCHが変化したと決定することを更に含む。
【００８９】
UEにより、MCCHのMCCH変更周期を決定する具体的な実現は、MCCH送信周期情報が１つのみのMCCH変更周期を含む場合、UEにより、MCCH変更周期をMCCH変更周期として決定すること、又はMCCH送信周期情報が複数のMCCH変更周期を含み、各MCCH変更周期がMCCH変更周期に対応する周期選択パラメータを有する場合、UEにより、MCCH周期選択パラメータ及びUEにより読み取られる必要のあるマルチキャストサービスに従ってMCCH変更周期を決定すること、又はMCCH設定情報が複数のMCCHを含み、各MCCHが複数のMCCH変更周期を有し、各MCCHがMCCHに対応するMCCH選択パラメータを有する場合、UEにより、MCCH選択パラメータ及びUEにより読み取られる必要のあるマルチキャストサービスに従って、読み取られる必要のあるMCCHを決定し、UEにより、MCCH周期選択パラメータ及びUEにより読み取られる必要のあるマルチキャストサービスに従ってMCCH変更周期を決定することでもよい。
【００９０】
図２を参照すると、図２は、本開示の実施例によるマルチキャストサービス受信及び送信方法のフローチャートである。図２に示すように、本開示のこの実施例によるマルチキャストサービス受信及び送信方法のフローチャートは、ステップS201〜S204を含んでもよい。
【００９１】
S201：基地局は、MCCH設定情報を決定し、MCCH設定情報は、MCCH-RNTI及びMCCH送信周期情報を含む。
【００９２】
S202：基地局は、MCCH送信周期情報に従ってMCCH送信時間情報を決定する。
【００９３】
本開示のこの実施例では、基地局により、MCCH送信周期情報に従ってMCCH送信時間情報を決定する具体的な実現は、基地局により、MCCH繰り返し周期及びMCCHを送信するためのオフセットパラメータに従って、MCCHを送信する時間に対応するサブフレーム位置を決定することである。
【００９４】
本開示の実施例では、各MCCH繰り返し周期内に、MCCHを送信するための１つのみのサブフレームが存在する場合、基地局により、MCCH繰り返し周期及びMCCHを送信するためのオフセットパラメータに従って、MCCHを送信する時間に対応するサブフレーム位置を決定する具体的な実現は、基地局により、システムフレーム番号、サブフレーム番号、MCCH繰り返し周期及びMCCHを送信するためのオフセットパラメータに従って、MCCHを送信する時間に対応するサブフレーム位置を決定することである。
【００９５】
本開示の他の実施例では、各MCCH繰り返し周期内に、MCCHを送信するための複数の候補サブフレームが存在する場合、基地局により、MCCH繰り返し周期及びMCCHを送信するためのオフセットパラメータに従って、MCCH送信時間情報に対応するサブフレーム位置を決定する具体的な実現は、基地局により、システムフレーム番号、MCCH繰り返し周期及びMCCHのオフセットパラメータに従って、MCCHを送信する時間に対応するサブフレーム位置セットを決定することである。
【００９６】
S203：基地局は、MCCH-RNTIを使用することによりMCCH送信時間情報に従ってMCCHメッセージを送信し、MCCHメッセージは、マルチキャストサービスの設定情報を含む。
【００９７】
本開示のこの実施例では、基地局により、MCCH-RNTIを使用することによりMCCH送信時間情報に従ってMCCHメッセージを送信する具体的な実現は、基地局により、MCCH-RNTIを使用することにより、MCCHを送信する時間に対応するサブフレーム位置で物理下りリンク制御チャネルPDCCH又は拡張物理下りリンク制御チャネルEPDCCHを送信し、基地局により、PDCCH又はEPDCCH上の指定のMCCHメッセージリソース位置でMCCHメッセージを送信することである。
【００９８】
S204：基地局は、マルチキャストサービスの設定情報に従ってマルチキャストサービスを送信する。
【００９９】
本開示のこの実施例では、マルチキャストサービスの設定情報は、以下の情報、すなわち、一時マルチキャストグループ識別子（例えば、TMGI）、マルチキャストサービスをスケジューリングするためのG-RNTI、マルチキャストサービスのスケジューリング情報又はマルチキャストサービスの伝送モードTM（例えば、TM1：単一アンテナモード、TM2：送信ダイバーシチモード又はTM3：開ループ・マルチプルインプット・マルチプルアウトプット・モード）のうち少なくとも１つを含む。
【０１００】
本開示の実施例は、基地局により、マルチキャストサービスの設定情報に従ってマルチキャストサービスを送信する具体的な実現は、基地局により、マルチキャストサービスをスケジューリングするためのG-RNTIに従って、一時マルチキャストグループ識別子に対応するマルチキャストサービスを送信することである。
【０１０１】
基地局により、マルチキャストサービスをスケジューリングするためのG-RNTIに従って、一時マルチキャストグループ識別子に対応するマルチキャストサービスを送信する具体的な実現は、基地局により、マルチキャストサービスのG-RNTIに従ってPDCCHスケジューリング情報又はE-PDCCHスケジューリング情報をUEに送信し、PDCCHスケジューリング情報又はE-PDCCHスケジューリング情報は、周波数リソース及び変調方式を搬送し、周波数リソース及び変調方式に従ってマルチキャストサービスを送信することである。
【０１０２】
任意選択で、マルチキャストサービスをスケジューリングするためのG-RNTI及び一時マルチキャストグループ識別子は、MCEにより基地局に送信される。具体的な実現は、基地局により、MCEにより基地局に送信された識別子設定情報を受信し、識別子設定情報は、マルチキャストサービス有効通知であり、マルチキャストサービス有効通知は、マルチキャスト伝送のサービスの一時マルチキャストグループ識別子及びマルチキャストサービスをスケジューリングするためのG-RNTIを搬送し、基地局により、マルチキャストサービス有効通知に従って、マルチキャストサービスを読み取るために使用される、マルチキャストサービスをスケジューリングするためのG-RNTI及び一時マルチキャストグループ識別子を決定することである。MCEは、マルチキャストサービスをスケジューリングするためのG-RNTI及び一時マルチキャストグループ識別子を基地局に送信し、それにより、UEがマルチキャストサービスをスケジューリングするための同じG-RNTI及び同じ一時マルチキャストグループ識別子を読み取ることを確保する。
【０１０３】
本開示の他の実施例では、基地局により、マルチキャストサービスの設定情報に従ってマルチキャストサービスを送信する具体的な実現は、基地局により、マルチキャストサービスのG-RNTIに従ってPDCCHスケジューリング情報又はE-PDCCHスケジューリング情報をUEに送信し、PDCCHスケジューリング情報又はE-PDCCHスケジューリング情報は、周波数リソース及び変調方式を搬送し、周波数リソース、変調方式及びマルチキャストサービスの伝送モードに従ってマルチキャストサービスを送信することである。
【０１０４】
本開示の他の実施例では、基地局により、マルチキャストサービスの設定情報に従ってマルチキャストサービスを送信する具体的な実現は、基地局により、マルチキャストサービスのスケジューリング情報に従って、一時マルチキャストグループ識別子に対応するマルチキャストサービスを送信することである。
【０１０５】
具体的には、基地局は、マルチキャストサービスのスケジューリング情報に従って、マルチキャストサービスに対応する周波数リソース、時間リソース、変調方式、符号化方式等を決定し、次に、マルチキャストサービスに対応する周波数リソース、時間リソース、変調方式、符号化方式等に従ってマルチキャストサービスを送信する。
【０１０６】
本開示の他の実施例では、基地局により、マルチキャストサービスの設定情報に従ってマルチキャストサービスを送信する具体的な実現は、基地局により、マルチキャストサービスのスケジューリング情報及びマルチキャストサービスの伝送モードに従って、一時マルチキャストグループ識別子に対応するマルチキャストサービスを送信することである。
【０１０７】
本開示のこの実施例では、基地局は、MCCH設定情報を決定し、MCCH設定情報は、MCCH-RNTI及びMCCH送信周期情報を含み、基地局は、MCCH送信周期情報に従ってMCCH送信時間情報を決定し、基地局は、MCCH-RNTIを使用することによりMCCH送信時間情報に従ってMCCHメッセージを送信し、MCCHメッセージは、マルチキャストサービスの設定情報を含み、基地局は、マルチキャストサービスの設定情報に従ってマルチキャストサービスを送信することが習得できる。本開示のこの実施例では、UEは、MCCH-RNTIを設定することによりサブフレーム内のMCCHを識別する。したがって、MCCHは、いずれかのサブフレームで伝送でき、MBSFNサブフレームのみで伝送されることに限定されず、それにより、他の非MBSFNサブフレームもまた、MCCHを伝送するために使用できる。したがって、MCCHはMBSFNサブフレームで全て伝送されなくてもよく、それにより、いくつかのMBSFNサブフレームは、MCCHを伝送するために使用されなくてもよいが、UEに関係するMBSFNサービスデータを伝送するために全て使用され、それにより、MBSFNサブフレームの浪費を低減する。
【０１０８】
任意選択で、基地局により、MCCH設定情報を決定した後に、図２に示すマルチキャストサービス送信方法は、
MCCHが変化したと基地局が決定した場合、基地局により、MCCHの変更通知を送信し、
基地局により、MCCH設定情報に従ってMCCHメッセージを再送信することを更に含む。
【０１０９】
任意選択で、基地局により、MCCHの変更通知を送信する具体的な実現は、基地局により、MCCHのMCCH変更周期を決定し、基地局により、MCCH-RNTIに従ってMCCH変更周期においてPDCCH又はEPDCCH上で変更識別子を送信し、変更識別子は、NDI及び／又はプロセス番号を含むことである。変更識別子は、前の変更周期における変更識別子と異なるか、或いは変更識別子は、第１の予め設定された値の変更識別子である。
【０１１０】
任意選択で、基地局により、MCCHの変更通知を送信する具体的な実現は、基地局により、MCCHのMCCH変更周期及びMCCH変更周期に対応するM-RNTIを決定し、基地局により、MCCHに対応する変更通知フィールド内のビット値を送信し、ビット値は、第２の予め設定された値と同じであり、MCCHに対応する変更通知フィールドは、非MBSFNサブフレーム内のM-RNTIに対応するPDCCH上に含まれる変更通知フィールドであることである。
【０１１１】
任意選択で、基地局により、MCCH設定情報に従ってMCCHメッセージを再送信することは、基地局により、MCCH設定情報に従って、MCCHが変化したと決定された現在のMCCH変更周期においてMCCHメッセージを再送信すること、又は基地局により、MCCH設定情報に従って、MCCHが変化したと決定された現在のMCCH変更周期の次のMCCH変更周期においてMCCHメッセージを再送信することを含む。
【０１１２】
任意選択で、基地局により、MCCHのMCCH変更周期を決定することは、
MCCH送信周期情報が１つのみのMCCH変更周期を含む場合、基地局により、MCCH変更周期をMCCH変更周期として決定すること、又はMCCH送信周期情報が複数のMCCH変更周期を含み、各MCCH変更周期がMCCH変更周期に対応する周期選択パラメータを有する場合、基地局により、MCCH周期選択パラメータ及び基地局により送信される必要のあるマルチキャストサービスに従ってMCCH変更周期を決定すること、又はMCCH設定情報が複数のMCCHを含み、各MCCHが複数のMCCH変更周期を有し、各MCCHがMCCHに対応するMCCH選択パラメータを有する場合、基地局により、MCCH選択パラメータ及び基地局により送信される必要のあるマルチキャストサービスに従って、送信される必要のあるMCCHを決定し、基地局により、MCCH周期選択パラメータ及び基地局により送信される必要のあるマルチキャストサービスに従ってMCCH変更周期を決定することを含む。
【０１１３】
任意選択で、基地局により、MCCH設定情報を決定した後に、図２に示すマルチキャストサービス送信方法は、基地局により、システムブロードキャストメッセージをUEに送信し、メッセージは、MCCH設定情報を搬送し、それにより、UEは、MCCH設定情報に従ってMCCHメッセージを読み取ることを更に含む。
【０１１４】
本開示の実施例の理解を容易にするために、本開示の実施例におけるネットワークアーキテクチャについて、まず以下に説明する。図３を参照すると、図３は、本開示の実施例によるネットワークアーキテクチャの概略図である。図３に示すように、本開示のこの実施例におけるネットワークアーキテクチャは、UE及び基地局を含んでもよい。基地局は、MCCH設定情報に従ってMCCH送信時間情報を決定し、MCCH-RNTIを使用することによりMCCH送信時間情報に従ってMCCHメッセージを送信し、MCCHメッセージは、マルチキャストサービスの設定情報を含む。次に、基地局は、マルチキャストサービスの設定情報に従ってマルチキャストサービスを送信する。UEは、MCCH設定情報に従ってMCCH送信時間情報を決定し、MCCH-RNTIを使用することによりMCCH送信時間情報に従ってMCCHメッセージを読み取り、MCCHメッセージは、マルチキャストサービスの設定情報を含む。次に、UEは、マルチキャストサービスの設定情報に従ってマルチキャストサービスを読み取る。
【０１１５】
図３に示すネットワークアーキテクチャでは、UEは、MCCH-RNTIを設定することによりサブフレーム内のMCCHを識別する。したがって、MCCHは、いずれかのサブフレームで伝送でき、MBSFNサブフレームのみで伝送されることに限定されず、それにより、他の非MBSFNサブフレームもまた、MCCHを伝送するために使用できる。したがって、MCCHはMBSFNサブフレームで全て伝送されなくてもよく、それにより、いくつかのMBSFNサブフレームは、MCCHを伝送するために使用されなくてもよいが、UEに関係するMBSFNサービスデータを伝送するために全て使用され、それにより、MBSFNサブフレームの浪費を低減する。
【０１１６】
図３に示すネットワークアーキテクチャに基づいて、本開示の実施例は、マルチキャストサービス受信及び送信方法を開示する。図４を参照すると、図４は、本開示のこの実施例によるマルチキャストサービス受信及び送信方法のフローチャートである。図４に示すように、本開示のこの実施例によるマルチキャストサービス受信及び送信方法は、ステップS401〜S408を含んでもよい。
【０１１７】
S401：基地局は、MCCH設定情報を決定し、MCCH設定情報は、MCCH-RNTI及びMCCH送信周期情報を含む。
【０１１８】
S402：基地局は、MCCH送信周期情報に従ってMCCH送信時間情報を決定する。
【０１１９】
S403：基地局は、MCCH-RNTIを使用することによりMCCH送信時間情報に従ってMCCHメッセージを送信し、MCCHメッセージは、マルチキャストサービスの設定情報を含む。
【０１２０】
S404：基地局は、マルチキャストサービスの設定情報に従ってマルチキャストサービスをUEに送信する。
【０１２１】
S405：UEは、MCCH設定情報を決定し、MCCH設定情報は、MCCH-RNTI及びMCCH送信周期情報を含む。
【０１２２】
S406：UEは、MCCH送信周期情報に従ってMCCH送信時間情報を決定する。
【０１２３】
S407：UEは、MCCH-RNTIを使用することによりMCCH送信時間情報に従ってMCCHメッセージを読み取り、MCCHメッセージは、マルチキャストサービスの設定情報を含む。
【０１２４】
S408：UEは、マルチキャストサービスの設定情報に従って、基地局によりUEに送信されたマルチキャストサービスを読み取る。
【０１２５】
本開示のこの実施例では、ステップS404における設定情報は、ステップS401の後に基地局によりUEに送信されてもよく、或いはUE及び基地局により予め定義されてもよい（例えば、プロトコルを使用することによりUE及び基地局により合意されたMCCH設定情報）。或いは、ステップS404における設定情報の一部がステップS401の後に基地局によりUEに送信され、設定情報の一部がUE及び基地局により予め定義される。
【０１２６】
本開示のこの実施例では、ステップS402及びステップS406におけるMCCH送信時間情報を決定する具体的な実現は以下の通りである。
【０１２７】
各MCCH繰り返し周期内に、MCCHを送信するための１つのみのサブフレームが存在する場合、UE／基地局により、MCCH繰り返し周期及びMCCHを送信するためのオフセットパラメータに従って、MCCHを送信する時間に対応するサブフレーム位置を決定する具体的な実現は、UE／基地局により、システムフレーム番号、サブフレーム番号、MCCH繰り返し周期及びMCCHを送信するためのオフセットパラメータに従って、MCCH送信時間情報に対応するサブフレーム位置を決定することでもよい。
【０１２８】
具体的には、UE／基地局は、式{[(SFN*10)+subframe  number]  modulo  (R*10)=S}に従って、MCCHを送信するためのサブフレーム位置を決定し、SFNはシステムフレーム番号であり、subframe  numberはサブフレーム番号であり、RはMCCH繰り返し周期であり、SはMCCHのオフセットパラメータである。
【０１２９】
例えば、図５に示すように、MCCH繰り返し周期Rは2に等しく、MCCHのオフセットパラメータSは3に等しい。式{[(SFN*10)+subframe  number]  modulo  (R*10)=S}に従って、SFN=2である場合、2*10+mod20=3であり、式が満たされる。SFN=4である場合、4*10+mod20=3であり、式が満たされる。SFN=5である場合、5*10+mod20=13であり、式が満たされない。SFN=6である場合、6*10+mod20=3であり、式が満たされ、以下同様である。したがって、SFNが2、4、6等であるフレームの第３のサブフレームは、MCCHを送信する条件を満たすことが取得できる。したがって、SFNが2、4、6等であるフレームの第３のサブフレームは、MCCHを送信する時間に対応するサブフレーム位置である。
【０１３０】
各MCCH繰り返し周期内に、MCCHを送信するための複数の候補サブフレームが存在する場合、UE／基地局により、MCCH繰り返し周期及びMCCHを送信するためのオフセットパラメータに従って、MCCHを送信する時間に対応するサブフレーム位置を決定する具体的な実現は、UE／基地局により、システムフレーム番号、MCCH繰り返し周期及びMCCHのオフセットパラメータに従って、MCCHを送信する時間に対応するサブフレーム位置セットを決定することでもよい。
【０１３１】
具体的には、UE／基地局は、式{(SFNs  modulo  (R)=S}に従って、MCCHを送信するためのサブフレーム位置を決定し、SFNsはいずれかのシステムフレーム番号であり、RはMCCH繰り返し周期であり、SはMCCHのオフセットパラメータである。
【０１３２】
例えば、図６に示すように、MCCH繰り返し周期Rは2に等しく、MCCHのオフセットパラメータSは1に等しい。式{(SFNs  modulo  (R)=S}に従って、SFNs=3である場合、3mod2=1であり、式が満たされる。SFNs=4である場合、4mod2=0であり、式が満たされない。SFNs=7である場合、7mod2=1であり、式が満たされる。SFNs=9である場合、9mod2=1であり、式が満たされ、以下同様である。したがって、SFNが3、7、9等であるフレームは、MCCHを送信する条件を満たすことが取得できる。すなわち、SFNが3、7、9等であるフレームに含まれるサブフレームは、MCCHを送信するために全て使用されてもよい。この場合、UEは、MCCH-RNTIを使用することにより、それらのフレームの全てのサブフレームを検出する必要があり、それにより、MCCHメッセージを送信するためのサブフレームを決定するのを助ける。式{(SFNs  modulo  (R)=S}を満たすフレームは、MCCHを送信する時間に対応するサブフレーム位置セットである。
【０１３３】
各MCCH繰り返し周期内に、MCCHを送信するための１つ以上のサブフレームが存在する場合、UE／基地局により、MCCH繰り返し周期及びMCCHを送信するためのオフセットパラメータに従って、MCCHを送信する時間に対応するサブフレーム位置を決定する具体的な実現は、UE／基地局により、システムフレーム番号、MCCH繰り返し周期及びMCCHのオフセットパラメータに従って、MCCHを送信するフレームを決定し、UE／基地局により、MCCHサブフレームセット設定情報及びMCCHのフレームに従って、MCCH送信時間情報に対応するサブフレーム位置セットを決定することでもよい。
【０１３４】
任意選択で、MCCHサブフレームセット設定情報は、MCCHサブフレーム系列を含む。或いは、MCCHサブフレームセット設定情報は、MCCHサブフレーム開始位置を含む。或いは、MCCHサブフレームセット設定情報は、MCCHサブフレーム開始位置及び送信持続時間情報を含む。
【０１３５】
任意選択で、UEについて、MCCHサブフレームセット設定情報は、MCCH設定シグナリングを使用することにより、基地局によりUEに送信されてもよく、或いは予め定義されてもよい。これは、開示において限定されない。MCCH設定シグナリングは、システムブロードキャストメッセージ又はUEの専用シグナリングでもよい。
【０１３６】
任意選択で、基地局について、MCCHサブフレームセット設定情報は、基地局により、送信対象のMCCHのサブフレーム情報に従って決定される。
【０１３７】
送信対象のMCCHのサブフレーム情報は、送信対象のMCCHのサブフレーム位置を含み、MCCHサブフレームセット設定情報は、MCCHサブフレーム系列を含み、MCCHサブフレーム系列は、基地局により送信対象のMCCHのサブフレーム位置に従って決定される。或いは、送信対象のMCCHのサブフレーム情報は、送信対象のMCCHのサブフレームの数量を含み、送信対象のMCCHの１つのサブフレームが存在する場合、MCCHサブフレームセット設定情報は、MCCHサブフレーム開始位置を含むか、或いは送信対象のMCCHの複数のサブフレームが存在する場合、MCCHサブフレームセット設定情報は、MCCHサブフレーム開始位置及び送信持続時間情報を含む。
【０１３８】
任意選択で、UE／基地局により、システムフレーム番号、MCCH繰り返し周期及びMCCHのオフセットパラメータに従って、MCCHのフレームを決定する具体的な実現は、UE／基地局により、式{(SFNs  modulo  (R)=S}に従って、MCCHを送信するためのフレームを決定し、SFNsはシステムフレーム番号であり、RはMCCH繰り返し周期であり、SはMCCHのオフセットパラメータであることである。式を満たすSFNに対応するシステムフレームは、MCCHを送信するためのシステムフレームである。
【０１３９】
任意選択で、MCCHサブフレーム系列は、ビットマップ系列又はサブフレームセット系列である。UEにより、MCCHを送信するためのフレーム、ビットマップ系列内の各ビットの値及びビットマップ系列内の各ビットに対応するサブフレーム番号に従って、MCCH送信時間情報に対応するサブフレーム位置セットを決定する具体的な実現は、ビットマップ系列内の各ビットが１つのサブフレームに対応しており、ビットマップ系列内の各ビットの値が、対応するサブフレームがMCCHを送信するために使用されるか否かを識別することである。例えば、ビットマップ系列は10ビットを含み、第１〜第１０ビットはサブフレーム0〜9にそれぞれ対応している。具体的には、例えば、ビットマップ系列は001100000であり、サブフレーム2及びサブフレーム3がMCCHを送信するために使用され、残りのサブフレームがMCCHを送信するために使用されないことを示す。サブフレームセット系列は、サブフレームにより形成されたセットである。例えば、サブフレームセット系列がサブフレーム2、3及び4を含む場合、それは、サブフレーム2、3及び4がMCCHを送信するために使用され、残りのサブフレームがMCCHを送信するために使用されないことを示す。
【０１４０】
MCCHサブフレーム開始位置は、MCCHを送信するための開始サブフレームを示すために使用され、送信持続時間情報は、MCCHを送信するために必要とされるサブフレームの総数量、又は開始サブフレーム以外のMCCHを送信するために必要とされるサブフレームの総数量を示すために使用される。
【０１４１】
UE／基地局により、MCCHサブフレーム開始位置に従って、MCCHを送信するための開始サブフレームを決定し、MCCHを送信する開始サブフレーム及び送信持続時間情報に従って、MCCHを送信するための全てのサブフレームを決定する具体的な実現は、
基地局について、MCCHが１つのサブフレーム内で完全に送信できる場合、基地局により、MCCHサブフレームセット設定情報においてMCCHを送信するための開始サブフレームを設定し、送信持続時間情報を設定せず、MCCHを送信するための開始サブフレーム内でMCCHを送信すること、又はMCCHが１つのサブフレーム内で完全に送信できない場合、基地局により、MCCHサブフレームセット設定情報においてMCCHを送信するための開始サブフレームを設定し、送信持続時間情報を設定し、基地局により、開始サブフレーム及び送信持続時間に従って、MCCHを送信するためのサブフレームを決定し、具体的な決定方法は、UEにより実行される決定方法と同じであることであり、
UEについて、MCCHサブフレームセット設定情報が送信持続時間情報を含む場合、UEにより、送信持続時間情報に従って、MCCHを送信するためのサブフレームの総数量を決定し、UEにより、MCCHを送信するためのサブフレームの総数量及びMCCHを送信するための開始サブフレームに従って、MCCHを送信するための全てのサブフレームを決定するか、或いはUEにより、MCCHを送信するためのサブフレームの総数量、MCCHを送信するための開始サブフレーム及びMBSFNサブフレーム設定に従って、MCCHを送信するための全てのサブフレームを決定すること、又はMCCHサブフレームセット設定情報が送信持続時間情報を含まない場合、UE／基地局により、MCCHを送信するための１つのサブフレームが存在することを決定し、サブフレームは、MCCHを送信するための開始サブフレームであることである。
【０１４２】
例えば、MCCHサブフレーム開始位置がサブフレーム3であり、且つ持続時間が３つのサブフレームであることをMCCHサブフレームセット設定情報が含む場合、UE／基地局は、MCCHを送信するためのサブフレームがサブフレーム3、4及び5又はサブフレーム3、4、5及び6であると決定する。他の例では、MCCHサブフレーム開始位置がサブフレーム3であり、且つ持続時間が３つのサブフレームであることをMCCHサブフレームセット設定情報が含み、サブフレーム4及び5がMBSFNサブフレームであることをMBSFNサブフレーム設定が示す場合、UE／基地局は、MCCHを送信するためのサブフレームが、サブフレーム3から始まる３つの連続する非MBSFNサブフレーム3、6及び7であると決定する。他の例では、MCCHサブフレーム開始位置がサブフレーム3であり、且つ持続時間情報が存在しないことをMCCHサブフレームセット設定情報が含む場合、UE／基地局は、MCCHを送信するためのサブフレームがサブフレーム3であると決定する。
【０１４３】
任意選択で、UE／基地局は、更に、MCCHサブフレームセット設定情報に従って開始サブフレームを決定し、開始サブフレームをMCCH変更通知のサブフレームとして使用してもよい。或いは、UE／基地局は、更に、MCCHサブフレームセット設定情報に従って、MCCHを送信するための全てのサブフレームを決定し、MCCHを送信するための全てのサブフレーム内のいずれかのサブフレームをMCCH変更通知のサブフレームとして使用してもよい。
【０１４４】
具体的には、MCCHサブフレームセット設定情報は、開始サブフレーム位置を含み、UE／基地局は、開始サブフレーム位置に従って開始サブフレームを決定し、開始サブフレームをMCCH変更通知のサブフレームとして使用してもよい。或いは、UE／基地局は、MCCHサブフレームセット設定情報に従ってMCCHサブフレーム位置セットを決定してもよく、UE／基地局は、MCCHサブフレーム位置セットに従って、MCCHを送信するための全てのサブフレームを決定し、MCCHを送信するための全てのサブフレーム内のいずれかのサブフレームをMCCH変更通知のサブフレームとして使用してもよい。
【０１４５】
本開示のこの実施例では、ユーザ装置UEは、MCCH設定情報を決定し、設定情報は、MCCH-RNTI及びMCCH送信周期情報を含み、UEは、MCCH送信周期情報に従ってMCCH送信時間情報を決定し、UEは、MCCH-RNTIを使用することによりMCCH送信時間情報に従ってMCCHメッセージを読み取り、MCCHメッセージは、マルチキャストサービスの設定情報を含み、UEは、マルチキャストサービスの設定情報に従ってマルチキャストサービスを読み取ることが習得できる。本開示のこの実施例では、UEは、MCCH-RNTIを設定することによりサブフレーム内のMCCHを識別する。したがって、MCCHは、いずれかのサブフレームで伝送でき、MBSFNサブフレームのみで伝送されることに限定されず、それにより、他の非MBSFNサブフレームもまた、MCCHを伝送するために使用できる。したがって、MCCHはMBSFNサブフレームで全て伝送されなくてもよく、それにより、いくつかのMBSFNサブフレームは、MCCHを伝送するために使用されなくてもよいが、UEに関係するMBSFNサービスデータを伝送するために全て使用され、それにより、MBSFNサブフレームの浪費を低減する。
【０１４６】
任意選択で、MCCHが変化したことを基地局が検出した場合、基地局は、MCCHの変更通知を送信し、MCCH設定情報に従ってMCCHメッセージを再送信する。MCCHが変化したと決定したとき、UEは、MCCH設定情報に従ってMCCHメッセージを再び読み取る。
【０１４７】
本開示のこの実施例では、UEにより、MCCHが変化したと決定する具体的な実現は以下の通りである。
【０１４８】
UEは、MCCHのMCCH変更周期を決定し、UEは、PDCCH又はEPDCCH上でMCCH変更識別子を取得するために、MCCH-RNTIに従ってMCCH変更周期においてPDCCH又はEPDCCHを読み取り、変更識別子は、以下の変更識別子、すなわち、PDCCH又はEPDCCHの変更識別子フィールド内の変更識別子、NDI、プロセス番号、又はNDIとプロセス番号との組み合わせのうちいずれか１つを含み、UEは、MCCH変更識別子に従って、MCCHが変化したか否かを決定し、MCCH変更識別子が前の変更周期における変更識別子と異なる場合、UEは、MCCHが変化したと決定するか、或いはMCCH変更識別子が第１の予め設定された値と同じである場合、UEは、MCCHが変化したと決定する。
【０１４９】
例えば、変更識別子がNDIである場合、且つUEにより取得されたNDIが1であり、前の変更周期におけるNDIが0である場合、UEは、MCCHが変化したと決定する。他の例では、変更識別子がプロセス番号HARQである場合、且つUEにより取得されたプロセス番号HARQが1であり、第１の予め設定された値が1〜7である場合、UEは、MCCHが変化したと決定する。他の例では、変更識別子は、PDCCH又はEPDCCHの変更識別子フィールド内の変更識別子であり、且つUEにより取得されたPDCCH又はEPDCCHの変更識別子フィールド内の変更識別子が1であり、前の変更周期におけるPDCCH又はEPDCCHの変更識別子フィールド内の変更識別子が0である場合、UEは、MCCHが変化したと決定する。他の例では、変更識別子がNDIとプロセス番号HARQとの組み合わせである場合、且つUEにより取得されたNDIとプロセス番号HARQとの組み合わせの値が1であり、第１の予め設定された値が1〜15である場合、UEは、MCCHが変化したと決定する。
【０１５０】
或いは、UEは、MCCHのMCCH変更周期及びMCCH変更周期に対応するM-RNTIを決定し、UEは、非MBSFNサブフレーム内で、M-RNTIに対応するPDCCH上に含まれる変更通知フィールドを読み取り、変更通知フィールド内のMCCHに対応するビット値が第２の予め設定された値と同じである場合、UEは、MCCHが変化したと決定する。
【０１５１】
例えば、変更通知フィールドは、８ビットを含む変更通知フィールドであり、各ビットは、１つのMCCHに対応する。ビット変更通知フィールド内のMCCHに対応するビット値が1であり、第２の予め設定された値が1である場合、UEは、MCCHが変化したと決定する。
【０１５２】
本開示のこの実施例では、UEにより、MCCHのMCCH変更周期を決定する具体的な実現は以下の通りである。
【０１５３】
MCCH送信周期情報が１つのみのMCCH変更周期を含む場合、UEは、MCCH変更周期をMCCH変更周期として決定するか、或いはMCCH送信周期情報が複数のMCCH変更周期を含み、各MCCH変更周期がMCCH変更周期に対応する周期選択パラメータを有する場合、UEは、MCCH周期選択パラメータ及びUEにより読み取られる必要のあるマルチキャストサービスに従ってMCCH変更周期を決定する。例えば、２つのMCCH変更周期が存在し、一方のMCCH変更周期に対応するマルチキャストサービスタイプは、低遅延サービスであり、他方のMCCHへの変更周期に対応するマルチキャストサービスタイプは、非低遅延サービスである。UEにより読み取られる必要のあるサービスが低遅延サービスである場合、UEは、低遅延サービスに対応する変更周期をMCCH変更周期として決定する。MCCH設定情報が複数のMCCHを含み、各MCCHが複数のMCCH変更周期を有し、各MCCHがMCCHに対応するMCCH選択パラメータを有する場合、UEは、MCCH選択パラメータ及びUEにより読み取られる必要のあるマルチキャストサービスに従って、読み取られる必要のあるMCCHを決定し、UEは、MCCH周期選択パラメータ及びUEにより読み取られる必要のあるマルチキャストサービスに従ってMCCH変更周期を決定する。例えば、MCCH設定情報が２つのMCCHを含み、MCCH1に対応するマルチキャストサービスタイプは、低遅延サービスであり、MCCH2に対応するマルチキャストサービスタイプは、非低遅延サービスである。UEにより読み取られる必要のあるサービスが低遅延サービスである場合、UEにより読み取られるMCCHはMCCH1である。MCCH1は、２つのMCCH変更周期を有し、一方のMCCH変更周期に対応するマルチキャストサービスタイプは、低遅延サービスであり、他方のMCCH変更周期に対応するマルチキャストサービスタイプは、非低遅延サービスである。UEにより読み取られる必要のあるサービスが低遅延サービスである場合、UEは、低遅延サービスに対応する変更周期をMCCH変更周期として決定する。
【０１５４】
本開示のこの実施例では、MCCHが変化したとUEが決定した場合、UEは、MCCH設定情報に従ってMCCHメッセージを再び読み取る。UEは、MCCH設定情報に従って、MCCHが変化したと決定された現在のMCCH変更周期においてMCCHメッセージを再び読み取る。図６に示すように、UEにより最初に読み取られるNDIは0に等しく、次の変更周期において読み取られるNDIは1に等しく、UEは、MCCHメッセージが変化したと決定し、現在の変更周期において新たなMCCHを読み取り始める。或いは、UEは、MCCH設定情報に従って、MCCHが変化したと決定された現在のMCCH変更周期の次のMCCH変更周期においてMCCHメッセージを再び読み取る。図７に示すように、UEにより最初に読み取られるNDIは0に等しく、次の変更周期において読み取られるNDIは1に等しく、UEは、MCCHメッセージが変化する予定であると決定し、現在の変更周期の次の変更周期において新たなMCCHを読み取り始める。
【０１５５】
本開示のこの実施例では、基地局により、MCCHの変更通知を送信する具体的な実現は、
基地局により、MCCHのMCCH変更周期を決定し、MCCH-RNTIに従ってMCCH変更周期においてPDCCH又はEPDCCH上で変更識別子を送信し、変更識別子は、NDI及び／又はプロセス番号を含み、変更識別子は、前の変更周期における変更識別子と異なるか、或いは変更識別子は、第１の予め設定された値の変更識別子であり、変更識別子は、UEにより決定された変更識別子と同じであり、詳細はここでは再び説明しないこと、又は
基地局により、MCCHのMCCH変更周期及びMCCH変更周期に対応するM-RNTIを決定し、MCCHに対応する変更通知フィールド内のビット値を送信し、ビット値は、第２の予め設定された値と同じであり、MCCHに対応する変更通知フィールドは、非MBSFNサブフレーム内のM-RNTIに対応するPDCCH上に含まれる変更通知フィールドであることである。
【０１５６】
本開示のこの実施例では、基地局により、MCCHのMCCH変更周期を決定する具体的な実現は、UEにより、MCCHのMCCH変更周期を決定する具体的な実現と同じである。具体的な実現プロセスについては、UEにより、MCCHのMCCH変更周期を決定する具体的な実現プロセスを参照し、詳細はここでは再び説明しない。
【０１５７】
本開示のこの実施例では、MCCHが変化したと基地局が決定した場合、基地局は、MCCH設定情報に従ってMCCHメッセージを再送信する。基地局は、MCCH設定情報に従って、MCCHが変化したと決定された現在のMCCH変更周期においてMCCHメッセージを再送信する。図７に示すように、最初のNDIは0に等しく、次の変更周期において基地局により送信されるNDIは1に等しく、基地局は、現在の変更周期において新たなMCCHを送信し始める。或いは、UEは、MCCH設定情報に従って、MCCHが変化したと決定された現在のMCCH変更周期の次のMCCH変更周期においてMCCHメッセージを再送信する。図８に示すように、最初に読み取られるNDIは0に等しく、次の変更周期において基地局により送信されるNDIは1に等しく、基地局は、現在の変更周期の次の変更周期において新たなMCCHを送信し始める。
【０１５８】
図９を参照すると、図９は、本開示の実施例によるユーザ装置UEの概略構成図である。UEは、
MCCH設定情報を決定するように構成された第１の決定ユニット901であり、MCCH設定情報は、MCCH-RNTI及びMCCH送信周期情報を含み、
MCCH設定情報は、予め定義された設定情報又はシステムブロードキャストメッセージを使用することにより基地局によりUEに送信される設定情報のうち少なくとも１つを含む第１の決定ユニット901と、
MCCH送信周期情報に従ってMCCH送信時間情報を決定するように構成された第２の決定ユニット902と
を含む。
【０１５９】
MCCH送信周期情報は、MCCH繰り返し周期及びMCCHを送信するためのオフセットパラメータを含み、第２の決定ユニット902は、MCCH繰り返し周期及びMCCHを送信するためのオフセットパラメータに従って、MCCHを送信する時間に対応するサブフレーム位置を決定するように具体的に構成される。
【０１６０】
各MCCH繰り返し周期内に、MCCHを送信するための１つのみのサブフレームが存在する場合、第２の決定ユニット902は、システムフレーム番号、サブフレーム番号、MCCH繰り返し周期及びMCCHを送信するためのオフセットパラメータに従って、MCCHを送信する時間に対応するサブフレーム位置を決定するように具体的に構成される。
【０１６１】
各MCCH繰り返し周期内に、MCCHを送信するための複数の候補サブフレームが存在する場合、第２の決定ユニット902は、システムフレーム番号、MCCH繰り返し周期及びMCCHのオフセットパラメータに従って、MCCHを送信する時間に対応するサブフレーム位置セットを決定するように具体的に構成される。
【０１６２】
第２の決定ユニット902は、システムフレーム番号、MCCH繰り返し周期及びMCCHのオフセットパラメータに従って、MCCHを送信するためのフレームを決定し、MCCHサブフレームセット設定情報及びMCCHを送信するためのフレームに従って、MCCH送信時間情報に対応するサブフレーム位置セットを決定するように具体的に構成される。
【０１６３】
MCCHサブフレームセット設定情報は、基地局によりUEに送信されるMCCH設定シグナリング内で搬送され、MCCH設定シグナリングは、システムブロードキャストメッセージ又はUEの専用シグナリングである。
【０１６４】
MCCHサブフレームセット設定情報は、MCCHサブフレーム系列を含むか、或いはMCCHサブフレームセット設定情報は、MCCHサブフレーム開始位置を含むか、或いはMCCHサブフレームセット設定情報は、MCCHサブフレーム開始位置及び送信持続時間情報を含む。
【０１６５】
MCCHサブフレーム系列は、ビットマップ系列であり、第２の決定ユニット902は、MCCHを送信するためのフレーム、ビットマップ系列内の各ビットの値及びビットマップ系列内の各ビットに対応するサブフレーム番号に従って、MCCH送信時間情報に対応するサブフレーム位置セットを決定するように具体的に構成される。
【０１６６】
MCCHサブフレームセット設定情報は、MCCHサブフレーム開始位置を含み、MCCH送信時間情報に対応するサブフレーム位置セットは、１つのサブフレームを含み、サブフレームは、MCCHサブフレーム開始位置に対応するサブフレームである。
【０１６７】
MCCHサブフレームセット設定情報は、MCCHサブフレーム開始位置及び送信持続時間情報を含み、第２の決定ユニット902は、
送信持続時間情報に従って、MCCHを送信するためのサブフレームの総数量を決定し、MCCHを送信するためのサブフレームの総数量及びMCCHを送信するための開始サブフレームに従って、MCCHを送信するための全てのサブフレームを決定するか、或いはMCCHを送信するためのサブフレームの総数量、MCCHを送信するための開始サブフレーム及びMBSFNサブフレーム設定に従って、MCCHを送信するための全てのサブフレームを決定するように具体的に構成される。
【０１６８】
任意選択で、図９に示すUEは、
MCCHサブフレームセット設定情報に従って開始サブフレームを決定し、開始サブフレームをMCCH変更通知のサブフレームとして使用するように構成された第３の決定ユニット、又は
MCCHサブフレームセット設定情報に従って、MCCHを送信するための全てのサブフレームを決定し、MCCHを送信するための全てのサブフレーム内のいずれかのサブフレームをMCCH変更通知のサブフレームとして使用するように構成された第４の決定ユニットと、
MCCH-RNTIを使用することによりMCCH送信時間情報に従ってMCCHメッセージを読み取るように構成された第１の読み取りユニット903であり、MCCHメッセージは、マルチキャストサービスの設定情報を含み、
MCCH-RNTIを使用することにより、MCCHを送信する時間に対応するサブフレーム位置で物理下りリンク制御チャネルPDCCH又は拡張物理下りリンク制御チャネルEPDCCHを読み取り、PDCCH又はEPDCCH上の指定のMCCHメッセージリソース位置でMCCHメッセージを読み取るように具体的に構成された第１の読み取りユニット903と、
マルチキャストサービスの設定情報に従ってマルチキャストサービスを読み取るように構成された第２の読み取りユニット904と
を更に含む。
【０１６９】
マルチキャストサービスの設定情報は、一時マルチキャストグループ識別子及びマルチキャストサービスをスケジューリングするためのG-RNTIを含み、第２の読み取りユニット904は、マルチキャストサービスをスケジューリングするためのG-RNTIに従って、一時マルチキャストグループ識別子に対応するマルチキャストサービスを読み取るように具体的に構成される。
【０１７０】
第２の読み取りユニット904は、マルチキャストサービスのG-RNTIに従ってPDCCHスケジューリング情報を読み取り、PDCCHスケジューリング情報に従って、一時マルチキャストグループ識別子に対応するマルチキャストサービスに対応する周波数リソース及び変調方式を決定し、周波数リソース及び変調方式に従ってマルチキャストサービスを読み取るように具体的に構成される。
【０１７１】
マルチキャストサービスの設定情報は、一時マルチキャストグループ識別子及びマルチキャストサービスのスケジューリング情報を含み、第２の読み取りユニット904は、マルチキャストサービスのスケジューリング情報に従って、一時マルチキャストグループ識別子に対応するマルチキャストサービスを読み取るように具体的に構成される。
【０１７２】
任意選択で、第１の決定ユニット901がMCCH設定情報を決定した後に、図９に示すUEは、MCCHが変化したか否かを決定するように構成された第５の決定ユニットと、MCCHが変化したと決定された場合、MCCH設定情報に従ってMCCHメッセージを再び読み取るように構成された第３の読み取りユニットとを更に含む。
【０１７３】
第５の決定ユニットは、MCCHのMCCH変更周期を決定し、PDCCH又はEPDCCH上でMCCH変更識別子を取得するために、MCCH-RNTIに従ってMCCH変更周期においてPDCCH又はEPDCCHを読み取り、変更識別子は、以下の変更識別子、すなわち、PDCCH又はEPDCCHの変更識別子フィールド内の変更識別子、NDI、プロセス番号、又はNDIとプロセス番号との組み合わせのうちいずれか１つを含み、MCCH変更識別子が前の変更周期における変更識別子と異なる場合、MCCHが変化したと決定するか、或いはMCCH変更識別子が第１の予め設定された値と同じである場合、MCCHが変化したと決定するように具体的に構成される。
【０１７４】
第５の決定ユニットは、MCCHのMCCH変更周期及びMCCH変更周期に対応するM-RNTIを決定し、非MBSFNサブフレーム内で、M-RNTIに対応するPDCCH上に含まれる変更通知フィールドを読み取り、変更通知フィールド内のMCCHに対応するビット値が第２の予め設定された値と同じである場合、MCCHが変化したと決定するように更に具体的に構成される。
【０１７５】
第３の読み取りユニットは、MCCH設定情報に従って、MCCHが変化したと決定された現在のMCCH変更周期においてMCCHメッセージを再び読み取るか、或いは、MCCH設定情報に従って、MCCHが変化したと決定された現在のMCCH変更周期の次のMCCH変更周期においてMCCHメッセージを再び読み取るように具体的に構成される。
【０１７６】
第５の決定ユニットは、MCCH送信周期情報が１つのみのMCCH変更周期を含む場合、MCCH変更周期をMCCH変更周期として決定するか、或いはMCCH送信周期情報が複数のMCCH変更周期を含み、各MCCH変更周期がMCCH変更周期に対応する周期選択パラメータを有する場合、MCCH周期選択パラメータ及びUEにより読み取られる必要のあるマルチキャストサービスに従ってMCCH変更周期を決定するか、或いはMCCH設定情報が複数のMCCHを含み、各MCCHが複数のMCCH変更周期を有し、各MCCHがMCCHに対応するMCCH選択パラメータを有する場合、MCCH選択パラメータ及びUEにより読み取られる必要のあるマルチキャストサービスに従って、読み取られる必要のあるMCCHを決定し、MCCH周期選択パラメータ及びUEにより読み取られる必要のあるマルチキャストサービスに従ってMCCH変更周期を決定するように更に具体的に構成される。
【０１７７】
この実施例におけるUEの機能モジュールの機能は、方法の実施例における方法に従って具体的に実現されてもよいことが理解され得る。具体的な実現プロセスについては、方法の実施例を参照する。
【０１７８】
本開示のこの実施例では、第１の決定ユニット901は、MCCH設定情報を決定し、設定情報は、MCCH-RNTI及びMCCH送信周期情報を含み、第２の決定ユニット902は、MCCH送信周期情報に従ってMCCH送信時間情報を決定し、第１の読み取りユニット903は、MCCH-RNTIを使用することによりMCCH送信時間情報に従ってMCCHメッセージを読み取り、MCCHメッセージは、マルチキャストサービスの設定情報を含み、第２の読み取りユニット904は、マルチキャストサービスの設定情報に従ってマルチキャストサービスを読み取ることが習得できる。本開示のこの実施例では、UEは、MCCH-RNTIを設定することによりサブフレーム内のMCCHを識別する。したがって、MCCHは、いずれかのサブフレームで伝送でき、MBSFNサブフレームのみで伝送されることに限定されず、それにより、他の非MBSFNサブフレームもまた、MCCHを伝送するために使用できる。したがって、MCCHはMBSFNサブフレームで全て伝送されなくてもよく、それにより、いくつかのMBSFNサブフレームは、MCCHを伝送するために使用されなくてもよいが、UEに関係するMBSFNサービスデータを伝送するために全て使用され、それにより、MBSFNサブフレームの浪費を低減する。
【０１７９】
図１０を参照すると、図１０は、本開示の実施例による基地局の概略構成図である。基地局は、
MCCH設定情報を決定するように構成された第１の決定ユニット1001であり、MCCH設定情報は、MCCH-RNTI及びMCCH送信周期情報を含む第１の決定ユニット1001と、
MCCH送信周期情報に従ってMCCH送信時間情報を決定するように構成された第２の決定ユニット1002と
を含む。
【０１８０】
MCCH送信周期情報は、MCCH繰り返し周期及びMCCHを送信するためのオフセットパラメータを含み、第２の決定ユニット1002は、MCCH繰り返し周期及びMCCHを送信するためのオフセットパラメータに従って、MCCHを送信する時間に対応するサブフレーム位置を決定するように具体的に構成される。
【０１８１】
各MCCH繰り返し周期内に、MCCHを送信するための１つのみのサブフレームが存在する場合、第２の決定ユニット1002は、システムフレーム番号、サブフレーム番号、MCCH繰り返し周期及びMCCHを送信するためのオフセットパラメータに従って、MCCHを送信する時間に対応するサブフレーム位置を決定するように具体的に構成される。
【０１８２】
各MCCH繰り返し周期内に、MCCHを送信するための複数の候補サブフレームが存在する場合、第２の決定ユニット1002は、システムフレーム番号、MCCH繰り返し周期及びMCCHのオフセットパラメータに従って、MCCHを送信する時間に対応するサブフレーム位置を決定するように具体的に構成される。
【０１８３】
第２の決定ユニット1002は、
システムフレーム番号、MCCH繰り返し周期及びMCCHのオフセットパラメータに従って、MCCHを送信するためのフレームを決定し、MCCHサブフレームセット設定情報及びMCCHを送信するためのフレームに従って、MCCH送信時間情報に対応するサブフレーム位置セットを決定するように具体的に構成される。
【０１８４】
MCCHサブフレームセット設定情報は、送信される必要のあるMCCHのサブフレームに従って基地局により決定される。
【０１８５】
MCCHサブフレームセット設定情報が、送信される必要のあるMCCHのサブフレーム位置に従って基地局により決定される場合、サブフレームセット設定情報は、MCCHサブフレーム系列を含む。送信される必要のあるMCCHの１つのサブフレームが存在する場合、サブフレームセット設定情報は、MCCHサブフレーム開始位置を含む。送信される必要のあるMCCHの複数のサブフレームが存在する場合、サブフレームセット設定情報は、MCCHサブフレーム開始位置及び送信持続時間情報を含む。
【０１８６】
MCCHサブフレーム系列は、ビットマップ系列であり、第２の決定ユニット1002は、
MCCHを送信するためのフレーム、ビットマップ系列内の各ビットの値及びビットマップ系列内の各ビットに対応するサブフレーム番号に従って、MCCH送信時間情報に対応するサブフレーム位置セットを決定するように具体的に構成される。
【０１８７】
MCCHサブフレームセット設定情報は、MCCHサブフレーム開始位置を含み、MCCH送信時間情報に対応するサブフレーム位置セットは、１つのサブフレームを含み、サブフレームは、MCCHサブフレーム開始位置に対応するサブフレームである。
【０１８８】
MCCHサブフレームセット設定情報は、MCCHサブフレーム開始位置及び送信持続時間情報を含み、第２の決定ユニット1002は、
送信持続時間情報に従って、MCCHを送信するためのサブフレームの総数量を決定し、
MCCHを送信するためのサブフレームの総数量及びMCCHを送信するための開始サブフレームに従って、MCCHを送信するための全てのサブフレームを決定するか、或いはUEにより、MCCHを送信するためのサブフレームの総数量、MCCHを送信するための開始サブフレーム及びMBSFNサブフレーム設定に従って、MCCHを送信するための全てのサブフレームを決定するように具体的に構成される。
【０１８９】
任意選択で、図１０に示す基地局は、
MCCHサブフレームセット設定情報に従って開始サブフレームを決定し、開始サブフレームをMCCH変更通知のサブフレームとして使用するように構成された第３の決定ユニット、又は
MCCHサブフレームセット設定情報に従って、MCCHを送信するための全てのサブフレームを決定し、MCCHを送信するための全てのサブフレーム内のいずれかのサブフレームをMCCH変更通知のサブフレームとして使用するように構成された第４の決定ユニットと、
MCCH-RNTIを使用することによりMCCH送信時間情報に従ってMCCHメッセージを送信するように構成された第１の送信ユニット1003であり、MCCHメッセージは、マルチキャストサービスの設定情報を含み、
MCCH-RNTIを使用することにより、MCCHを送信する時間に対応するサブフレーム位置で物理下りリンク制御チャネルPDCCH又は拡張物理下りリンク制御チャネルEPDCCHを送信し、PDCCH又はEPDCCH上の指定のMCCHメッセージリソース位置でMCCHメッセージを送信するように具体的に構成された第１の送信ユニット1003と、
マルチキャストサービスの設定情報に従ってマルチキャストサービスを送信するように構成された第２の送信ユニット1004と
を更に含む。
【０１９０】
マルチキャストサービスの設定情報は、一時マルチキャストグループ識別子及びマルチキャストサービスをスケジューリングするためのG-RNTIを含み、第２の送信ユニット1004は、マルチキャストサービスをスケジューリングするためのG-RNTIに従って、一時マルチキャストグループ識別子に対応するマルチキャストサービスを送信するように具体的に構成される。
【０１９１】
第２の送信ユニット1004は、一時マルチキャストグループ識別子に対応するマルチキャストサービスの周波数リソース及び変調方式を決定し、マルチキャストサービスのG-RNTIに従ってPDCCHスケジューリング情報をUEに送信し、PDCCHスケジューリング情報は、周波数リソース及び変調方式を搬送し、周波数リソース及び変調方式に従ってマルチキャストサービスを送信するように具体的に構成される。
【０１９２】
マルチキャストサービスの設定情報は、一時マルチキャストグループ識別子及びマルチキャストサービスのスケジューリング情報を含み、第２の送信ユニット1004は、マルチキャストサービスのスケジューリング情報に従って、一時マルチキャストグループ識別子に対応するマルチキャストサービスを送信するように具体的に構成される。
【０１９３】
任意選択で、第１の決定ユニット1001がMCCH設定情報を決定した後に、図１０に示す基地局は、MCCHが変化したと決定された場合、MCCHの変更通知を送信するように構成された第３の送信ユニットと、MCCH設定情報に従ってMCCHメッセージを再送信するように構成された第４の送信ユニットとを更に含む。
【０１９４】
第３の送信ユニットは、MCCHのMCCH変更周期を決定し、MCCH-RNTIに従ってMCCH変更周期においてPDCCH又はEPDCCH上で変更識別子を送信するように具体的に構成され、変更識別子は、以下の変更識別子、すなわち、PDCCH又はEPDCCHの変更識別子フィールド内の変更識別子、NDI、プロセス番号、又はNDIとプロセス番号との組み合わせのうちいずれか１つを含み、変更識別子は、前の変更周期における変更識別子と異なるか、或いは変更識別子は、第１の予め設定された値の変更識別子である。
【０１９５】
第３の送信ユニットは、MCCHのMCCH変更周期及びMCCH変更周期に対応するM-RNTIを決定し、MCCHに対応する変更通知フィールド内のビット値を送信するように具体的に構成され、ビット値は、第２の予め設定された値と同じであり、MCCHに対応する変更通知フィールドは、非MBSFNサブフレーム内のM-RNTIに対応するPDCCH上に含まれる変更通知フィールドである。
【０１９６】
第４の送信ユニットは、MCCH設定情報に従って、MCCHが変化したと決定された現在のMCCH変更周期においてMCCHメッセージを再送信するか、或いはMCCH設定情報に従って、MCCHが変化したと決定された現在のMCCH変更周期の次のMCCH変更周期においてMCCHメッセージを再送信するように具体的に構成される。
【０１９７】
第３の送信ユニットは、MCCH送信周期情報が１つのみのMCCH変更周期を含む場合、MCCH変更周期をMCCH変更周期として決定するか、或いはMCCH送信周期情報が複数のMCCH変更周期を含み、各MCCH変更周期がMCCH変更周期に対応する周期選択パラメータを有する場合、MCCH周期選択パラメータ及び基地局により送信される必要のあるマルチキャストサービスに従ってMCCH変更周期を決定するか、或いはMCCH設定情報が複数のMCCHを含み、各MCCHが複数のMCCH変更周期を有し、各MCCHがMCCHに対応するMCCH選択パラメータを有する場合、MCCH選択パラメータ及び基地局により送信される必要のあるマルチキャストサービスに従って、送信される必要のあるMCCHを決定し、MCCH周期選択パラメータ及び基地局により送信される必要のあるマルチキャストサービスに従ってMCCH変更周期を決定するように具体的に構成される。
【０１９８】
任意選択で、MCCH設定情報は、予め定義された設定情報又はMCEにより基地局に送信される設定情報のうち少なくとも１つを含む。
【０１９９】
この実施例における基地局の機能モジュールの機能は、方法の実施例における方法に従って具体的に実現されてもよいことが理解され得る。具体的な実現プロセスについては、方法の実施例を参照する。
【０２００】
本開示のこの実施例では、第１の決定ユニット1001は、MCCH設定情報を決定し、MCCH設定情報は、MCCH-RNTI及びMCCH送信周期情報を含み、第２の決定ユニット1002は、MCCH送信周期情報に従ってMCCH送信時間情報を決定し、第１の送信ユニット1003は、MCCH-RNTIを使用することによりMCCH送信時間情報に従ってMCCHメッセージを送信し、MCCHメッセージは、マルチキャストサービスの設定情報を含み、第２の送信ユニット1004は、マルチキャストサービスの設定情報に従ってマルチキャストサービスを送信することが習得できる。本開示のこの実施例では、UEは、MCCH-RNTIを設定することによりサブフレーム内のMCCHを識別する。したがって、MCCHは、いずれかのサブフレームで伝送でき、MBSFNサブフレームのみで伝送されることに限定されず、それにより、他の非MBSFNサブフレームもまた、MCCHを伝送するために使用できる。したがって、MCCHはMBSFNサブフレームで全て伝送されなくてもよく、それにより、いくつかのMBSFNサブフレームは、MCCHを伝送するために使用されなくてもよいが、UEに関係するMBSFNサービスデータを伝送するために全て使用され、それにより、MBSFNサブフレームの浪費を低減する。
【０２０１】
図１１は、本開示の実施例によるUE1100の概略図である。UE1100は、少なくとも１つのプロセッサ1101と、通信バス1102と、メモリ1103と、少なくとも１つの通信インタフェース1104と、送信機1105と、受信機1106とを含む。
【０２０２】
プロセッサ1101は、汎用中央処理装置（CPU）、マイクロプロセッサ、特定用途向け集積回路（ASIC）、又は本開示の解決策のプログラムの実行を制御するように構成された１つ以上の集積回路でもよい。
【０２０３】
通信バス1102は、コンポーネントの間で情報を伝送するための経路を含んでもよい。通信インタフェース1104は、いずれかの送受信機タイプの装置に適用可能であり、他のデバイス、又はイーサーネット、無線アクセスネットワーク（RAN）若しくは無線ローカルエリアネットワーク（WLAN）のような通信ネットワークと通信するように構成される。
【０２０４】
メモリ1103は、読み取り専用メモリ（ROM）若しくは静的な情報及び命令を記憶できる他の種類の静的記憶デバイス、ランダムアクセスメモリ（RAM）若しくは情報及び命令を記憶できる他の種類の動的記憶デバイス、電気的消去可能プログラム可能読み取り専用メモリ（EEPROM）、コンパクトディスク読み取り専用メモリ（CD-ROM）若しくは他の光ディスクストレージ、光ディスクストレージ（コンパクトディスク、レーザーディスク、光ディスク、デジタル多用途ディスク、ブルーレイディスク等を含む）、磁気ディスク記憶媒体若しくは他の磁気記憶デバイス、又は命令若しくはデータ構造の形式で想定されるプログラムコードを搬送又は記憶でき且つコンピュータによりアクセスできる他の媒体でもよいが、これらに限定されない。メモリは、独立して存在し、バスを使用することによりプロセッサに接続されてもよい。或いは、メモリは、プロセッサに統合されてもよい。
【０２０５】
メモリ1103は、本開示の解決策を実行するためのアプリケーションプログラムコードを記憶するように構成され、実行は、プロセッサ1101により制御される。プロセッサ1101は、メモリ1103に記憶されたアプリケーションプログラムコードを実行するように構成される。
【０２０６】
図１１に示すUEのメモリ1103に記憶されたコードは、本開示において提供されるマルチキャストサービス読み取り方法を実行するために、例えば、マルチキャスト制御チャネルMCCH設定情報を決定し、MCCH設定情報は、マルチキャスト制御チャネル無線ネットワーク一時識別子MCCH-RNTI及びMCCH送信周期情報を含み、MCCH送信周期情報に従ってMCCH送信時間情報を決定し、MCCH-RNTIを使用することによりMCCH送信時間情報に従ってMCCHメッセージを読み取り、MCCHメッセージは、マルチキャストサービスの設定情報を含み、最後に、マルチキャストサービスの設定情報に従ってマルチキャストサービスを読み取るために使用されてもよい。
【０２０７】
具体的な実現の間に、実施例において、UE1100は、送信機1105と、受信機1106とを更に含んでもよい。送信機1105は、プロセッサ1101と通信し、複数の方式で情報を表示してもよい。受信機1106は、プロセッサ1101と通信し、複数の方式で、アプリケーションサーバ又はサービスレイヤ装置により送信されたシグナリングを受信してもよい。
【０２０８】
UE1100は、汎用コンピュータデバイス又は特殊用途コンピュータデバイスでもよい。具体的な実現の間に、コンピュータデバイス1100は、デスクトップコンピュータ、ポータブルコンピュータ、ネットワークサーバ、パームトップコンピュータ（例えば、Personal  Digital  Assistant（PDA））、モバイル電話、タブレットコンピュータ、無線端末デバイス、通信デバイス、埋め込みデバイス、又は図１１のものと同様の構成を有するデバイスでもよい。UE1100の種類は、本開示のこの実施例では限定されない。
【０２０９】
図１２は、本開示の実施例による基地局1200の概略図である。基地局1200は、少なくとも１つのプロセッサ1201と、通信バス1202と、メモリ1203と、少なくとも１つの通信インタフェース1204と、送信機1205と、受信機1206とを含む。
【０２１０】
プロセッサ1201は、汎用中央処理装置（CPU）、マイクロプロセッサ、特定用途向け集積回路（ASIC）、又は本開示の解決策のプログラムの実行を制御するように構成された１つ以上の集積回路でもよい。
【０２１１】
通信バス1202は、コンポーネントの間で情報を伝送するための経路を含んでもよい。通信インタフェース1204は、いずれかの送受信機タイプの装置に適用可能であり、他のデバイス、又はイーサーネット、無線アクセスネットワーク（RAN）若しくは無線ローカルエリアネットワーク（WLAN）のような通信ネットワークと通信するように構成される。
【０２１２】
メモリ1203は、読み取り専用メモリ（ROM）若しくは静的な情報及び命令を記憶できる他の種類の静的記憶デバイス、ランダムアクセスメモリ（RAM）若しくは情報及び命令を記憶できる他の種類の動的記憶デバイス、電気的消去可能プログラム可能読み取り専用メモリ（EEPROM）、コンパクトディスク読み取り専用メモリ（CD-ROM）若しくは他の光ディスクストレージ、光ディスクストレージ（コンパクトディスク、レーザーディスク、光ディスク、デジタル多用途ディスク、ブルーレイディスク等を含む）、磁気ディスク記憶媒体若しくは他の磁気記憶デバイス、又は命令若しくはデータ構造の形式で想定されるプログラムコードを搬送又は記憶でき且つコンピュータによりアクセスできる他の媒体でもよいが、これらに限定されない。メモリは、独立して存在し、バスを使用することによりプロセッサに接続されてもよい。或いは、メモリは、プロセッサに統合されてもよい。
【０２１３】
メモリ1203は、本開示の解決策を実行するためのアプリケーションプログラムコードを記憶するように構成され、実行は、プロセッサ1201により制御される。プロセッサ1201は、メモリ1203に記憶されたアプリケーションプログラムコードを実行するように構成される。
【０２１４】
図１２に示す基地局のメモリ1203に記憶されたコードは、本開示において提供されるマルチキャストサービス送信方法を実行するために、例えば、MCCH設定情報を決定し、MCCH設定情報は、MCCH-RNTI及びMCCH送信周期情報を含み、MCCH送信周期情報に従ってMCCH送信時間情報を決定し、MCCH-RNTIを使用することによりMCCH送信時間情報に従ってMCCHメッセージを送信し、MCCHメッセージは、マルチキャストサービスの設定情報を含み、最後に、マルチキャストサービスの設定情報に従ってマルチキャストサービスを送信するために使用されてもよい。
【０２１５】
具体的な実現の間に、実施例において、基地局1200は、送信機1205と、受信機1206とを更に含んでもよい。送信機1205は、プロセッサ1201と通信し、複数の方式で情報を表示してもよい。受信機1206は、プロセッサ1201と通信し、複数の方式で、アプリケーションサーバ又はサービスレイヤ装置により送信されたシグナリングを受信してもよい。
【０２１６】
本開示の実施例は、コンピュータ記憶媒体を更に提供する。コンピュータ記憶媒体は、プログラムを記憶してもよく、プログラムが実行されるとき、前述の方法の実施例に記録されたいずれかのマルチキャストサービス読み取り方法のステップの一部又は全部が実行されてもよい。
【０２１７】
本開示の実施例は、コンピュータ記憶媒体を更に提供する。コンピュータ記憶媒体は、プログラムを記憶してもよく、プログラムが実行されるとき、前述の方法の実施例に記録されたいずれかのマルチキャストサービス送信方法のステップの一部又は全部が実行されてもよい。
【０２１８】
説明を簡潔にするために、前述の方法の実施例は、一連の動作として表現されている点に留意すべきである。しかし、本開示に従って、いくつかのステップは他の順序で実行されてもよく、或いは同時に実行されてもよいため、当業者は、本開示が説明した動作順序に限定されないことを認識すべきである。さらに、当業者はまた、明細書に記載の全ての実施例が例示的な実施例であり、関係する動作及びモジュールが必ずしも本開示に必須であるとは限らないことも認識すべきである。
【０２１９】
前述の実施例において、各実施例の説明は、それぞれの焦点を有する。実施例において詳細に説明されていない部分については、他の実施例における関係する説明を参照する。
【０２２０】
この開示において提供されるいくつかの実施例では、開示の装置は他の方式で実現されてもよいことが理解されるべきである。例えば、記載の装置の実施例は、単なる例である。例えば、モジュールの分割は、単に論理的な機能分割であり、実際の実現では他の分割でもよい。例えば、複数のモジュール又はコンポーネントは結合されてもよく、或いは他のシステムに統合されてもよく、或いはいくつかの特徴が無視されてもよく或いは実行されなくてもよい。さらに、表示又は説明した相互結合若しくは直接結合又は通信接続は、いくつかのインタフェースを通じて実現されてもよい。装置又はモジュールの間の間接結合又は通信接続は、電子的又は他の形式で実現されてもよい。
【０２２１】
別々の部分として記載したモジュールは、物理的に別々でもよく或いは別々でなくてもよく、モジュールとして表示された部分は、物理的なモジュールでもよく或いは物理的なモジュールでなくてもよく、或いは１つの位置に存在してもよく、或いは複数のネットワークモジュールに分散されてもよい。モジュールの一部又は全部は、実施例の解決策の目的を達成するために、実際のニーズに従って選択されてもよい。
【０２２２】
さらに、本開示の実施例における機能モジュールは、１つの処理モジュールに統合されてもよく、或いはモジュールのそれぞれが物理的に単独で存在してもよく、或いは２つ以上のモジュールが１つのモジュールに統合される。統合されたモジュールは、ハードウェアの形式で実現されてもよく、或いはソフトウェア機能モジュールの形式で実現されてもよい。
【０２２３】
統合されたモジュールがソフトウェア機能モジュールの形式で実現され、独立したプロダクトとして販売又は使用される場合、統合されたモジュールは、コンピュータ読み取り可能メモリに記憶されてもよい。このような理解に基づいて、基本的に本開示の技術的解決策若しくは従来技術に寄与する部分、又は技術的解決策の全部若しくは一部は、ソフトウェアプロダクトの形式で実現されてもよい。ソフトウェアプロダクトは、メモリに記憶され、コンピュータデバイス（パーソナルコンピュータ、サーバ又はネットワークデバイス等でもよい）に対して本開示の実施例に記載の方法のステップの全部又は一部を実行するように命令するいくつかの命令を含む。前述のメモリは、USBフラッシュドライブ、読み取り専用メモリ（ROM）、ランダムアクセスメモリ（RAM）、取り外し可能ハードディスク、磁気ディスク又は光ディスクのようなプログラムコードを記憶できるいずれかの媒体を含む。
【０２２４】
当業者は、実施例における方法のステップの全部又は一部が関係するハードウェアに命令するプログラムにより実現されてもよいことを理解し得る。プログラムは、コンピュータ読み取り可能メモリに記憶されてもよい。メモリは、フラッシュメモリ、読み取り専用メモリ（ROM）、ランダムアクセスメモリ（RAM)、磁気ディスク、光ディスク等を含んでもよい。
【０２２５】
本開示の実施例について、上記において詳細に説明した。本開示の原理及び実現は、ここでは具体的な例を使用することにより説明されている。本開示の実施例についての説明は、単に本開示の方法及び核心の概念を理解するのを助けるために提供されている。さらに、当業者は、本開示の概念に従って、具体的な実現及び開示範囲に関して本開示に対して変更及び変形を行うことができる。したがって、この明細書の内容は、本開示への限定として解釈されないものとする。
【図１】
2020113994.tif 000003
【図２】
2020113994.tif 000004
【図３】
2020113994.tif 000005
【図４】
2020113994.tif 000006
【図５】
2020113994.tif 000007
【図６】
2020113994.tif 000008
【図７】
2020113994.tif 000009
【図８】
2020113994.tif 000010
【図９】
2020113994.tif 000011
【図１０】
2020113994.tif 000012
【図１１】
2020113994.tif 000013
【図１２】
2020113994.tif 000014
【手続補正書】
【提出日】令和2年3月31日(2020.3.31)
【手続補正１】
【補正対象書類名】特許請求の範囲
【補正対象項目名】全文
【補正方法】変更
【補正の内容】
【特許請求の範囲】
【請求項１】
マルチキャストサービス読み取り方法であって、
現在のマルチキャスト制御チャネル（MCCH）変更周期においてMCCHメッセージのための物理下りリンク制御チャネル（PDCCH）を読み取るステップと、
前記MCCHメッセージが変化することを前記PDCCHが示す場合、前記MCCHメッセージが変化することを示す前記PDCCHにより示されるリソース位置で前記変化したMCCHメッセージを読み取るステップであり、前記変化したMCCHメッセージは、マルチキャストサービスの設定情報を含む、ステップと、
前記マルチキャストサービスの前記設定情報に従って前記マルチキャストサービスを読み取るステップと
を含む方法。
【請求項２】
前記現在のMCCH変更周期において前記MCCHメッセージのための前記PDCCHを読み取るステップは、
MCCH無線ネットワーク一時識別子（RNTI）を使用することにより、前記現在のMCCH変更周期において前記PDCCHを読み取るステップを含む、請求項１に記載の方法。
【請求項３】
前記PDCCHは、MCCH変更識別子を搬送し、前記MCCH変更識別子は、前記MCCHメッセージが変化することを示す、請求項１又は２に記載の方法。
【請求項４】
当該方法は、
システムブロードキャストメッセージを受信するステップであり、前記システムブロードキャストメッセージは、MCCHサブフレーム開始位置を含む、ステップと、
前記MCCHメッセージが変化することを示す前記PDCCHのサブフレームとして、前記MCCHメッセージの開始サブフレームを決定するステップであり、前記開始サブフレームは、前記MCCHサブフレーム開始位置に従って決定される、ステップと
を更に含む、請求項１乃至３のうちいずれか１項に記載の方法。
【請求項５】
マルチキャストサービス送信方法であって、
マルチキャスト制御チャネル（MCCH）メッセージが変化すると決定するステップと、
現在のMCCH変更周期において物理下りリンク制御チャネル（PDCCH）を送信するステップであり、前記PDCCHは、前記MCCHメッセージが変化することと、前記変化したMCCHメッセージのリソース位置とを示し、前記変化したMCCHメッセージは、前記マルチキャストサービスの設定情報を含む、ステップと、
前記マルチキャストサービスの前記設定情報に従って前記マルチキャストサービスを送信するステップと
を含む方法。
【請求項６】
前記現在のMCCH変更周期において前記PDCCHを送信するステップは、
MCCH無線ネットワーク一時識別子（RNTI）を使用することにより、前記現在のMCCH変更周期において前記PDCCHを送信するステップを含む、請求項５に記載の方法。
【請求項７】
前記現在の変更周期における前記PDCCHは、MCCH変更識別子を搬送し、前記MCCH変更識別子は、前記MCCHメッセージが変化することを示す、請求項５又は６に記載の方法。
【請求項８】
当該方法は、
システムブロードキャストメッセージを送信するステップであり、前記システムブロードキャストメッセージは、前記MCCHメッセージのMCCHサブフレーム開始位置を含み、前記MCCHサブフレーム開始位置は、前記MCCHメッセージの開始サブフレームの位置であり、前記MCCHメッセージの前記開始サブフレームは、前記MCCHメッセージが変化することを示す前記PDCCHのサブフレームである、請求項５乃至７のうちいずれか１項に記載の方法。
【請求項９】
現在のマルチキャスト制御チャネル（MCCH）変更周期においてMCCHメッセージのための物理下りリンク制御チャネル（PDCCH）を読み取る手段と、
前記MCCHメッセージが変化することを前記PDCCHが示す場合、前記PDCCHにより示されるリソース位置で前記変化したMCCHメッセージを読み取る手段であり、前記変化したMCCHメッセージは、マルチキャストサービスの設定情報を含む、手段と、
前記マルチキャストサービスの前記設定情報に従って前記マルチキャストサービスを読み取る手段と
を含む装置。
【請求項１０】
前記現在のMCCH変更周期において前記MCCHメッセージのための前記PDCCHを読み取る手段は、
MCCH無線ネットワーク一時識別子（RNTI）を使用することにより、前記現在のMCCH変更周期において前記PDCCHを読み取る手段を含む、請求項９に記載の装置。
【請求項１１】
前記PDCCHは、MCCH変更識別子を搬送し、前記MCCH変更識別子は、前記MCCHメッセージが変化することを示す、請求項９又は１０に記載の装置。
【請求項１２】
当該装置は、
システムブロードキャストメッセージを受信する手段であり、前記システムブロードキャストメッセージは、MCCHサブフレーム開始位置を含む、手段と、
前記MCCHメッセージが変化することを示す前記PDCCHのサブフレームとして、前記MCCHメッセージの開始サブフレームを決定する手段であり、前記開始サブフレームは、前記MCCHサブフレーム開始位置に従って決定される、手段と
を更に含む、請求項９乃至１１のうちいずれか１項に記載の装置。
【請求項１３】
マルチキャスト制御チャネル（MCCH）メッセージが変化すると決定する手段と、
現在のMCCH変更周期において物理下りリンク制御チャネル（PDCCH）を送信する手段であり、前記PDCCHは、前記MCCHメッセージが変化することと、前記変化したMCCHメッセージのリソース位置とを示し、前記変化したMCCHメッセージは、前記マルチキャストサービスの設定情報を含む、手段と、
前記マルチキャストサービスの前記設定情報に従って前記マルチキャストサービスを送信する手段と
を含む装置。
【請求項１４】
前記現在のMCCH変更周期において前記PDCCHを送信する手段は、
MCCH無線ネットワーク一時識別子（RNTI）を使用することにより、前記現在のMCCH変更周期において前記PDCCHを送信する手段を含む、請求項１３に記載の装置。
【請求項１５】
前記現在の変更周期における前記PDCCHは、MCCH変更識別子を搬送し、前記MCCH変更識別子は、前記MCCHメッセージが変化することを示す、請求項１３又は１４に記載の装置。
【請求項１６】
当該装置は、
システムブロードキャストメッセージを送信する手段であり、前記システムブロードキャストメッセージは、前記MCCHメッセージのMCCHサブフレーム開始位置を含み、前記MCCHサブフレーム開始位置は、前記MCCHメッセージの開始サブフレームの位置であり、前記MCCHメッセージの前記開始サブフレームは、前記MCCHメッセージが変化することを示す前記PDCCHのサブフレームである、請求項１３乃至１５のうちいずれか１項に記載の装置。
【請求項１７】
コンピュータに請求項１乃至４のうちいずれか１項に記載の方法を実行させるプログラムを記録したコンピュータ読み取り可能記憶媒体。
【請求項１８】
コンピュータに請求項５至８のうちいずれか１項に記載の方法を実行させるプログラムを記録したコンピュータ読み取り可能記憶媒体。
【手続補正２】
【補正対象書類名】明細書
【補正対象項目名】全文
【補正方法】変更
【補正の内容】
【発明の詳細な説明】
【技術分野】
【０００１】
［関連出願への相互参照］
この出願は、2015年8月14日に国際特許庁に出願された「MULTICAST  SERVICE  READING  AND  SENDING  METHOD,  AND  RELATED  DEVICE」という名称の国際特許出願第PCT/CN2015/087114号の優先権を主張し、その全内容を参照により援用する。
【０００２】
［技術分野］
本開示は、モバイル通信技術の分野に関し、特に、マルチキャストサービス読み取り及び送信方法並びに関係するデバイスに関する。
【背景技術】
【０００３】
LTE（ロングタームエボリューション）システムに導入されたMBMS（マルチメディア・ブロードキャスト・マルチキャスト・サービス）機構は、eMBMS（進化型MBMS）機構とも呼ばれる。MBMSの制御情報は、MCCH（マルチキャスト制御チャネル）上で伝送され、MCCHのMCS（変調及び符号化方式）情報は、BCCH（ブロードキャスト制御チャネル）上で伝送される。
【０００４】
MBMSの関係する論理チャネルは、BCCHと、MCCHと、MTCH（MBMSポイントツーマルチポイント制御チャネル）とを含む。BCCHは、ネットワークによりシステム情報をUE（ユーザ装置）にブロードキャストするように構成される。MCCHは、ネットワークによりMBMS関係の制御情報をUEに伝送するように構成される。１つのMCCHは、１つ以上のMTCHに対応してもよい。MBMSサービスを読み取ることができるUEのみがMCCHを使用できる。基地局は、システムブロードキャストを用いて、MCCHのMCSとMCCHの周期情報（MCCHの周期情報は、変更周期（MP）及び繰り返し周期（RP）を含む）とをUEに通知する。MTCHは、ポイントツーマルチポイント下りリンクチャネルであり、ネットワークによりMBMSサービスデータをUEに伝送するように構成される。MBMSサービスを読み取ることができるUEのみがMTCHを使用できる。MTCHについての情報は、MTCHに対応するMCCHにより示される。ネットワークは、BCCHを使用することによりMCCHをUEに示し、次に、MCCHを使用することによりMTCHをUEに示し、それにより、UEは、MTCH上で搬送されたMBMSサービスを読み取る。
【０００５】
現在、MBMSシステムにおいて、MCCHメッセージは、MBSFN（マルチメディア・ブロードキャスト・マルチキャスト・サービス単一周波数ネットワーク）サブフレームを使用することによってのみ送信できる。MBSFNサブフレームは専用サブフレームであり、１つのみのデータブロックを送信するために使用できる。UEは、対応する時点においてMBSFNサブフレームを読み取ることにより、MCCHメッセージを取得できる。MBSFNサブフレームは、１つのみのデータブロックを伝送するために使用でき、１つのデータブロックは、MCCHメッセージを伝送するために、或いはMCCHメッセージ以外のデータを伝送するために使用できる。しかし、MCCHメッセージがMBSFNサブフレーム内の全てのリソースを完全に占有できない場合、他のデータもMBSFNサブフレーム内で送信できず、リソースの浪費を生じる。
【発明の概要】
【０００６】
本開示の実施例は、MBSFNサブフレームの浪費を低減するためのマルチキャストサービス読み取り及び送信方法並びに関係するデバイスを提供する。
【０００７】
第１の態様によれば、本開示の実施例は、マルチキャストサービス読み取り方法を提供し、
ユーザ装置UEにより、マルチキャスト制御チャネルMCCH設定情報を決定するステップであり、MCCH設定情報は、マルチキャスト制御チャネル無線ネットワーク一時識別子MCCH-RNTI及びMCCH送信周期情報を含むステップと、
UEにより、MCCH送信周期情報に従ってMCCH送信時間情報を決定するステップと、
UEにより、MCCH-RNTIを使用することによりMCCH送信時間情報に従ってMCCHメッセージを読み取るステップであり、MCCHメッセージは、マルチキャストサービスの設定情報を含むステップと、
UEにより、マルチキャストサービスの設定情報に従ってマルチキャストサービスを読み取るステップと
を含む。
【０００８】
第１の態様を参照して、第１の態様の第１の可能な実現では、MCCH送信周期情報は、MCCH繰り返し周期及びMCCHを送信するためのオフセットパラメータを含み、
UEにより、MCCH送信周期情報に従ってMCCH送信時間情報を決定するステップは、
UEにより、MCCH繰り返し周期及びMCCHを送信するためのオフセットパラメータに従って、MCCHを送信する時間に対応するサブフレーム位置を決定するステップを含む。
【０００９】
第１の態様の第１の可能な実現を参照して、第１の態様の第２の可能な実現では、各MCCH繰り返し周期内に、MCCHを送信するための１つのみのサブフレームが存在する場合、UEにより、MCCH繰り返し周期及びMCCHを送信するためのオフセットパラメータに従って、MCCHを送信する時間に対応するサブフレーム位置を決定するステップは、
UEにより、システムフレーム番号、サブフレーム番号、MCCH繰り返し周期及びMCCHを送信するためのオフセットパラメータに従って、MCCHを送信する時間に対応するサブフレーム位置を決定するステップを含む。
【００１０】
第１の態様の第１の可能な実現を参照して、第１の態様の第３の可能な実現では、各MCCH繰り返し周期内に、MCCHを送信するための複数の候補サブフレームが存在する場合、UEにより、MCCH繰り返し周期及びMCCHを送信するためのオフセットパラメータに従って、MCCHを送信する時間に対応するサブフレーム位置を決定するステップは、
UEにより、システムフレーム番号、MCCH繰り返し周期及びMCCHのオフセットパラメータに従って、MCCHを送信する時間に対応するサブフレーム位置セットを決定するステップを含む。
【００１１】
第１の態様の第１の可能な実現を参照して、第１の態様の第４の可能な実現では、UEにより、MCCH繰り返し周期及びMCCHを送信するためのオフセットパラメータに従って、MCCHを送信する時間に対応するサブフレーム位置を決定するステップは、
UEにより、システムフレーム番号、MCCH繰り返し周期及びMCCHのオフセットパラメータに従って、MCCHを送信するためのフレームを決定するステップと、UEにより、MCCHサブフレームセット設定情報及びMCCHを送信するためのフレームに従って、MCCH送信時間情報に対応するサブフレーム位置セットを決定するステップとを含む。
【００１２】
第１の態様の第４の可能な実現を参照して、第１の態様の第５の可能な実現では、MCCHサブフレームセット設定情報は、基地局によりUEに送信されるMCCH設定シグナリング内で搬送され、MCCH設定シグナリングは、システムブロードキャストメッセージ又はUEの専用シグナリングである。
【００１３】
第１の態様の第４又は第５の可能な実現を参照して、第１の態様の第６の可能な実現では、MCCHサブフレームセット設定情報は、MCCHサブフレーム系列を含むか、或いはMCCHサブフレームセット設定情報は、MCCHサブフレーム開始位置を含むか、或いはMCCHサブフレームセット設定情報は、MCCHサブフレーム開始位置及び送信持続時間情報を含む。
【００１４】
第１の態様の第６の可能な実現を参照して、第１の態様の第７の可能な実現では、MCCHサブフレーム系列は、ビットマップ系列であり、UEにより、MCCHサブフレームセット設定情報及びMCCHを送信するためのフレームに従って、MCCH送信時間情報に対応するサブフレーム位置セットを決定するステップは、
UEにより、MCCHを送信するためのフレーム、ビットマップ系列内の各ビットの値及びビットマップ系列内の各ビットに対応するサブフレーム番号に従って、MCCH送信時間情報に対応するサブフレーム位置セットを決定するステップを含む。
【００１５】
第１の態様の第６の可能な実現を参照して、第１の態様の第８の可能な実現では、MCCHサブフレームセット設定情報は、MCCHサブフレーム開始位置を含み、MCCH送信時間情報に対応するサブフレーム位置セットは、１つのサブフレームを含み、サブフレームは、MCCHサブフレーム開始位置に対応するサブフレームである。
【００１６】
第１の態様の第６の可能な実現を参照して、第１の態様の第９の可能な実現では、MCCHサブフレームセット設定情報は、MCCHサブフレーム開始位置及び送信持続時間情報を含み、UEにより、MCCHサブフレームセット設定情報及びMCCHを送信するためのフレームに従って、MCCH送信時間情報に対応するサブフレーム位置セットを決定するステップは、
UEにより、送信持続時間情報に従って、MCCHを送信するためのサブフレームの総数量を決定するステップと、
UEにより、MCCHを送信するためのサブフレームの総数量及びMCCHを送信するための開始サブフレームに従って、MCCHを送信するための全てのサブフレームを決定するステップ、又はUEにより、MCCHを送信するためのサブフレームの総数量、MCCHを送信するための開始サブフレーム及びMBSFNサブフレーム設定に従って、MCCHを送信するための全てのサブフレームを決定するステップと
を含む。
【００１７】
第１の態様の第４〜第９の可能な実現のうちいずれか１つを参照して、第１の態様の第１０の可能な実現では、方法は、
UEにより、MCCHサブフレームセット設定情報に従って開始サブフレームを決定し、開始サブフレームをMCCH変更通知のサブフレームとして使用するステップ、又は
UEにより、MCCHサブフレームセット設定情報に従って、MCCHを送信するための全てのサブフレームを決定し、MCCHを送信するための全てのサブフレーム内のいずれかのサブフレームをMCCH変更通知のサブフレームとして使用するステップ
を更に含む。
【００１８】
第１の態様の第１〜第１０の可能な実現のうちいずれか１つを参照して、第１の態様の第１１の可能な実現では、UEにより、MCCH-RNTIを使用することによりMCCH送信時間情報に従ってMCCHメッセージを読み取るステップは、
UEにより、MCCH-RNTIを使用することにより、MCCHを送信する時間に対応するサブフレーム位置で物理下りリンク制御チャネルPDCCH又は拡張物理下りリンク制御チャネルEPDCCHを読み取るステップと、
UEにより、PDCCH又はEPDCCH上の指定のMCCHメッセージリソース位置でMCCHメッセージを読み取るステップと
を含む。
【００１９】
第１の態様又は第１の態様の第１〜第１１の可能な実現のうちいずれか１つを参照して、第１の態様の第１２の可能な実現では、マルチキャストサービスの設定情報は、一時マルチキャストグループ識別子及びマルチキャストサービスをスケジューリングするためのG-RNTIを含み、UEにより、マルチキャストサービスの設定情報に従ってマルチキャストサービスを読み取るステップは、
UEにより、マルチキャストサービスをスケジューリングするためのG-RNTIに従って、一時マルチキャストグループ識別子に対応するマルチキャストサービスを読み取るステップを含む。
【００２０】
第１の態様の第１２の可能な実現を参照して、第１の態様の第１３の可能な実現では、UEにより、マルチキャストサービスをスケジューリングするためのG-RNTIに従って、一時マルチキャストグループ識別子に対応するマルチキャストサービスを読み取るステップは、
UEにより、マルチキャストサービスのG-RNTIに従ってPDCCHスケジューリング情報を読み取るステップと、
UEにより、PDCCHスケジューリング情報に従って、一時マルチキャストグループ識別子に対応するマルチキャストサービスに対応する周波数リソース及び変調方式を決定し、周波数リソース及び変調方式に従ってマルチキャストサービスを読み取るステップと
を含む。
【００２１】
第１の態様又は第１の態様の第１〜第１１の可能な実現のうちいずれか１つを参照して、第１の態様の第１４の可能な実現では、マルチキャストサービスの設定情報は、一時マルチキャストグループ識別子及びマルチキャストサービスのスケジューリング情報を含み、マルチキャストサービスのスケジューリング情報は、マルチキャストサービスを読み取るために使用される周波数リソース及び変調方式を含み、UEにより、マルチキャストサービスの設定情報に従ってマルチキャストサービスを読み取るステップは、
UEにより、マルチキャストサービスの周波数リソース及び変調方式に従って、一時マルチキャストグループ識別子に対応するマルチキャストサービスを読み取るステップを含む。
【００２２】
第１の態様又は第１の態様の第１〜第１４の可能な実現のうちいずれか１つを参照して、第１の態様の第１５の可能な実現では、UEにより、MCCH設定情報を決定した後に、方法は、
UEにより、MCCHが変化するか否かを決定するステップと、
MCCHが変化するとUEが決定した場合、UEにより、MCCH設定情報に従ってMCCHメッセージを再び読み取るステップと
を更に含む。
【００２３】
第１の態様の第１５の可能な実現を参照して、第１の態様の第１６の可能な実現では、UEにより、MCCHが変化するか否かを決定するステップは、
UEにより、MCCHのMCCH変更周期を決定するステップと、
UEにより、PDCCH又はEPDCCH上でMCCH変更識別子を取得するために、MCCH-RNTIに従ってMCCH変更周期においてPDCCH又はEPDCCHを読み取るステップであり、変更識別子は、以下の変更識別子、すなわち、PDCCH又はEPDCCHの変更識別子フィールド内の変更識別子、NDI、プロセス番号、又はNDIとプロセス番号との組み合わせのうちいずれか１つを含むステップと、
MCCH変更識別子が前の変更周期における変更識別子と異なる場合、UEにより、MCCHが変化すると決定するステップ、又は
MCCH変更識別子が第１の予め設定された値と同じである場合、UEにより、MCCHが変化すると決定するステップと
を含む。
【００２４】
第１の態様の第１５の可能な実現を参照して、第１の態様の第１７の可能な実現では、UEにより、MCCHが変化するか否かを決定するステップは、
UEにより、MCCHのMCCH変更周期及びMCCH変更周期に対応するM-RNTIを決定するステップと、
UEにより、非MBSFNサブフレーム内で、M-RNTIに対応するPDCCH上に含まれる変更通知フィールドを読み取るステップと、
変更通知フィールド内のMCCHに対応するビット値が第２の予め設定された値と同じである場合、UEにより、MCCHが変化すると決定するステップと
を含む。
【００２５】
第１の態様の第１５〜第１７の可能な実現のうちいずれか１つを参照して、第１の態様の第１８の可能な実現では、UEにより、MCCH設定情報に従ってMCCHメッセージを再び読み取るステップは、
UEにより、MCCH設定情報に従って、MCCHが変化すると決定された現在のMCCH変更周期においてMCCHメッセージを再び読み取るステップ、又は
UEにより、MCCH設定情報に従って、MCCHが変化すると決定された現在のMCCH変更周期の次のMCCH変更周期においてMCCHメッセージを再び読み取るステップ
を含む。
【００２６】
第１の態様の第１６又は第１７の可能な実現を参照して、第１の態様の第１９の可能な実現では、UEにより、MCCHのMCCH変更周期を決定するステップは、
MCCH送信周期情報が１つのみのMCCH変更周期を含む場合、UEにより、MCCH変更周期をMCCH変更周期として決定するステップ、又は
MCCH送信周期情報が複数のMCCH変更周期を含み、各MCCH変更周期がMCCH変更周期に対応する周期選択パラメータを有する場合、UEにより、MCCH周期選択パラメータ及びUEにより読み取られる必要のあるマルチキャストサービスに従ってMCCH変更周期を決定するステップ、又は
MCCH設定情報が複数のMCCHを含み、各MCCHが複数のMCCH変更周期を有し、各MCCHがMCCHに対応するMCCH選択パラメータを有する場合、UEにより、MCCH選択パラメータ及びUEにより読み取られる必要のあるマルチキャストサービスに従って、読み取られる必要のあるMCCHを決定するステップと、UEにより、MCCH周期選択パラメータ及びUEにより読み取られる必要のあるマルチキャストサービスに従ってMCCH変更周期を決定するステップ
を含む。
【００２７】
第１の態様又は第１の態様の第１〜第１９の可能な実現のうちいずれか１つを参照して、第１の態様の第２０の可能な実現では、MCCH設定情報は、予め定義された設定情報又はシステムブロードキャストメッセージを使用することにより基地局によりUEに送信される設定情報のうち少なくとも１つを含む。
【００２８】
第２の態様によれば、本開示の実施例は、マルチキャストサービス送信方法を提供し、
基地局により、MCCH設定情報を決定するステップであり、MCCH設定情報は、MCCH-RNTI及びMCCH送信周期情報を含むステップと、
基地局により、MCCH送信周期情報に従ってMCCH送信時間情報を決定するステップと、
基地局により、MCCH-RNTIを使用することによりMCCH送信時間情報に従ってMCCHメッセージを送信するステップであり、MCCHメッセージは、マルチキャストサービスの設定情報を含むステップと、
基地局により、マルチキャストサービスの設定情報に従ってマルチキャストサービスを送信するステップと
を含む。
【００２９】
第２の態様を参照して、第２の態様の第１の可能な実現では、MCCH送信周期情報は、MCCH繰り返し周期及びMCCHを送信するためのオフセットパラメータを含み、
基地局により、MCCH送信周期情報に従ってMCCH送信時間情報を決定するステップは、
基地局により、MCCH繰り返し周期及びMCCHを送信するためのオフセットパラメータに従って、MCCHを送信する時間に対応するサブフレーム位置を決定するステップを含む。
【００３０】
第２の態様の第１の可能な実現を参照して、第２の態様の第２の可能な実現では、各MCCH繰り返し周期内に、MCCHを送信するための１つのみのサブフレームが存在する場合、基地局により、MCCH繰り返し周期及びMCCHを送信するためのオフセットパラメータに従って、MCCHを送信する時間に対応するサブフレーム位置を決定するステップは、
基地局により、システムフレーム番号、サブフレーム番号、MCCH繰り返し周期及びMCCHを送信するためのオフセットパラメータに従って、MCCHを送信する時間に対応するサブフレーム位置を決定するステップを含む。
【００３１】
第２の態様の第１の可能な実現を参照して、第２の態様の第３の可能な実現では、各MCCH繰り返し周期内に、MCCHを送信するための複数の候補サブフレームが存在する場合、基地局により、MCCH繰り返し周期及びMCCHを送信するためのオフセットパラメータに従って、MCCHを送信する時間に対応するサブフレーム位置を決定するステップは、
基地局により、システムフレーム番号、MCCH繰り返し周期及びMCCHのオフセットパラメータに従って、MCCHを送信する時間に対応するサブフレーム位置セットを決定するステップを含む。
【００３２】
第２の態様の第１の可能な実現を参照して、第２の態様の第４の可能な実現では、基地局により、MCCH繰り返し周期及びMCCHを送信するためのオフセットパラメータに従って、MCCHを送信する時間に対応するサブフレーム位置を決定するステップは、
基地局により、システムフレーム番号、MCCH繰り返し周期及びMCCHのオフセットパラメータに従って、MCCHを送信するためのフレームを決定するステップと、
基地局により、MCCHサブフレームセット設定情報及びMCCHを送信するためのフレームに従って、MCCH送信時間情報に対応するサブフレーム位置セットを決定するステップと
を含む。
【００３３】
第２の態様の第４の可能な実現を参照して、第２の態様の第５の可能な実現では、MCCHサブフレームセット設定情報は、MCCHサブフレーム系列を含むか、或いはMCCHサブフレームセット設定情報は、MCCHサブフレーム開始位置を含むか、或いはMCCHサブフレームセット設定情報は、MCCHサブフレーム開始位置及び送信持続時間情報を含む。
【００３４】
第２の態様の第４の可能な実現を参照して、第２の態様の第６の可能な実現では、MCCHサブフレームセット設定情報は、基地局により送信対象のMCCHのサブフレーム情報に従って決定され、
送信対象のMCCHのサブフレーム情報は、送信対象のMCCHのサブフレーム位置を含み、MCCHサブフレームセット設定情報は、MCCHサブフレーム系列を含み、MCCHサブフレーム系列は、基地局により送信対象のMCCHのサブフレーム位置に従って決定されるか、或いは送信対象のMCCHのサブフレーム情報は、送信対象のMCCHのサブフレームの数量を含み、送信対象のMCCHの１つのサブフレームが存在する場合、MCCHサブフレームセット設定情報は、MCCHサブフレーム開始位置を含むか、或いは送信対象のMCCHの複数のサブフレームが存在する場合、MCCHサブフレームセット設定情報は、MCCHサブフレーム開始位置及び送信持続時間情報を含む。
【００３５】
第２の態様の第６の可能な実現を参照して、第２の態様の第７の可能な実現では、MCCHサブフレーム系列は、ビットマップ系列であり、基地局により、MCCHサブフレームセット設定情報及びMCCHを送信するためのフレームに従って、MCCH送信時間情報に対応するサブフレーム位置セットを決定するステップは、
基地局により、MCCHを送信するためのフレーム、ビットマップ系列内の各ビットの値及びビットマップ系列内の各ビットに対応するサブフレーム番号に従って、MCCH送信時間情報に対応するサブフレーム位置セットを決定するステップを含む。
【００３６】
第２の態様の第６の可能な実現を参照して、第２の態様の第８の可能な実現では、MCCHサブフレームセット設定情報は、MCCHサブフレーム開始位置を含み、MCCH送信時間情報に対応するサブフレーム位置セットは、１つのサブフレームを含み、サブフレームは、MCCHサブフレーム開始位置に対応するサブフレームである。
【００３７】
第２の態様の第６の可能な実現を参照して、第２の態様の第９の可能な実現では、MCCHサブフレームセット設定情報は、MCCHサブフレーム開始位置及び送信持続時間情報を含み、基地局により、MCCHサブフレームセット設定情報及びMCCHを送信するためのフレームに従って、MCCH送信時間情報に対応するサブフレーム位置セットを決定するステップは、
基地局により、送信持続時間情報に従って、MCCHを送信するためのサブフレームの総数量を決定するステップと、
基地局により、MCCHを送信するためのサブフレームの総数量及びMCCHを送信するための開始サブフレームに従って、MCCHを送信するための全てのサブフレームを決定するステップ、又は基地局により、MCCHを送信するためのサブフレームの総数量、MCCHを送信するための開始サブフレーム及びMBSFNサブフレーム設定に従って、MCCHを送信するための全てのサブフレームを決定するステップと
を含む。
【００３８】
第２の態様の第４〜第９の可能な実現のうちいずれか１つを参照して、第２の態様の第１０の可能な実現では、方法は、
基地局により、MCCHサブフレームセット設定情報に従って開始サブフレームを決定し、開始サブフレームをMCCH変更通知のサブフレームとして使用するステップ、又は
基地局により、MCCHサブフレームセット設定情報に従って、MCCHを送信するための全てのサブフレームを決定し、MCCHを送信するための全てのサブフレーム内のいずれかのサブフレームをMCCH変更通知のサブフレームとして使用するステップ
を更に含む。
【００３９】
第２の態様の第１〜第１０の可能な実現のうちいずれか１つを参照して、第２の態様の第１１の可能な実現では、基地局により、MCCH-RNTIを使用することによりMCCH送信時間情報に従ってMCCHメッセージを送信するステップは、
基地局により、MCCH-RNTIを使用することにより、MCCHを送信する時間に対応するサブフレーム位置で物理下りリンク制御チャネルPDCCH又は拡張物理下りリンク制御チャネルEPDCCHを送信するステップと、
基地局により、PDCCH又はEPDCCH上の指定のMCCHメッセージリソース位置でMCCHメッセージを送信するステップと
を含む。
【００４０】
第２の態様又は第２の態様の第１〜第１１の可能な実現のうちいずれか１つを参照して、第２の態様の第１２の可能な実現では、マルチキャストサービスの設定情報は、一時マルチキャストグループ識別子及びマルチキャストサービスをスケジューリングするためのG-RNTIを含み、基地局により、マルチキャストサービスの設定情報に従ってマルチキャストサービスを送信するステップは、
基地局により、マルチキャストサービスをスケジューリングするためのG-RNTIに従って、一時マルチキャストグループ識別子に対応するマルチキャストサービスを送信するステップを含む。
【００４１】
第２の態様の第１２の可能な実現を参照して、第２の態様の第１３の可能な実現では、基地局により、マルチキャストサービスをスケジューリングするためのG-RNTIに従って、一時マルチキャストグループ識別子に対応するマルチキャストサービスを送信するステップは、
基地局により、一時マルチキャストグループ識別子に対応するマルチキャストサービスの周波数リソース及び変調方式を決定するステップと、
基地局により、マルチキャストサービスのG-RNTIに従ってPDCCHスケジューリング情報をUEに送信し、PDCCHスケジューリング情報は、周波数リソース及び変調方式を搬送し、周波数リソース及び変調方式に従ってマルチキャストサービスを送信するステップと
を含む。
【００４２】
第２の態様又は第２の態様の第１〜第１１の可能な実現のうちいずれか１つを参照して、第２の態様の第１４の可能な実現では、マルチキャストサービスの設定情報は、一時マルチキャストグループ識別子及びマルチキャストサービスのスケジューリング情報を含み、マルチキャストサービスのスケジューリング情報は、マルチキャストサービスを送信するために使用される周波数リソース及び変調方式を含み、基地局により、マルチキャストサービスの設定情報に従ってマルチキャストサービスを送信するステップは、
基地局により、マルチキャストサービスに使用される周波数リソース及び変調方式に従って、一時マルチキャストグループ識別子に対応するマルチキャストサービスを送信するステップを含む。
【００４３】
第２の態様又は第２の態様の第１〜第１４の可能な実現のうちいずれか１つを参照して、第２の態様の第１５の可能な実現では、基地局により、MCCH設定情報を決定した後に、方法は、
MCCHが変化すると基地局が決定した場合、基地局により、MCCHの変更通知を送信するステップと、
基地局により、MCCH設定情報に従ってMCCHメッセージを再送信するステップと
を更に含む。
【００４４】
第２の態様の第１５の可能な実現を参照して、第２の態様の第１６の可能な実現では、基地局により、MCCHの変更通知を送信するステップは、
基地局により、MCCHのMCCH変更周期を決定するステップと、
基地局により、MCCH-RNTIに従ってMCCH変更周期においてPDCCH又はEPDCCH上で変更識別子を送信するステップであり、変更識別子は、以下の変更識別子、すなわち、PDCCH又はEPDCCHの変更識別子フィールド内の変更識別子、NDI、プロセス番号、又はNDIとプロセス番号との組み合わせのうちいずれか１つを含むステップと
を含み、
変更識別子は、前の変更周期における変更識別子と異なるか、或いは変更識別子は、第１の予め設定された値の変更識別子である。
【００４５】
第２の態様の第１５の可能な実現を参照して、第２の態様の第１７の可能な実現では、基地局により、MCCHの変更通知を送信するステップは、
基地局により、MCCHのMCCH変更周期及びMCCH変更周期に対応するM-RNTIを決定するステップと、
基地局により、MCCHに対応する変更通知フィールド内のビット値を送信するステップであり、ビット値は、第２の予め設定された値と同じであり、MCCHに対応する変更通知フィールドは、非MBSFNサブフレーム内のM-RNTIに対応するPDCCH上に含まれる変更通知フィールドであるステップと
を含む。
【００４６】
第２の態様の第１５〜第１７の可能な実現のうちいずれか１つを参照して、第２の態様の第１８の可能な実現では、基地局により、MCCH設定情報に従ってMCCHメッセージを再送信するステップは、
基地局により、MCCH設定情報に従って、MCCHが変化すると決定された現在のMCCH変更周期においてMCCHメッセージを再送信するステップ、又は
基地局により、MCCH設定情報に従って、MCCHが変化すると決定された現在のMCCH変更周期の次のMCCH変更周期においてMCCHメッセージを再送信するステップ
を含む。
【００４７】
第２の態様の第１６又は第１７の可能な実現を参照して、第２の態様の第１９の可能な実現では、基地局により、MCCHのMCCH変更周期を決定するステップは、
MCCH送信周期情報が１つのみのMCCH変更周期を含む場合、基地局により、MCCH変更周期をMCCH変更周期として決定するステップ、又は
MCCH送信周期情報が複数のMCCH変更周期を含み、各MCCH変更周期がMCCH変更周期に対応する周期選択パラメータを有する場合、基地局により、MCCH周期選択パラメータ及び基地局により送信される必要のあるマルチキャストサービスに従ってMCCH変更周期を決定するステップ、又は
MCCH設定情報が複数のMCCHを含み、各MCCHが複数のMCCH変更周期を有し、各MCCHがMCCHに対応するMCCH選択パラメータを有する場合、基地局により、MCCH選択パラメータ及び基地局により送信される必要のあるマルチキャストサービスに従って、送信される必要のあるMCCHを決定するステップと、基地局により、MCCH周期選択パラメータ及び基地局により送信される必要のあるマルチキャストサービスに従ってMCCH変更周期を決定するステップ
を含む。
【００４８】
第２の態様の第１〜第１９の可能な実現のうちいずれか１つを参照して、第２の態様の第２０の可能な実現では、MCCH設定情報は、予め定義された設定情報又はMCEにより基地局に送信される設定情報のうち少なくとも１つを含む。
【００４９】
第３の態様によれば、本開示は、ユーザ装置UEを提供し、第１の態様における方法のステップを実行するように構成された様々なモジュールを含む。
【００５０】
第４の態様によれば、本開示は、基地局を提供し、第２の態様における方法のステップを実行するように構成された様々なモジュールを含む。
【００５１】
第５の態様によれば、ユーザ装置UEが提供される。UEの構成は、受信機と、送信機と、プロセッサとを含む。プロセッサは、前述の方法における対応する機能を実行する際にUEをサポートするように構成される。送信機は、モバイルネットワークサーバと通信する際にUEをサポートするように構成される。UEは、メモリを更に含んでもよい。メモリは、プロセッサに結合されるように構成され、UEにより必要とされるプログラム命令及びデータを記憶する。UEは、UEにより、他のデバイス又は通信ネットワークと通信するように構成された通信インタフェースを更に含んでもよい。
【００５２】
第６の態様によれば、基地局が提供される。基地局の構成は、受信機と、送信機と、プロセッサとを含む。プロセッサは、前述の方法における対応する機能を実行する際に基地局をサポートするように構成される。送信機は、モバイルネットワークサーバと通信する際に基地局をサポートするように構成される。基地局は、メモリを更に含んでもよい。メモリは、プロセッサに結合されるように構成され、基地局により必要とされるプログラム命令及びデータを記憶する。基地局は、基地局により、他のデバイス又は通信ネットワークと通信するように構成された通信インタフェースを更に含んでもよい。
【００５３】
第７の態様によれば、本開示は、前述のUEにより使用されるコンピュータソフトウェア命令を記憶するように構成されたコンピュータ記憶媒体を提供し、コンピュータソフトウェア命令は、前述の態様を実行するように設計されたプログラムを含む。
【００５４】
第８の態様によれば、本開示は、前述の基地局により使用されるコンピュータソフトウェア命令を記憶するように構成されたコンピュータ記憶媒体を提供し、コンピュータソフトウェア命令は、前述の態様を実行するように設計されたプログラムを含む。
【００５５】
以下の有益な効果は、本開示の実施例を実現することによって達成できる。
【００５６】
本開示の実施例では、ユーザ装置UEは、MCCH設定情報を決定し、設定情報は、MCCH-RNTI及びMCCH送信周期情報を含み、UEは、MCCH送信周期情報に従ってMCCH送信時間情報を決定し、UEは、MCCH-RNTIを使用することによりMCCH送信時間情報に従ってMCCHメッセージを読み取り、MCCHメッセージは、マルチキャストサービスの設定情報を含み、UEは、マルチキャストサービスの設定情報に従ってマルチキャストサービスを読み取る。本開示の実施例では、UEは、設定されたMCCH-RNTIを使用することによりサブフレーム内のMCCHを識別する。したがって、MCCHは、いずれかのサブフレームで伝送されてUEにより識別されることができ、MBSFNサブフレームのみで伝送されることに限定されず、それにより、他の非MBSFNサブフレームもまた、MCCHを伝送するために使用できる。したがって、本開示の実施例では、MCCHはMBSFNサブフレームで全て伝送されなくてもよく、それにより、いくつかのMBSFNサブフレームは、MCCHを伝送するために使用されなくてもよいが、UEに関係するMBSFNサービスデータを伝送するために全て使用され、それにより、MBSFNサブフレームがMCCHメッセージを伝送するために使用される必要があり且つMBSFNサブフレームリソースがMCCHにより完全に使用できないという事実により引き起こされるMBSFNサブフレームリソースの浪費を低減する。
【図面の簡単な説明】
【００５７】
本開示の実施例における技術的解決策をより明確に説明するために、以下に、実施例又は従来技術を説明するために必要な添付図面を簡単に説明する。明らかに、以下の説明における添付図面は、本開示の単にいくつかの実施例を示しているに過ぎず、当業者は、創造的取り組みなしに依然としてこれらの添付図面から他の図面を導き得る。
【図１】本開示の実施例によるマルチキャストサービス読み取り方法のフローチャートである。
【図２】本開示の実施例によるマルチキャストサービス送信方法のフローチャートである。
【図３】本開示の実施例によるネットワークアーキテクチャの概略図である。
【図４】本開示の実施例によるマルチキャストサービス受信及び送信方法のフローチャートである。
【図５】本開示の実施例によるMCCH伝送機構の概略図である。
【図６】本開示の実施例によるMCCH伝送機構の概略図である。
【図７】本開示の実施例によるMCCH伝送機構の概略図である。
【図８】本開示の実施例によるMCCH伝送機構の概略図である。
【図９】本開示の実施例によるUEの第１の実施例の概略構成図である。
【図１０】本開示の実施例による基地局の第１の実施例の概略構成図である。
【図１１】本開示の実施例によるUEの第２の実施例の概略構成図である。
【図１２】本開示の実施例による基地局の第２の実施例の概略構成図である。
【発明を実施するための形態】
【００５８】
当業者に本開示における解決策をより良く理解してもらうために、以下に、本開示の実施例における添付図面を参照して本開示の実施例における技術的解決策を明確に説明する。明らかに、説明する実施例は、本開示の実施例の全てではなく、単なる一部である。創造的取り組みなしに本開示の実施例に基づいて当業者により得られる全ての他の実施例は、本開示の保護範囲内に入るものとする。
【００５９】
以下に、詳細な説明を別々に与える。
【００６０】
本開示の明細書、特許請求の範囲及び添付図面において、「第１」、「第２」、「第３」、「第４」等の用語は、異なる物を区別することを意図するものであり、特定の順序を示さない。さらに、「含む」、「有する」又はこれらの他の変形は、非排他的包含をカバーすることを意図するものである。例えば、一連のステップ又はモジュールを含むプロセス、方法、システム、プロダクト又はデバイスは、記載のステップ又はモジュールに限定されず、任意選択で記載されていないステップ又はモジュールを更に含むか、或いは任意選択でプロセス、方法、プロダクト又はデバイスの他の固有のステップ又はユニットを更に含む。
【００６１】
この明細書における「実施例」の言及は、実施例を参照して記載される特定の特徴、構成又は特性が本開示の少なくとも１つの実施例に含まれてもよいことを意味する。この明細書内のそれぞれの場所に現れる用語は、同じ実施例、又は互いに他の実施例と排他的である独立若しくは候補の実施例を示さなくてもよい。当業者は、この明細書において記載される実施例が他の実施例と結合されてもよいことを明示的或いは暗示的に理解する。
【００６２】
図１を参照すると、図１は、本開示の実施例によるマルチキャストサービス読み取り方法の第１の実施例のフローチャートである。図１に示すように、本開示のこの実施例によるマルチキャストサービス読み取り方法は、ステップS101〜S104を含んでもよい。
【００６３】
S101：ユーザ装置UEは、MCCH設定情報を決定し、MCCH設定情報は、MCCH-RNTI及びMCCH送信周期情報を含む。
【００６４】
本開示のこの実施例では、ユーザ装置UEは、モバイル電話、タブレットコンピュータ、パーソナルデジタルアシスタント（PDA）、モバイルインターネットデバイス（MID）及びインテリジェントウェアラブルデバイス（例えば、スマートウォッチ又はスマートバンド）のような様々な種類のUEを含んでもよい。これは、本開示のこの実施例において限定されない。
【００６５】
本開示のこの実施例では、MCCH設定情報は、予め定義された設定情報（例えば、プロトコルを使用することによりUE及び基地局により合意されたMCCH設定情報）でもよい。或いは、MCCH設定情報は、基地局により送信されてUEにより受信されるシステムブロードキャストメッセージでもよく、ブロードキャストメッセージは、MCCH設定情報を搬送する。或いは、MCCH設定情報の一部は予め定義され、他の部分は、システムブロードキャストメッセージを使用することにより基地局によりUEに送信されてもよい（例えば、MCCH-RNTI及びMCCH送信周期は、システムブロードキャストメッセージを使用することにより基地局によりUEに送信され、他の設定情報は予め定義される）。
【００６６】
本開示のこの実施例では、MCCH-RNTIは、UEにより、PDCCH（物理下りリンク制御チャネル）又はEPDCCH（拡張物理下りリンク制御チャネル）の検出を実行するために使用される。MCCH設定情報は、少なくとも１つのMCCH設定情報を含む。MCCH設定情報が複数のMCCH設定情報を含む場合、MCCHの複数のMCCH設定情報に含まれるMCCH-RNTIは、同じMCCH-RNTIでもよく、或いはMCCHは、異なるMCCH-RNTIを有する。MCCH送信周期情報は、MCCH変更周期、MCCH繰り返し周期及びMCCHを送信するためのオフセットパラメータを含む。１つの変更周期又は複数の変更周期が１つのMCCHについて設定されてもよい。複数の変更周期が１つのMCCHについて設定された場合、MCCH送信周期情報は、各MCCH変更周期に対応するMCCH周期選択パラメータを更に含み、それにより、UEは、MCCH周期選択パラメータを使用することによりMCCH変更周期を選択できる。MCCH設定情報が複数のMCCH設定情報を含むとき、MCCH設定情報は、MCCHに対応するサービスタイプ情報を更に含む。MCCHに対応するサービスタイプ情報は、UEにより、サービスタイプ情報に従って複数のMCCHの中のMCCHを読み取るように選択するために使用される。
【００６７】
本開示のこの実施例では、MCCH設定情報は、少なくとも１つのMCCH設定情報を含み、UEは、１つのMCCHメッセージ又は複数のMCCHメッセージを読み取ってもよい。例えば、MCCH設定情報は、１つのみのMCCH設定情報を含み、UEは、MCCH設定情報に従ってMCCHメッセージを読み取る。他の例では、MCCH設定情報は、複数のMCCH設定情報を含み、UEは、MCCHに対応するサービスタイプ情報に従って複数のMCCHの中の１つのMCCHを読み取るように選択してもよく、或いはUEは、MCCHに対応するサービスタイプ情報に従って複数のMCCHの中のいくつかのMCCHを読み取るように選択してもよい。同様に、UEは、MCCH設定情報に含まれる全てのMCCHメッセージを読み取ってもよい。UEにより１つのMCCHメッセージを読み取る原理は、複数のMCCHを読み取る原理と同じである。したがって、本開示のこの実施例では、UEが１つのMCCHメッセージを読み取る例を使用することにより、詳細な説明が提供される。
【００６８】
S102：UEは、MCCH送信周期情報に従ってMCCH送信時間情報を決定する。
【００６９】
本開示のこの実施例では、UEにより、MCCH送信周期情報に従ってMCCH送信時間情報を決定する具体的な実現は、UEにより、MCCH繰り返し周期及びMCCHを送信するためのオフセットパラメータに従って、MCCHを送信する時間に対応するサブフレーム位置を決定し、MCCHを送信する時間に対応するサブフレーム位置は、MCCHを送信するためのサブフレーム位置であることでもよい。
【００７０】
本開示の実施例では、各MCCH繰り返し周期内に、MCCHを送信するための１つのみのサブフレームが存在する場合、UEにより、MCCH繰り返し周期及びMCCHを送信するためのオフセットパラメータに従って、MCCHを送信する時間に対応するサブフレーム位置を決定する具体的な実現は、UEにより、システムフレーム番号、サブフレーム番号、MCCH繰り返し周期及びMCCHを送信するためのオフセットパラメータに従って、MCCHを送信する時間に対応するサブフレーム位置を決定することでもよい。
【００７１】
具体的には、UEは、式{[(SFN*10)+subframe  number]  modulo  (R*10)=S}に従って、MCCHを送信するためのサブフレーム位置を決定し、SFNはシステムフレーム番号であり、subframe  numberはサブフレーム番号であり、RはMCCH繰り返し周期であり、SはMCCHのオフセットパラメータである。SFN及びサブフレーム番号が式を満たすとき、MCCHを送信するためのサブフレームが決定される。
【００７２】
本開示の他の実施例は、各MCCH繰り返し周期内に、MCCHを送信するための複数の候補サブフレームが存在する場合、UEにより、MCCH繰り返し周期及びMCCHを送信するためのオフセットパラメータに従って、MCCHを送信する時間に対応するサブフレーム位置を決定する具体的な実現は、UEにより、システムフレーム番号、MCCH繰り返し周期及びMCCHのオフセットパラメータに従って、MCCHを送信する時間に対応するサブフレーム位置セットを決定することでもよい。
【００７３】
具体的には、UEは、式{(SFNs  modulo  (R)=S}に従って、MCCHを送信するためのサブフレーム位置を決定し、SFNsはいずれかのシステムフレーム番号であり、RはMCCH繰り返し周期であり、SはMCCHのオフセットパラメータである。SFNが式を満たすとき、MCCHを送信するためのフレームが決定される。フレームに含まれるサブフレームは、MCCHを送信する時間に対応するサブフレーム位置セットとして決定される。
【００７４】
S103：UEは、MCCH-RNTIを使用することによりMCCH送信時間情報に従ってMCCHメッセージを読み取り、MCCHメッセージは、マルチキャストサービスの設定情報を含む。
【００７５】
本開示のこの実施例では、UEにより、MCCH-RNTIを使用することによりMCCH送信時間情報に従ってMCCHメッセージを読み取る具体的な実現は、UEにより、MCCH-RNTIを使用することにより、MCCHを送信する時間に対応するサブフレーム位置で物理下りリンク制御チャネルPDCCH又は拡張物理下りリンク制御チャネルEPDCCHを読み取り、UEにより、PDCCH又はEPDCCH上の指定のMCCHメッセージリソース位置でMCCHメッセージを読み取ることである。
【００７６】
S104：UEは、マルチキャストサービスの設定情報に従ってマルチキャストサービスを読み取る。
【００７７】
本開示の実施例では、マルチキャストサービスの設定情報が一時マルチキャストグループ識別子及びマルチキャストサービスをスケジューリングするためのG-RNTIを含む場合、UEにより、マルチキャストサービスの設定情報に従ってマルチキャストサービスを読み取る具体的な実現は、UEにより、マルチキャストサービスをスケジューリングするためのG-RNTIに従って、一時マルチキャストグループ識別子に対応するマルチキャストサービスを読み取ることである。
【００７８】
具体的には、UEにより、マルチキャストサービスをスケジューリングするためのG-RNTIに従って、一時マルチキャストグループ識別子に対応するマルチキャストサービスを読み取る具体的な実現は、UEにより、マルチキャストサービスのG-RNTIに従ってPDCCHスケジューリング情報を読み取り、UEにより、PDCCHスケジューリング情報に従って、一時マルチキャストグループ識別子に対応するマルチキャストサービスに対応する周波数リソース及び変調方式を決定し、周波数リソース及び変調方式に従ってマルチキャストサービスを読み取ることである。任意選択で、マルチキャストサービスの設定情報が一時マルチキャストグループ識別子、マルチキャストサービスをスケジューリングするためのG-RNTI及びマルチキャストサービスの伝送モードを含む場合、UEにより、マルチキャストサービスの設定情報に従ってマルチキャストサービスを読み取る具体的な実現は、UEにより、マルチキャストサービスをスケジューリングするためのG-RNTI及びマルチキャストサービスの伝送モードに従って、一時マルチキャストグループ識別子に対応するマルチキャストサービスを読み取ることである。
【００７９】
具体的には、UEにより、マルチキャストサービスをスケジューリングするためのG-RNTIに従って、一時マルチキャストグループ識別子に対応するマルチキャストサービスを読み取る具体的な実現は、UEにより、マルチキャストサービスのG-RNTIに従ってPDCCHスケジューリング情報を読み取り、UEにより、PDCCHスケジューリング情報に従って、一時マルチキャストグループ識別子に対応するマルチキャストサービスに対応する周波数リソース及び変調方式を決定し、周波数リソース、変調方式及びマルチキャストサービスの伝送モードに従ってマルチキャストサービスを読み取ることである。
【００８０】
本開示の他の実施例では、マルチキャストサービスの設定情報は、一時マルチキャストグループ識別子及びマルチキャストサービスのスケジューリング情報を含み、UEにより、マルチキャストサービスの設定情報に従ってマルチキャストサービスを読み取る具体的な実現は、UEにより、マルチキャストサービスのスケジューリング情報に従って、一時マルチキャストグループ識別子に対応するマルチキャストサービスを読み取ることである。
【００８１】
具体的には、UEにより、マルチキャストサービスのスケジューリング情報に従って、一時マルチキャストグループ識別子に対応するマルチキャストサービスを読み取る具体的な実現は、UEにより、マルチキャストサービスのスケジューリング情報に従って、マルチキャストサービスに対応する周波数リソース、時間リソース、変調方式、符号化方式等を決定し、マルチキャストサービスを更に読み取ることである。
【００８２】
任意選択で、マルチキャストサービスの設定情報は、一時マルチキャストグループ識別子、マルチキャストサービスのスケジューリング情報及びマルチキャストサービスの伝送モードを含み、UEにより、マルチキャストサービスの設定情報に従ってマルチキャストサービスを読み取る具体的な実現は、UEにより、マルチキャストサービスのスケジューリング情報及びマルチキャストサービスの伝送モードに従って、一時マルチキャストグループ識別子に対応するマルチキャストサービスを読み取ることである。
【００８３】
具体的には、UEにより、マルチキャストサービスのスケジューリング情報及びマルチキャストサービスの伝送モードに従って、一時マルチキャストグループ識別子に対応するマルチキャストサービスを読み取る具体的な実現は、UEにより、マルチキャストサービスのスケジューリング情報に従って、マルチキャストサービスに対応する周波数リソース、時間リソース、変調方式、符号化方式等を決定し、マルチキャストサービスを更に読み取ることである。
【００８４】
本開示のこの実施例では、ユーザ装置UEは、MCCH設定情報を決定し、設定情報は、MCCH-RNTI及びMCCH送信周期情報を含み、UEは、MCCH送信周期情報に従ってMCCH送信時間情報を決定し、UEは、MCCH-RNTIを使用することによりMCCH送信時間情報に従ってMCCHメッセージを読み取り、MCCHメッセージは、マルチキャストサービスの設定情報を含み、UEは、マルチキャストサービスの設定情報に従ってマルチキャストサービスを読み取ることが習得できる。本開示のこの実施例では、UEは、MCCH-RNTIを設定することによりサブフレーム内のMCCHを識別する。したがって、MCCHは、いずれかのサブフレームで伝送でき、MBSFNサブフレームのみで伝送されることに限定されず、それにより、他の非MBSFNサブフレームもまた、MCCHを伝送するために使用できる。したがって、MCCHはMBSFNサブフレームで全て伝送されなくてもよく、それにより、いくつかのMBSFNサブフレームは、MCCHを伝送するために使用されなくてもよいが、UEに関係するMBSFNサービスデータを伝送するために全て使用され、それにより、MBSFNサブフレームの浪費を低減する。
【００８５】
任意選択で、UEにより、MCCH設定情報を決定した後に、図１に示すマルチキャストサービス読み取り方法は、
MCCHが変化するとUEが決定した場合、UEにより、MCCH設定情報に従ってMCCHメッセージを再び読み取ることを更に含む。
【００８６】
UEにより、MCCH設定情報に従ってMCCHメッセージを再び読み取る具体的な実現は、UEにより、MCCH設定情報に従って、MCCHが変化すると決定された現在のMCCH変更周期においてMCCHメッセージを再び読み取ること、又はUEにより、MCCH設定情報に従って、MCCHが変化すると決定された現在のMCCH変更周期の次のMCCH変更周期においてMCCHメッセージを再び読み取ることである。
【００８７】
任意選択で、UEにより、MCCH設定情報に従ってMCCHメッセージを再び読み取る前に、図１に示すマルチキャストサービス読み取り方法は、
UEにより、MCCHのMCCH変更周期を決定し、UEにより、PDCCH又はEPDCCH上でMCCH変更識別子を取得するために、MCCH-RNTIに従ってMCCH変更周期においてPDCCH又はEPDCCHを読み取り、変更識別子は、以下の変更識別子、すなわち、PDCCH又はEPDCCHの変更識別子フィールド内の変更識別子、NDI、プロセス番号、又はNDIとプロセス番号との組み合わせのうちいずれか１つを含み、UEにより、MCCH変更識別子に従って、MCCHが変化するか否かを決定し、MCCH変更識別子が前の変更周期における変更識別子と異なる場合、UEにより、MCCHが変化すると決定すること、又はMCCH変更識別子が第１の予め設定された値と同じである場合、UEにより、MCCHが変化すると決定することを更に含む。
【００８８】
任意選択で、UEにより、MCCH設定情報に従ってMCCHメッセージを再び読み取る前に、図１に示すマルチキャストサービス読み取り方法は、
UEにより、MCCHのMCCH変更周期及びMCCH変更周期に対応するM-RNTIを決定し、UEにより、非MBSFNサブフレーム内で、M-RNTIに対応するPDCCH上に含まれる変更通知フィールドを読み取り、変更通知フィールド内のMCCHに対応するビット値が第２の予め設定された値と同じである場合、UEにより、MCCHが変化すると決定することを更に含む。
【００８９】
UEにより、MCCHのMCCH変更周期を決定する具体的な実現は、MCCH送信周期情報が１つのみのMCCH変更周期を含む場合、UEにより、MCCH変更周期をMCCH変更周期として決定すること、又はMCCH送信周期情報が複数のMCCH変更周期を含み、各MCCH変更周期がMCCH変更周期に対応する周期選択パラメータを有する場合、UEにより、MCCH周期選択パラメータ及びUEにより読み取られる必要のあるマルチキャストサービスに従ってMCCH変更周期を決定すること、又はMCCH設定情報が複数のMCCHを含み、各MCCHが複数のMCCH変更周期を有し、各MCCHがMCCHに対応するMCCH選択パラメータを有する場合、UEにより、MCCH選択パラメータ及びUEにより読み取られる必要のあるマルチキャストサービスに従って、読み取られる必要のあるMCCHを決定し、UEにより、MCCH周期選択パラメータ及びUEにより読み取られる必要のあるマルチキャストサービスに従ってMCCH変更周期を決定することでもよい。
【００９０】
図２を参照すると、図２は、本開示の実施例によるマルチキャストサービス受信及び送信方法のフローチャートである。図２に示すように、本開示のこの実施例によるマルチキャストサービス受信及び送信方法のフローチャートは、ステップS201〜S204を含んでもよい。
【００９１】
S201：基地局は、MCCH設定情報を決定し、MCCH設定情報は、MCCH-RNTI及びMCCH送信周期情報を含む。
【００９２】
S202：基地局は、MCCH送信周期情報に従ってMCCH送信時間情報を決定する。
【００９３】
本開示のこの実施例では、基地局により、MCCH送信周期情報に従ってMCCH送信時間情報を決定する具体的な実現は、基地局により、MCCH繰り返し周期及びMCCHを送信するためのオフセットパラメータに従って、MCCHを送信する時間に対応するサブフレーム位置を決定することである。
【００９４】
本開示の実施例では、各MCCH繰り返し周期内に、MCCHを送信するための１つのみのサブフレームが存在する場合、基地局により、MCCH繰り返し周期及びMCCHを送信するためのオフセットパラメータに従って、MCCHを送信する時間に対応するサブフレーム位置を決定する具体的な実現は、基地局により、システムフレーム番号、サブフレーム番号、MCCH繰り返し周期及びMCCHを送信するためのオフセットパラメータに従って、MCCHを送信する時間に対応するサブフレーム位置を決定することである。
【００９５】
本開示の他の実施例では、各MCCH繰り返し周期内に、MCCHを送信するための複数の候補サブフレームが存在する場合、基地局により、MCCH繰り返し周期及びMCCHを送信するためのオフセットパラメータに従って、MCCH送信時間情報に対応するサブフレーム位置を決定する具体的な実現は、基地局により、システムフレーム番号、MCCH繰り返し周期及びMCCHのオフセットパラメータに従って、MCCHを送信する時間に対応するサブフレーム位置セットを決定することである。
【００９６】
S203：基地局は、MCCH-RNTIを使用することによりMCCH送信時間情報に従ってMCCHメッセージを送信し、MCCHメッセージは、マルチキャストサービスの設定情報を含む。
【００９７】
本開示のこの実施例では、基地局により、MCCH-RNTIを使用することによりMCCH送信時間情報に従ってMCCHメッセージを送信する具体的な実現は、基地局により、MCCH-RNTIを使用することにより、MCCHを送信する時間に対応するサブフレーム位置で物理下りリンク制御チャネルPDCCH又は拡張物理下りリンク制御チャネルEPDCCHを送信し、基地局により、PDCCH又はEPDCCH上の指定のMCCHメッセージリソース位置でMCCHメッセージを送信することである。
【００９８】
S204：基地局は、マルチキャストサービスの設定情報に従ってマルチキャストサービスを送信する。
【００９９】
本開示のこの実施例では、マルチキャストサービスの設定情報は、以下の情報、すなわち、一時マルチキャストグループ識別子（例えば、TMGI）、マルチキャストサービスをスケジューリングするためのG-RNTI、マルチキャストサービスのスケジューリング情報又はマルチキャストサービスの伝送モードTM（例えば、TM1：単一アンテナモード、TM2：送信ダイバーシチモード又はTM3：開ループ・マルチプルインプット・マルチプルアウトプット・モード）のうち少なくとも１つを含む。
【０１００】
本開示の実施例は、基地局により、マルチキャストサービスの設定情報に従ってマルチキャストサービスを送信する具体的な実現は、基地局により、マルチキャストサービスをスケジューリングするためのG-RNTIに従って、一時マルチキャストグループ識別子に対応するマルチキャストサービスを送信することである。
【０１０１】
基地局により、マルチキャストサービスをスケジューリングするためのG-RNTIに従って、一時マルチキャストグループ識別子に対応するマルチキャストサービスを送信する具体的な実現は、基地局により、マルチキャストサービスのG-RNTIに従ってPDCCHスケジューリング情報又はE-PDCCHスケジューリング情報をUEに送信し、PDCCHスケジューリング情報又はE-PDCCHスケジューリング情報は、周波数リソース及び変調方式を搬送し、周波数リソース及び変調方式に従ってマルチキャストサービスを送信することである。
【０１０２】
任意選択で、マルチキャストサービスをスケジューリングするためのG-RNTI及び一時マルチキャストグループ識別子は、MCEにより基地局に送信される。具体的な実現は、基地局により、MCEにより基地局に送信された識別子設定情報を受信し、識別子設定情報は、マルチキャストサービス有効通知であり、マルチキャストサービス有効通知は、マルチキャスト伝送のサービスの一時マルチキャストグループ識別子及びマルチキャストサービスをスケジューリングするためのG-RNTIを搬送し、基地局により、マルチキャストサービス有効通知に従って、マルチキャストサービスを読み取るために使用される、マルチキャストサービスをスケジューリングするためのG-RNTI及び一時マルチキャストグループ識別子を決定することである。MCEは、マルチキャストサービスをスケジューリングするためのG-RNTI及び一時マルチキャストグループ識別子を基地局に送信し、それにより、UEがマルチキャストサービスをスケジューリングするための同じG-RNTI及び同じ一時マルチキャストグループ識別子を読み取ることを確保する。
【０１０３】
本開示の他の実施例では、基地局により、マルチキャストサービスの設定情報に従ってマルチキャストサービスを送信する具体的な実現は、基地局により、マルチキャストサービスのG-RNTIに従ってPDCCHスケジューリング情報又はE-PDCCHスケジューリング情報をUEに送信し、PDCCHスケジューリング情報又はE-PDCCHスケジューリング情報は、周波数リソース及び変調方式を搬送し、周波数リソース、変調方式及びマルチキャストサービスの伝送モードに従ってマルチキャストサービスを送信することである。
【０１０４】
本開示の他の実施例では、基地局により、マルチキャストサービスの設定情報に従ってマルチキャストサービスを送信する具体的な実現は、基地局により、マルチキャストサービスのスケジューリング情報に従って、一時マルチキャストグループ識別子に対応するマルチキャストサービスを送信することである。
【０１０５】
具体的には、基地局は、マルチキャストサービスのスケジューリング情報に従って、マルチキャストサービスに対応する周波数リソース、時間リソース、変調方式、符号化方式等を決定し、次に、マルチキャストサービスに対応する周波数リソース、時間リソース、変調方式、符号化方式等に従ってマルチキャストサービスを送信する。
【０１０６】
本開示の他の実施例では、基地局により、マルチキャストサービスの設定情報に従ってマルチキャストサービスを送信する具体的な実現は、基地局により、マルチキャストサービスのスケジューリング情報及びマルチキャストサービスの伝送モードに従って、一時マルチキャストグループ識別子に対応するマルチキャストサービスを送信することである。
【０１０７】
本開示のこの実施例では、基地局は、MCCH設定情報を決定し、MCCH設定情報は、MCCH-RNTI及びMCCH送信周期情報を含み、基地局は、MCCH送信周期情報に従ってMCCH送信時間情報を決定し、基地局は、MCCH-RNTIを使用することによりMCCH送信時間情報に従ってMCCHメッセージを送信し、MCCHメッセージは、マルチキャストサービスの設定情報を含み、基地局は、マルチキャストサービスの設定情報に従ってマルチキャストサービスを送信することが習得できる。本開示のこの実施例では、UEは、MCCH-RNTIを設定することによりサブフレーム内のMCCHを識別する。したがって、MCCHは、いずれかのサブフレームで伝送でき、MBSFNサブフレームのみで伝送されることに限定されず、それにより、他の非MBSFNサブフレームもまた、MCCHを伝送するために使用できる。したがって、MCCHはMBSFNサブフレームで全て伝送されなくてもよく、それにより、いくつかのMBSFNサブフレームは、MCCHを伝送するために使用されなくてもよいが、UEに関係するMBSFNサービスデータを伝送するために全て使用され、それにより、MBSFNサブフレームの浪費を低減する。
【０１０８】
任意選択で、基地局により、MCCH設定情報を決定した後に、図２に示すマルチキャストサービス送信方法は、
MCCHが変化すると基地局が決定した場合、基地局により、MCCHの変更通知を送信し、
基地局により、MCCH設定情報に従ってMCCHメッセージを再送信することを更に含む。
【０１０９】
任意選択で、基地局により、MCCHの変更通知を送信する具体的な実現は、基地局により、MCCHのMCCH変更周期を決定し、基地局により、MCCH-RNTIに従ってMCCH変更周期においてPDCCH又はEPDCCH上で変更識別子を送信し、変更識別子は、NDI及び／又はプロセス番号を含むことである。変更識別子は、前の変更周期における変更識別子と異なるか、或いは変更識別子は、第１の予め設定された値の変更識別子である。
【０１１０】
任意選択で、基地局により、MCCHの変更通知を送信する具体的な実現は、基地局により、MCCHのMCCH変更周期及びMCCH変更周期に対応するM-RNTIを決定し、基地局により、MCCHに対応する変更通知フィールド内のビット値を送信し、ビット値は、第２の予め設定された値と同じであり、MCCHに対応する変更通知フィールドは、非MBSFNサブフレーム内のM-RNTIに対応するPDCCH上に含まれる変更通知フィールドであることである。
【０１１１】
任意選択で、基地局により、MCCH設定情報に従ってMCCHメッセージを再送信することは、基地局により、MCCH設定情報に従って、MCCHが変化すると決定された現在のMCCH変更周期においてMCCHメッセージを再送信すること、又は基地局により、MCCH設定情報に従って、MCCHが変化すると決定された現在のMCCH変更周期の次のMCCH変更周期においてMCCHメッセージを再送信することを含む。
【０１１２】
任意選択で、基地局により、MCCHのMCCH変更周期を決定することは、
MCCH送信周期情報が１つのみのMCCH変更周期を含む場合、基地局により、MCCH変更周期をMCCH変更周期として決定すること、又はMCCH送信周期情報が複数のMCCH変更周期を含み、各MCCH変更周期がMCCH変更周期に対応する周期選択パラメータを有する場合、基地局により、MCCH周期選択パラメータ及び基地局により送信される必要のあるマルチキャストサービスに従ってMCCH変更周期を決定すること、又はMCCH設定情報が複数のMCCHを含み、各MCCHが複数のMCCH変更周期を有し、各MCCHがMCCHに対応するMCCH選択パラメータを有する場合、基地局により、MCCH選択パラメータ及び基地局により送信される必要のあるマルチキャストサービスに従って、送信される必要のあるMCCHを決定し、基地局により、MCCH周期選択パラメータ及び基地局により送信される必要のあるマルチキャストサービスに従ってMCCH変更周期を決定することを含む。
【０１１３】
任意選択で、基地局により、MCCH設定情報を決定した後に、図２に示すマルチキャストサービス送信方法は、基地局により、システムブロードキャストメッセージをUEに送信し、メッセージは、MCCH設定情報を搬送し、それにより、UEは、MCCH設定情報に従ってMCCHメッセージを読み取ることを更に含む。
【０１１４】
本開示の実施例の理解を容易にするために、本開示の実施例におけるネットワークアーキテクチャについて、まず以下に説明する。図３を参照すると、図３は、本開示の実施例によるネットワークアーキテクチャの概略図である。図３に示すように、本開示のこの実施例におけるネットワークアーキテクチャは、UE及び基地局を含んでもよい。基地局は、MCCH設定情報に従ってMCCH送信時間情報を決定し、MCCH-RNTIを使用することによりMCCH送信時間情報に従ってMCCHメッセージを送信し、MCCHメッセージは、マルチキャストサービスの設定情報を含む。次に、基地局は、マルチキャストサービスの設定情報に従ってマルチキャストサービスを送信する。UEは、MCCH設定情報に従ってMCCH送信時間情報を決定し、MCCH-RNTIを使用することによりMCCH送信時間情報に従ってMCCHメッセージを読み取り、MCCHメッセージは、マルチキャストサービスの設定情報を含む。次に、UEは、マルチキャストサービスの設定情報に従ってマルチキャストサービスを読み取る。
【０１１５】
図３に示すネットワークアーキテクチャでは、UEは、MCCH-RNTIを設定することによりサブフレーム内のMCCHを識別する。したがって、MCCHは、いずれかのサブフレームで伝送でき、MBSFNサブフレームのみで伝送されることに限定されず、それにより、他の非MBSFNサブフレームもまた、MCCHを伝送するために使用できる。したがって、MCCHはMBSFNサブフレームで全て伝送されなくてもよく、それにより、いくつかのMBSFNサブフレームは、MCCHを伝送するために使用されなくてもよいが、UEに関係するMBSFNサービスデータを伝送するために全て使用され、それにより、MBSFNサブフレームの浪費を低減する。
【０１１６】
図３に示すネットワークアーキテクチャに基づいて、本開示の実施例は、マルチキャストサービス受信及び送信方法を開示する。図４を参照すると、図４は、本開示のこの実施例によるマルチキャストサービス受信及び送信方法のフローチャートである。図４に示すように、本開示のこの実施例によるマルチキャストサービス受信及び送信方法は、ステップS401〜S408を含んでもよい。
【０１１７】
S401：基地局は、MCCH設定情報を決定し、MCCH設定情報は、MCCH-RNTI及びMCCH送信周期情報を含む。
【０１１８】
S402：基地局は、MCCH送信周期情報に従ってMCCH送信時間情報を決定する。
【０１１９】
S403：基地局は、MCCH-RNTIを使用することによりMCCH送信時間情報に従ってMCCHメッセージを送信し、MCCHメッセージは、マルチキャストサービスの設定情報を含む。
【０１２０】
S404：基地局は、マルチキャストサービスの設定情報に従ってマルチキャストサービスをUEに送信する。
【０１２１】
S405：UEは、MCCH設定情報を決定し、MCCH設定情報は、MCCH-RNTI及びMCCH送信周期情報を含む。
【０１２２】
S406：UEは、MCCH送信周期情報に従ってMCCH送信時間情報を決定する。
【０１２３】
S407：UEは、MCCH-RNTIを使用することによりMCCH送信時間情報に従ってMCCHメッセージを読み取り、MCCHメッセージは、マルチキャストサービスの設定情報を含む。
【０１２４】
S408：UEは、マルチキャストサービスの設定情報に従って、基地局によりUEに送信されたマルチキャストサービスを読み取る。
【０１２５】
本開示のこの実施例では、ステップS404における設定情報は、ステップS401の後に基地局によりUEに送信されてもよく、或いはUE及び基地局により予め定義されてもよい（例えば、プロトコルを使用することによりUE及び基地局により合意されたMCCH設定情報）。或いは、ステップS404における設定情報の一部がステップS401の後に基地局によりUEに送信され、設定情報の一部がUE及び基地局により予め定義される。
【０１２６】
本開示のこの実施例では、ステップS402及びステップS406におけるMCCH送信時間情報を決定する具体的な実現は以下の通りである。
【０１２７】
各MCCH繰り返し周期内に、MCCHを送信するための１つのみのサブフレームが存在する場合、UE／基地局により、MCCH繰り返し周期及びMCCHを送信するためのオフセットパラメータに従って、MCCHを送信する時間に対応するサブフレーム位置を決定する具体的な実現は、UE／基地局により、システムフレーム番号、サブフレーム番号、MCCH繰り返し周期及びMCCHを送信するためのオフセットパラメータに従って、MCCH送信時間情報に対応するサブフレーム位置を決定することでもよい。
【０１２８】
具体的には、UE／基地局は、式{[(SFN*10)+subframe  number]  modulo  (R*10)=S}に従って、MCCHを送信するためのサブフレーム位置を決定し、SFNはシステムフレーム番号であり、subframe  numberはサブフレーム番号であり、RはMCCH繰り返し周期であり、SはMCCHのオフセットパラメータである。
【０１２９】
例えば、図５に示すように、MCCH繰り返し周期Rは2に等しく、MCCHのオフセットパラメータSは3に等しい。式{[(SFN*10)+subframe  number]  modulo  (R*10)=S}に従って、SFN=2である場合、2*10+mod20=3であり、式が満たされる。SFN=4である場合、4*10+mod20=3であり、式が満たされる。SFN=5である場合、5*10+mod20=13であり、式が満たされない。SFN=6である場合、6*10+mod20=3であり、式が満たされ、以下同様である。したがって、SFNが2、4、6等であるフレームの第３のサブフレームは、MCCHを送信する条件を満たすことが取得できる。したがって、SFNが2、4、6等であるフレームの第３のサブフレームは、MCCHを送信する時間に対応するサブフレーム位置である。
【０１３０】
各MCCH繰り返し周期内に、MCCHを送信するための複数の候補サブフレームが存在する場合、UE／基地局により、MCCH繰り返し周期及びMCCHを送信するためのオフセットパラメータに従って、MCCHを送信する時間に対応するサブフレーム位置を決定する具体的な実現は、UE／基地局により、システムフレーム番号、MCCH繰り返し周期及びMCCHのオフセットパラメータに従って、MCCHを送信する時間に対応するサブフレーム位置セットを決定することでもよい。
【０１３１】
具体的には、UE／基地局は、式{(SFNs  modulo  (R)=S}に従って、MCCHを送信するためのサブフレーム位置を決定し、SFNsはいずれかのシステムフレーム番号であり、RはMCCH繰り返し周期であり、SはMCCHのオフセットパラメータである。
【０１３２】
例えば、図６に示すように、MCCH繰り返し周期Rは2に等しく、MCCHのオフセットパラメータSは1に等しい。式{(SFNs  modulo  (R)=S}に従って、SFNs=3である場合、3mod2=1であり、式が満たされる。SFNs=4である場合、4mod2=0であり、式が満たされない。SFNs=7である場合、7mod2=1であり、式が満たされる。SFNs=9である場合、9mod2=1であり、式が満たされ、以下同様である。したがって、SFNが3、7、9等であるフレームは、MCCHを送信する条件を満たすことが取得できる。すなわち、SFNが3、7、9等であるフレームに含まれるサブフレームは、MCCHを送信するために全て使用されてもよい。この場合、UEは、MCCH-RNTIを使用することにより、それらのフレームの全てのサブフレームを検出する必要があり、それにより、MCCHメッセージを送信するためのサブフレームを決定するのを助ける。式{(SFNs  modulo  (R)=S}を満たすフレームは、MCCHを送信する時間に対応するサブフレーム位置セットである。
【０１３３】
各MCCH繰り返し周期内に、MCCHを送信するための１つ以上のサブフレームが存在する場合、UE／基地局により、MCCH繰り返し周期及びMCCHを送信するためのオフセットパラメータに従って、MCCHを送信する時間に対応するサブフレーム位置を決定する具体的な実現は、UE／基地局により、システムフレーム番号、MCCH繰り返し周期及びMCCHのオフセットパラメータに従って、MCCHを送信するフレームを決定し、UE／基地局により、MCCHサブフレームセット設定情報及びMCCHのフレームに従って、MCCH送信時間情報に対応するサブフレーム位置セットを決定することでもよい。
【０１３４】
任意選択で、MCCHサブフレームセット設定情報は、MCCHサブフレーム系列を含む。或いは、MCCHサブフレームセット設定情報は、MCCHサブフレーム開始位置を含む。或いは、MCCHサブフレームセット設定情報は、MCCHサブフレーム開始位置及び送信持続時間情報を含む。
【０１３５】
任意選択で、UEについて、MCCHサブフレームセット設定情報は、MCCH設定シグナリングを使用することにより、基地局によりUEに送信されてもよく、或いは予め定義されてもよい。これは、開示において限定されない。MCCH設定シグナリングは、システムブロードキャストメッセージ又はUEの専用シグナリングでもよい。
【０１３６】
任意選択で、基地局について、MCCHサブフレームセット設定情報は、基地局により、送信対象のMCCHのサブフレーム情報に従って決定される。
【０１３７】
送信対象のMCCHのサブフレーム情報は、送信対象のMCCHのサブフレーム位置を含み、MCCHサブフレームセット設定情報は、MCCHサブフレーム系列を含み、MCCHサブフレーム系列は、基地局により送信対象のMCCHのサブフレーム位置に従って決定される。或いは、送信対象のMCCHのサブフレーム情報は、送信対象のMCCHのサブフレームの数量を含み、送信対象のMCCHの１つのサブフレームが存在する場合、MCCHサブフレームセット設定情報は、MCCHサブフレーム開始位置を含むか、或いは送信対象のMCCHの複数のサブフレームが存在する場合、MCCHサブフレームセット設定情報は、MCCHサブフレーム開始位置及び送信持続時間情報を含む。
【０１３８】
任意選択で、UE／基地局により、システムフレーム番号、MCCH繰り返し周期及びMCCHのオフセットパラメータに従って、MCCHのフレームを決定する具体的な実現は、UE／基地局により、式{(SFNs  modulo  (R)=S}に従って、MCCHを送信するためのフレームを決定し、SFNsはシステムフレーム番号であり、RはMCCH繰り返し周期であり、SはMCCHのオフセットパラメータであることである。式を満たすSFNに対応するシステムフレームは、MCCHを送信するためのシステムフレームである。
【０１３９】
任意選択で、MCCHサブフレーム系列は、ビットマップ系列又はサブフレームセット系列である。UEにより、MCCHを送信するためのフレーム、ビットマップ系列内の各ビットの値及びビットマップ系列内の各ビットに対応するサブフレーム番号に従って、MCCH送信時間情報に対応するサブフレーム位置セットを決定する具体的な実現は、ビットマップ系列内の各ビットが１つのサブフレームに対応しており、ビットマップ系列内の各ビットの値が、対応するサブフレームがMCCHを送信するために使用されるか否かを識別することである。例えば、ビットマップ系列は10ビットを含み、第１〜第１０ビットはサブフレーム0〜9にそれぞれ対応している。具体的には、例えば、ビットマップ系列は001100000であり、サブフレーム2及びサブフレーム3がMCCHを送信するために使用され、残りのサブフレームがMCCHを送信するために使用されないことを示す。サブフレームセット系列は、サブフレームにより形成されたセットである。例えば、サブフレームセット系列がサブフレーム2、3及び4を含む場合、それは、サブフレーム2、3及び4がMCCHを送信するために使用され、残りのサブフレームがMCCHを送信するために使用されないことを示す。
【０１４０】
MCCHサブフレーム開始位置は、MCCHを送信するための開始サブフレームを示すために使用され、送信持続時間情報は、MCCHを送信するために必要とされるサブフレームの総数量、又は開始サブフレーム以外のMCCHを送信するために必要とされるサブフレームの総数量を示すために使用される。
【０１４１】
UE／基地局により、MCCHサブフレーム開始位置に従って、MCCHを送信するための開始サブフレームを決定し、MCCHを送信する開始サブフレーム及び送信持続時間情報に従って、MCCHを送信するための全てのサブフレームを決定する具体的な実現は、
基地局について、MCCHが１つのサブフレーム内で完全に送信できる場合、基地局により、MCCHサブフレームセット設定情報においてMCCHを送信するための開始サブフレームを設定し、送信持続時間情報を設定せず、MCCHを送信するための開始サブフレーム内でMCCHを送信すること、又はMCCHが１つのサブフレーム内で完全に送信できない場合、基地局により、MCCHサブフレームセット設定情報においてMCCHを送信するための開始サブフレームを設定し、送信持続時間情報を設定し、基地局により、開始サブフレーム及び送信持続時間に従って、MCCHを送信するためのサブフレームを決定し、具体的な決定方法は、UEにより実行される決定方法と同じであることであり、
UEについて、MCCHサブフレームセット設定情報が送信持続時間情報を含む場合、UEにより、送信持続時間情報に従って、MCCHを送信するためのサブフレームの総数量を決定し、UEにより、MCCHを送信するためのサブフレームの総数量及びMCCHを送信するための開始サブフレームに従って、MCCHを送信するための全てのサブフレームを決定するか、或いはUEにより、MCCHを送信するためのサブフレームの総数量、MCCHを送信するための開始サブフレーム及びMBSFNサブフレーム設定に従って、MCCHを送信するための全てのサブフレームを決定すること、又はMCCHサブフレームセット設定情報が送信持続時間情報を含まない場合、UE／基地局により、MCCHを送信するための１つのサブフレームが存在することを決定し、サブフレームは、MCCHを送信するための開始サブフレームであることである。
【０１４２】
例えば、MCCHサブフレーム開始位置がサブフレーム3であり、且つ持続時間が３つのサブフレームであることをMCCHサブフレームセット設定情報が含む場合、UE／基地局は、MCCHを送信するためのサブフレームがサブフレーム3、4及び5又はサブフレーム3、4、5及び6であると決定する。他の例では、MCCHサブフレーム開始位置がサブフレーム3であり、且つ持続時間が３つのサブフレームであることをMCCHサブフレームセット設定情報が含み、サブフレーム4及び5がMBSFNサブフレームであることをMBSFNサブフレーム設定が示す場合、UE／基地局は、MCCHを送信するためのサブフレームが、サブフレーム3から始まる３つの連続する非MBSFNサブフレーム3、6及び7であると決定する。他の例では、MCCHサブフレーム開始位置がサブフレーム3であり、且つ持続時間情報が存在しないことをMCCHサブフレームセット設定情報が含む場合、UE／基地局は、MCCHを送信するためのサブフレームがサブフレーム3であると決定する。
【０１４３】
任意選択で、UE／基地局は、更に、MCCHサブフレームセット設定情報に従って開始サブフレームを決定し、開始サブフレームをMCCH変更通知のサブフレームとして使用してもよい。或いは、UE／基地局は、更に、MCCHサブフレームセット設定情報に従って、MCCHを送信するための全てのサブフレームを決定し、MCCHを送信するための全てのサブフレーム内のいずれかのサブフレームをMCCH変更通知のサブフレームとして使用してもよい。
【０１４４】
具体的には、MCCHサブフレームセット設定情報は、開始サブフレーム位置を含み、UE／基地局は、開始サブフレーム位置に従って開始サブフレームを決定し、開始サブフレームをMCCH変更通知のサブフレームとして使用してもよい。或いは、UE／基地局は、MCCHサブフレームセット設定情報に従ってMCCHサブフレーム位置セットを決定してもよく、UE／基地局は、MCCHサブフレーム位置セットに従って、MCCHを送信するための全てのサブフレームを決定し、MCCHを送信するための全てのサブフレーム内のいずれかのサブフレームをMCCH変更通知のサブフレームとして使用してもよい。
【０１４５】
本開示のこの実施例では、ユーザ装置UEは、MCCH設定情報を決定し、設定情報は、MCCH-RNTI及びMCCH送信周期情報を含み、UEは、MCCH送信周期情報に従ってMCCH送信時間情報を決定し、UEは、MCCH-RNTIを使用することによりMCCH送信時間情報に従ってMCCHメッセージを読み取り、MCCHメッセージは、マルチキャストサービスの設定情報を含み、UEは、マルチキャストサービスの設定情報に従ってマルチキャストサービスを読み取ることが習得できる。本開示のこの実施例では、UEは、MCCH-RNTIを設定することによりサブフレーム内のMCCHを識別する。したがって、MCCHは、いずれかのサブフレームで伝送でき、MBSFNサブフレームのみで伝送されることに限定されず、それにより、他の非MBSFNサブフレームもまた、MCCHを伝送するために使用できる。したがって、MCCHはMBSFNサブフレームで全て伝送されなくてもよく、それにより、いくつかのMBSFNサブフレームは、MCCHを伝送するために使用されなくてもよいが、UEに関係するMBSFNサービスデータを伝送するために全て使用され、それにより、MBSFNサブフレームの浪費を低減する。
【０１４６】
任意選択で、MCCHが変化することを基地局が検出した場合、基地局は、MCCHの変更通知を送信し、MCCH設定情報に従ってMCCHメッセージを再送信する。MCCHが変化すると決定したとき、UEは、MCCH設定情報に従ってMCCHメッセージを再び読み取る。
【０１４７】
本開示のこの実施例では、UEにより、MCCHが変化すると決定する具体的な実現は以下の通りである。
【０１４８】
UEは、MCCHのMCCH変更周期を決定し、UEは、PDCCH又はEPDCCH上でMCCH変更識別子を取得するために、MCCH-RNTIに従ってMCCH変更周期においてPDCCH又はEPDCCHを読み取り、変更識別子は、以下の変更識別子、すなわち、PDCCH又はEPDCCHの変更識別子フィールド内の変更識別子、NDI、プロセス番号、又はNDIとプロセス番号との組み合わせのうちいずれか１つを含み、UEは、MCCH変更識別子に従って、MCCHが変化するか否かを決定し、MCCH変更識別子が前の変更周期における変更識別子と異なる場合、UEは、MCCHが変化すると決定するか、或いはMCCH変更識別子が第１の予め設定された値と同じである場合、UEは、MCCHが変化すると決定する。
【０１４９】
例えば、変更識別子がNDIである場合、且つUEにより取得されたNDIが1であり、前の変更周期におけるNDIが0である場合、UEは、MCCHが変化すると決定する。他の例では、変更識別子がプロセス番号HARQである場合、且つUEにより取得されたプロセス番号HARQが1であり、第１の予め設定された値が1〜7である場合、UEは、MCCHが変化すると決定する。他の例では、変更識別子は、PDCCH又はEPDCCHの変更識別子フィールド内の変更識別子であり、且つUEにより取得されたPDCCH又はEPDCCHの変更識別子フィールド内の変更識別子が1であり、前の変更周期におけるPDCCH又はEPDCCHの変更識別子フィールド内の変更識別子が0である場合、UEは、MCCHが変化すると決定する。他の例では、変更識別子がNDIとプロセス番号HARQとの組み合わせである場合、且つUEにより取得されたNDIとプロセス番号HARQとの組み合わせの値が1であり、第１の予め設定された値が1〜15である場合、UEは、MCCHが変化すると決定する。
【０１５０】
或いは、UEは、MCCHのMCCH変更周期及びMCCH変更周期に対応するM-RNTIを決定し、UEは、非MBSFNサブフレーム内で、M-RNTIに対応するPDCCH上に含まれる変更通知フィールドを読み取り、変更通知フィールド内のMCCHに対応するビット値が第２の予め設定された値と同じである場合、UEは、MCCHが変化すると決定する。
【０１５１】
例えば、変更通知フィールドは、８ビットを含む変更通知フィールドであり、各ビットは、１つのMCCHに対応する。ビット変更通知フィールド内のMCCHに対応するビット値が1であり、第２の予め設定された値が1である場合、UEは、MCCHが変化すると決定する。
【０１５２】
本開示のこの実施例では、UEにより、MCCHのMCCH変更周期を決定する具体的な実現は以下の通りである。
【０１５３】
MCCH送信周期情報が１つのみのMCCH変更周期を含む場合、UEは、MCCH変更周期をMCCH変更周期として決定するか、或いはMCCH送信周期情報が複数のMCCH変更周期を含み、各MCCH変更周期がMCCH変更周期に対応する周期選択パラメータを有する場合、UEは、MCCH周期選択パラメータ及びUEにより読み取られる必要のあるマルチキャストサービスに従ってMCCH変更周期を決定する。例えば、２つのMCCH変更周期が存在し、一方のMCCH変更周期に対応するマルチキャストサービスタイプは、低遅延サービスであり、他方のMCCHへの変更周期に対応するマルチキャストサービスタイプは、非低遅延サービスである。UEにより読み取られる必要のあるサービスが低遅延サービスである場合、UEは、低遅延サービスに対応する変更周期をMCCH変更周期として決定する。MCCH設定情報が複数のMCCHを含み、各MCCHが複数のMCCH変更周期を有し、各MCCHがMCCHに対応するMCCH選択パラメータを有する場合、UEは、MCCH選択パラメータ及びUEにより読み取られる必要のあるマルチキャストサービスに従って、読み取られる必要のあるMCCHを決定し、UEは、MCCH周期選択パラメータ及びUEにより読み取られる必要のあるマルチキャストサービスに従ってMCCH変更周期を決定する。例えば、MCCH設定情報が２つのMCCHを含み、MCCH1に対応するマルチキャストサービスタイプは、低遅延サービスであり、MCCH2に対応するマルチキャストサービスタイプは、非低遅延サービスである。UEにより読み取られる必要のあるサービスが低遅延サービスである場合、UEにより読み取られるMCCHはMCCH1である。MCCH1は、２つのMCCH変更周期を有し、一方のMCCH変更周期に対応するマルチキャストサービスタイプは、低遅延サービスであり、他方のMCCH変更周期に対応するマルチキャストサービスタイプは、非低遅延サービスである。UEにより読み取られる必要のあるサービスが低遅延サービスである場合、UEは、低遅延サービスに対応する変更周期をMCCH変更周期として決定する。
【０１５４】
本開示のこの実施例では、MCCHが変化するとUEが決定した場合、UEは、MCCH設定情報に従ってMCCHメッセージを再び読み取る。UEは、MCCH設定情報に従って、MCCHが変化すると決定された現在のMCCH変更周期においてMCCHメッセージを再び読み取る。図６に示すように、UEにより最初に読み取られるNDIは0に等しく、次の変更周期において読み取られるNDIは1に等しく、UEは、MCCHメッセージが変化すると決定し、現在の変更周期において新たなMCCHを読み取り始める。或いは、UEは、MCCH設定情報に従って、MCCHが変化すると決定された現在のMCCH変更周期の次のMCCH変更周期においてMCCHメッセージを再び読み取る。図７に示すように、UEにより最初に読み取られるNDIは0に等しく、次の変更周期において読み取られるNDIは1に等しく、UEは、MCCHメッセージが変化する予定であると決定し、現在の変更周期の次の変更周期において新たなMCCHを読み取り始める。
【０１５５】
本開示のこの実施例では、基地局により、MCCHの変更通知を送信する具体的な実現は、
基地局により、MCCHのMCCH変更周期を決定し、MCCH-RNTIに従ってMCCH変更周期においてPDCCH又はEPDCCH上で変更識別子を送信し、変更識別子は、NDI及び／又はプロセス番号を含み、変更識別子は、前の変更周期における変更識別子と異なるか、或いは変更識別子は、第１の予め設定された値の変更識別子であり、変更識別子は、UEにより決定された変更識別子と同じであり、詳細はここでは再び説明しないこと、又は
基地局により、MCCHのMCCH変更周期及びMCCH変更周期に対応するM-RNTIを決定し、MCCHに対応する変更通知フィールド内のビット値を送信し、ビット値は、第２の予め設定された値と同じであり、MCCHに対応する変更通知フィールドは、非MBSFNサブフレーム内のM-RNTIに対応するPDCCH上に含まれる変更通知フィールドであることである。
【０１５６】
本開示のこの実施例では、基地局により、MCCHのMCCH変更周期を決定する具体的な実現は、UEにより、MCCHのMCCH変更周期を決定する具体的な実現と同じである。具体的な実現プロセスについては、UEにより、MCCHのMCCH変更周期を決定する具体的な実現プロセスを参照し、詳細はここでは再び説明しない。
【０１５７】
本開示のこの実施例では、MCCHが変化すると基地局が決定した場合、基地局は、MCCH設定情報に従ってMCCHメッセージを再送信する。基地局は、MCCH設定情報に従って、MCCHが変化すると決定された現在のMCCH変更周期においてMCCHメッセージを再送信する。図７に示すように、最初のNDIは0に等しく、次の変更周期において基地局により送信されるNDIは1に等しく、基地局は、現在の変更周期において新たなMCCHを送信し始める。或いは、UEは、MCCH設定情報に従って、MCCHが変化すると決定された現在のMCCH変更周期の次のMCCH変更周期においてMCCHメッセージを再送信する。図８に示すように、最初に読み取られるNDIは0に等しく、次の変更周期において基地局により送信されるNDIは1に等しく、基地局は、現在の変更周期の次の変更周期において新たなMCCHを送信し始める。
【０１５８】
図９を参照すると、図９は、本開示の実施例によるユーザ装置UEの概略構成図である。UEは、
MCCH設定情報を決定するように構成された第１の決定ユニット901であり、MCCH設定情報は、MCCH-RNTI及びMCCH送信周期情報を含み、
MCCH設定情報は、予め定義された設定情報又はシステムブロードキャストメッセージを使用することにより基地局によりUEに送信される設定情報のうち少なくとも１つを含む第１の決定ユニット901と、
MCCH送信周期情報に従ってMCCH送信時間情報を決定するように構成された第２の決定ユニット902と
を含む。
【０１５９】
MCCH送信周期情報は、MCCH繰り返し周期及びMCCHを送信するためのオフセットパラメータを含み、第２の決定ユニット902は、MCCH繰り返し周期及びMCCHを送信するためのオフセットパラメータに従って、MCCHを送信する時間に対応するサブフレーム位置を決定するように具体的に構成される。
【０１６０】
各MCCH繰り返し周期内に、MCCHを送信するための１つのみのサブフレームが存在する場合、第２の決定ユニット902は、システムフレーム番号、サブフレーム番号、MCCH繰り返し周期及びMCCHを送信するためのオフセットパラメータに従って、MCCHを送信する時間に対応するサブフレーム位置を決定するように具体的に構成される。
【０１６１】
各MCCH繰り返し周期内に、MCCHを送信するための複数の候補サブフレームが存在する場合、第２の決定ユニット902は、システムフレーム番号、MCCH繰り返し周期及びMCCHのオフセットパラメータに従って、MCCHを送信する時間に対応するサブフレーム位置セットを決定するように具体的に構成される。
【０１６２】
第２の決定ユニット902は、システムフレーム番号、MCCH繰り返し周期及びMCCHのオフセットパラメータに従って、MCCHを送信するためのフレームを決定し、MCCHサブフレームセット設定情報及びMCCHを送信するためのフレームに従って、MCCH送信時間情報に対応するサブフレーム位置セットを決定するように具体的に構成される。
【０１６３】
MCCHサブフレームセット設定情報は、基地局によりUEに送信されるMCCH設定シグナリング内で搬送され、MCCH設定シグナリングは、システムブロードキャストメッセージ又はUEの専用シグナリングである。
【０１６４】
MCCHサブフレームセット設定情報は、MCCHサブフレーム系列を含むか、或いはMCCHサブフレームセット設定情報は、MCCHサブフレーム開始位置を含むか、或いはMCCHサブフレームセット設定情報は、MCCHサブフレーム開始位置及び送信持続時間情報を含む。
【０１６５】
MCCHサブフレーム系列は、ビットマップ系列であり、第２の決定ユニット902は、MCCHを送信するためのフレーム、ビットマップ系列内の各ビットの値及びビットマップ系列内の各ビットに対応するサブフレーム番号に従って、MCCH送信時間情報に対応するサブフレーム位置セットを決定するように具体的に構成される。
【０１６６】
MCCHサブフレームセット設定情報は、MCCHサブフレーム開始位置を含み、MCCH送信時間情報に対応するサブフレーム位置セットは、１つのサブフレームを含み、サブフレームは、MCCHサブフレーム開始位置に対応するサブフレームである。
【０１６７】
MCCHサブフレームセット設定情報は、MCCHサブフレーム開始位置及び送信持続時間情報を含み、第２の決定ユニット902は、
送信持続時間情報に従って、MCCHを送信するためのサブフレームの総数量を決定し、MCCHを送信するためのサブフレームの総数量及びMCCHを送信するための開始サブフレームに従って、MCCHを送信するための全てのサブフレームを決定するか、或いはMCCHを送信するためのサブフレームの総数量、MCCHを送信するための開始サブフレーム及びMBSFNサブフレーム設定に従って、MCCHを送信するための全てのサブフレームを決定するように具体的に構成される。
【０１６８】
任意選択で、図９に示すUEは、
MCCHサブフレームセット設定情報に従って開始サブフレームを決定し、開始サブフレームをMCCH変更通知のサブフレームとして使用するように構成された第３の決定ユニット、又は
MCCHサブフレームセット設定情報に従って、MCCHを送信するための全てのサブフレームを決定し、MCCHを送信するための全てのサブフレーム内のいずれかのサブフレームをMCCH変更通知のサブフレームとして使用するように構成された第４の決定ユニットと、
MCCH-RNTIを使用することによりMCCH送信時間情報に従ってMCCHメッセージを読み取るように構成された第１の読み取りユニット903であり、MCCHメッセージは、マルチキャストサービスの設定情報を含み、
MCCH-RNTIを使用することにより、MCCHを送信する時間に対応するサブフレーム位置で物理下りリンク制御チャネルPDCCH又は拡張物理下りリンク制御チャネルEPDCCHを読み取り、PDCCH又はEPDCCH上の指定のMCCHメッセージリソース位置でMCCHメッセージを読み取るように具体的に構成された第１の読み取りユニット903と、
マルチキャストサービスの設定情報に従ってマルチキャストサービスを読み取るように構成された第２の読み取りユニット904と
を更に含む。
【０１６９】
マルチキャストサービスの設定情報は、一時マルチキャストグループ識別子及びマルチキャストサービスをスケジューリングするためのG-RNTIを含み、第２の読み取りユニット904は、マルチキャストサービスをスケジューリングするためのG-RNTIに従って、一時マルチキャストグループ識別子に対応するマルチキャストサービスを読み取るように具体的に構成される。
【０１７０】
第２の読み取りユニット904は、マルチキャストサービスのG-RNTIに従ってPDCCHスケジューリング情報を読み取り、PDCCHスケジューリング情報に従って、一時マルチキャストグループ識別子に対応するマルチキャストサービスに対応する周波数リソース及び変調方式を決定し、周波数リソース及び変調方式に従ってマルチキャストサービスを読み取るように具体的に構成される。
【０１７１】
マルチキャストサービスの設定情報は、一時マルチキャストグループ識別子及びマルチキャストサービスのスケジューリング情報を含み、第２の読み取りユニット904は、マルチキャストサービスのスケジューリング情報に従って、一時マルチキャストグループ識別子に対応するマルチキャストサービスを読み取るように具体的に構成される。
【０１７２】
任意選択で、第１の決定ユニット901がMCCH設定情報を決定した後に、図９に示すUEは、MCCHが変化するか否かを決定するように構成された第５の決定ユニットと、MCCHが変化すると決定された場合、MCCH設定情報に従ってMCCHメッセージを再び読み取るように構成された第３の読み取りユニットとを更に含む。
【０１７３】
第５の決定ユニットは、MCCHのMCCH変更周期を決定し、PDCCH又はEPDCCH上でMCCH変更識別子を取得するために、MCCH-RNTIに従ってMCCH変更周期においてPDCCH又はEPDCCHを読み取り、変更識別子は、以下の変更識別子、すなわち、PDCCH又はEPDCCHの変更識別子フィールド内の変更識別子、NDI、プロセス番号、又はNDIとプロセス番号との組み合わせのうちいずれか１つを含み、MCCH変更識別子が前の変更周期における変更識別子と異なる場合、MCCHが変化すると決定するか、或いはMCCH変更識別子が第１の予め設定された値と同じである場合、MCCHが変化すると決定するように具体的に構成される。
【０１７４】
第５の決定ユニットは、MCCHのMCCH変更周期及びMCCH変更周期に対応するM-RNTIを決定し、非MBSFNサブフレーム内で、M-RNTIに対応するPDCCH上に含まれる変更通知フィールドを読み取り、変更通知フィールド内のMCCHに対応するビット値が第２の予め設定された値と同じである場合、MCCHが変化すると決定するように更に具体的に構成される。
【０１７５】
第３の読み取りユニットは、MCCH設定情報に従って、MCCHが変化すると決定された現在のMCCH変更周期においてMCCHメッセージを再び読み取るか、或いは、MCCH設定情報に従って、MCCHが変化すると決定された現在のMCCH変更周期の次のMCCH変更周期においてMCCHメッセージを再び読み取るように具体的に構成される。
【０１７６】
第５の決定ユニットは、MCCH送信周期情報が１つのみのMCCH変更周期を含む場合、MCCH変更周期をMCCH変更周期として決定するか、或いはMCCH送信周期情報が複数のMCCH変更周期を含み、各MCCH変更周期がMCCH変更周期に対応する周期選択パラメータを有する場合、MCCH周期選択パラメータ及びUEにより読み取られる必要のあるマルチキャストサービスに従ってMCCH変更周期を決定するか、或いはMCCH設定情報が複数のMCCHを含み、各MCCHが複数のMCCH変更周期を有し、各MCCHがMCCHに対応するMCCH選択パラメータを有する場合、MCCH選択パラメータ及びUEにより読み取られる必要のあるマルチキャストサービスに従って、読み取られる必要のあるMCCHを決定し、MCCH周期選択パラメータ及びUEにより読み取られる必要のあるマルチキャストサービスに従ってMCCH変更周期を決定するように更に具体的に構成される。
【０１７７】
この実施例におけるUEの機能モジュールの機能は、方法の実施例における方法に従って具体的に実現されてもよいことが理解され得る。具体的な実現プロセスについては、方法の実施例を参照する。
【０１７８】
本開示のこの実施例では、第１の決定ユニット901は、MCCH設定情報を決定し、設定情報は、MCCH-RNTI及びMCCH送信周期情報を含み、第２の決定ユニット902は、MCCH送信周期情報に従ってMCCH送信時間情報を決定し、第１の読み取りユニット903は、MCCH-RNTIを使用することによりMCCH送信時間情報に従ってMCCHメッセージを読み取り、MCCHメッセージは、マルチキャストサービスの設定情報を含み、第２の読み取りユニット904は、マルチキャストサービスの設定情報に従ってマルチキャストサービスを読み取ることが習得できる。本開示のこの実施例では、UEは、MCCH-RNTIを設定することによりサブフレーム内のMCCHを識別する。したがって、MCCHは、いずれかのサブフレームで伝送でき、MBSFNサブフレームのみで伝送されることに限定されず、それにより、他の非MBSFNサブフレームもまた、MCCHを伝送するために使用できる。したがって、MCCHはMBSFNサブフレームで全て伝送されなくてもよく、それにより、いくつかのMBSFNサブフレームは、MCCHを伝送するために使用されなくてもよいが、UEに関係するMBSFNサービスデータを伝送するために全て使用され、それにより、MBSFNサブフレームの浪費を低減する。
【０１７９】
図１０を参照すると、図１０は、本開示の実施例による基地局の概略構成図である。基地局は、
MCCH設定情報を決定するように構成された第１の決定ユニット1001であり、MCCH設定情報は、MCCH-RNTI及びMCCH送信周期情報を含む第１の決定ユニット1001と、
MCCH送信周期情報に従ってMCCH送信時間情報を決定するように構成された第２の決定ユニット1002と
を含む。
【０１８０】
MCCH送信周期情報は、MCCH繰り返し周期及びMCCHを送信するためのオフセットパラメータを含み、第２の決定ユニット1002は、MCCH繰り返し周期及びMCCHを送信するためのオフセットパラメータに従って、MCCHを送信する時間に対応するサブフレーム位置を決定するように具体的に構成される。
【０１８１】
各MCCH繰り返し周期内に、MCCHを送信するための１つのみのサブフレームが存在する場合、第２の決定ユニット1002は、システムフレーム番号、サブフレーム番号、MCCH繰り返し周期及びMCCHを送信するためのオフセットパラメータに従って、MCCHを送信する時間に対応するサブフレーム位置を決定するように具体的に構成される。
【０１８２】
各MCCH繰り返し周期内に、MCCHを送信するための複数の候補サブフレームが存在する場合、第２の決定ユニット1002は、システムフレーム番号、MCCH繰り返し周期及びMCCHのオフセットパラメータに従って、MCCHを送信する時間に対応するサブフレーム位置を決定するように具体的に構成される。
【０１８３】
第２の決定ユニット1002は、
システムフレーム番号、MCCH繰り返し周期及びMCCHのオフセットパラメータに従って、MCCHを送信するためのフレームを決定し、MCCHサブフレームセット設定情報及びMCCHを送信するためのフレームに従って、MCCH送信時間情報に対応するサブフレーム位置セットを決定するように具体的に構成される。
【０１８４】
MCCHサブフレームセット設定情報は、送信される必要のあるMCCHのサブフレームに従って基地局により決定される。
【０１８５】
MCCHサブフレームセット設定情報が、送信される必要のあるMCCHのサブフレーム位置に従って基地局により決定される場合、サブフレームセット設定情報は、MCCHサブフレーム系列を含む。送信される必要のあるMCCHの１つのサブフレームが存在する場合、サブフレームセット設定情報は、MCCHサブフレーム開始位置を含む。送信される必要のあるMCCHの複数のサブフレームが存在する場合、サブフレームセット設定情報は、MCCHサブフレーム開始位置及び送信持続時間情報を含む。
【０１８６】
MCCHサブフレーム系列は、ビットマップ系列であり、第２の決定ユニット1002は、
MCCHを送信するためのフレーム、ビットマップ系列内の各ビットの値及びビットマップ系列内の各ビットに対応するサブフレーム番号に従って、MCCH送信時間情報に対応するサブフレーム位置セットを決定するように具体的に構成される。
【０１８７】
MCCHサブフレームセット設定情報は、MCCHサブフレーム開始位置を含み、MCCH送信時間情報に対応するサブフレーム位置セットは、１つのサブフレームを含み、サブフレームは、MCCHサブフレーム開始位置に対応するサブフレームである。
【０１８８】
MCCHサブフレームセット設定情報は、MCCHサブフレーム開始位置及び送信持続時間情報を含み、第２の決定ユニット1002は、
送信持続時間情報に従って、MCCHを送信するためのサブフレームの総数量を決定し、
MCCHを送信するためのサブフレームの総数量及びMCCHを送信するための開始サブフレームに従って、MCCHを送信するための全てのサブフレームを決定するか、或いはUEにより、MCCHを送信するためのサブフレームの総数量、MCCHを送信するための開始サブフレーム及びMBSFNサブフレーム設定に従って、MCCHを送信するための全てのサブフレームを決定するように具体的に構成される。
【０１８９】
任意選択で、図１０に示す基地局は、
MCCHサブフレームセット設定情報に従って開始サブフレームを決定し、開始サブフレームをMCCH変更通知のサブフレームとして使用するように構成された第３の決定ユニット、又は
MCCHサブフレームセット設定情報に従って、MCCHを送信するための全てのサブフレームを決定し、MCCHを送信するための全てのサブフレーム内のいずれかのサブフレームをMCCH変更通知のサブフレームとして使用するように構成された第４の決定ユニットと、
MCCH-RNTIを使用することによりMCCH送信時間情報に従ってMCCHメッセージを送信するように構成された第１の送信ユニット1003であり、MCCHメッセージは、マルチキャストサービスの設定情報を含み、
MCCH-RNTIを使用することにより、MCCHを送信する時間に対応するサブフレーム位置で物理下りリンク制御チャネルPDCCH又は拡張物理下りリンク制御チャネルEPDCCHを送信し、PDCCH又はEPDCCH上の指定のMCCHメッセージリソース位置でMCCHメッセージを送信するように具体的に構成された第１の送信ユニット1003と、
マルチキャストサービスの設定情報に従ってマルチキャストサービスを送信するように構成された第２の送信ユニット1004と
を更に含む。
【０１９０】
マルチキャストサービスの設定情報は、一時マルチキャストグループ識別子及びマルチキャストサービスをスケジューリングするためのG-RNTIを含み、第２の送信ユニット1004は、マルチキャストサービスをスケジューリングするためのG-RNTIに従って、一時マルチキャストグループ識別子に対応するマルチキャストサービスを送信するように具体的に構成される。
【０１９１】
第２の送信ユニット1004は、一時マルチキャストグループ識別子に対応するマルチキャストサービスの周波数リソース及び変調方式を決定し、マルチキャストサービスのG-RNTIに従ってPDCCHスケジューリング情報をUEに送信し、PDCCHスケジューリング情報は、周波数リソース及び変調方式を搬送し、周波数リソース及び変調方式に従ってマルチキャストサービスを送信するように具体的に構成される。
【０１９２】
マルチキャストサービスの設定情報は、一時マルチキャストグループ識別子及びマルチキャストサービスのスケジューリング情報を含み、第２の送信ユニット1004は、マルチキャストサービスのスケジューリング情報に従って、一時マルチキャストグループ識別子に対応するマルチキャストサービスを送信するように具体的に構成される。
【０１９３】
任意選択で、第１の決定ユニット1001がMCCH設定情報を決定した後に、図１０に示す基地局は、MCCHが変化すると決定された場合、MCCHの変更通知を送信するように構成された第３の送信ユニットと、MCCH設定情報に従ってMCCHメッセージを再送信するように構成された第４の送信ユニットとを更に含む。
【０１９４】
第３の送信ユニットは、MCCHのMCCH変更周期を決定し、MCCH-RNTIに従ってMCCH変更周期においてPDCCH又はEPDCCH上で変更識別子を送信するように具体的に構成され、変更識別子は、以下の変更識別子、すなわち、PDCCH又はEPDCCHの変更識別子フィールド内の変更識別子、NDI、プロセス番号、又はNDIとプロセス番号との組み合わせのうちいずれか１つを含み、変更識別子は、前の変更周期における変更識別子と異なるか、或いは変更識別子は、第１の予め設定された値の変更識別子である。
【０１９５】
第３の送信ユニットは、MCCHのMCCH変更周期及びMCCH変更周期に対応するM-RNTIを決定し、MCCHに対応する変更通知フィールド内のビット値を送信するように具体的に構成され、ビット値は、第２の予め設定された値と同じであり、MCCHに対応する変更通知フィールドは、非MBSFNサブフレーム内のM-RNTIに対応するPDCCH上に含まれる変更通知フィールドである。
【０１９６】
第４の送信ユニットは、MCCH設定情報に従って、MCCHが変化すると決定された現在のMCCH変更周期においてMCCHメッセージを再送信するか、或いはMCCH設定情報に従って、MCCHが変化すると決定された現在のMCCH変更周期の次のMCCH変更周期においてMCCHメッセージを再送信するように具体的に構成される。
【０１９７】
第３の送信ユニットは、MCCH送信周期情報が１つのみのMCCH変更周期を含む場合、MCCH変更周期をMCCH変更周期として決定するか、或いはMCCH送信周期情報が複数のMCCH変更周期を含み、各MCCH変更周期がMCCH変更周期に対応する周期選択パラメータを有する場合、MCCH周期選択パラメータ及び基地局により送信される必要のあるマルチキャストサービスに従ってMCCH変更周期を決定するか、或いはMCCH設定情報が複数のMCCHを含み、各MCCHが複数のMCCH変更周期を有し、各MCCHがMCCHに対応するMCCH選択パラメータを有する場合、MCCH選択パラメータ及び基地局により送信される必要のあるマルチキャストサービスに従って、送信される必要のあるMCCHを決定し、MCCH周期選択パラメータ及び基地局により送信される必要のあるマルチキャストサービスに従ってMCCH変更周期を決定するように具体的に構成される。
【０１９８】
任意選択で、MCCH設定情報は、予め定義された設定情報又はMCEにより基地局に送信される設定情報のうち少なくとも１つを含む。
【０１９９】
この実施例における基地局の機能モジュールの機能は、方法の実施例における方法に従って具体的に実現されてもよいことが理解され得る。具体的な実現プロセスについては、方法の実施例を参照する。
【０２００】
本開示のこの実施例では、第１の決定ユニット1001は、MCCH設定情報を決定し、MCCH設定情報は、MCCH-RNTI及びMCCH送信周期情報を含み、第２の決定ユニット1002は、MCCH送信周期情報に従ってMCCH送信時間情報を決定し、第１の送信ユニット1003は、MCCH-RNTIを使用することによりMCCH送信時間情報に従ってMCCHメッセージを送信し、MCCHメッセージは、マルチキャストサービスの設定情報を含み、第２の送信ユニット1004は、マルチキャストサービスの設定情報に従ってマルチキャストサービスを送信することが習得できる。本開示のこの実施例では、UEは、MCCH-RNTIを設定することによりサブフレーム内のMCCHを識別する。したがって、MCCHは、いずれかのサブフレームで伝送でき、MBSFNサブフレームのみで伝送されることに限定されず、それにより、他の非MBSFNサブフレームもまた、MCCHを伝送するために使用できる。したがって、MCCHはMBSFNサブフレームで全て伝送されなくてもよく、それにより、いくつかのMBSFNサブフレームは、MCCHを伝送するために使用されなくてもよいが、UEに関係するMBSFNサービスデータを伝送するために全て使用され、それにより、MBSFNサブフレームの浪費を低減する。
【０２０１】
図１１は、本開示の実施例によるUE1100の概略図である。UE1100は、少なくとも１つのプロセッサ1101と、通信バス1102と、メモリ1103と、少なくとも１つの通信インタフェース1104と、送信機1105と、受信機1106とを含む。
【０２０２】
プロセッサ1101は、汎用中央処理装置（CPU）、マイクロプロセッサ、特定用途向け集積回路（ASIC）、又は本開示の解決策のプログラムの実行を制御するように構成された１つ以上の集積回路でもよい。
【０２０３】
通信バス1102は、コンポーネントの間で情報を伝送するための経路を含んでもよい。通信インタフェース1104は、いずれかの送受信機タイプの装置に適用可能であり、他のデバイス、又はイーサーネット、無線アクセスネットワーク（RAN）若しくは無線ローカルエリアネットワーク（WLAN）のような通信ネットワークと通信するように構成される。
【０２０４】
メモリ1103は、読み取り専用メモリ（ROM）若しくは静的な情報及び命令を記憶できる他の種類の静的記憶デバイス、ランダムアクセスメモリ（RAM）若しくは情報及び命令を記憶できる他の種類の動的記憶デバイス、電気的消去可能プログラム可能読み取り専用メモリ（EEPROM）、コンパクトディスク読み取り専用メモリ（CD-ROM）若しくは他の光ディスクストレージ、光ディスクストレージ（コンパクトディスク、レーザーディスク、光ディスク、デジタル多用途ディスク、ブルーレイディスク等を含む）、磁気ディスク記憶媒体若しくは他の磁気記憶デバイス、又は命令若しくはデータ構造の形式で想定されるプログラムコードを搬送又は記憶でき且つコンピュータによりアクセスできる他の媒体でもよいが、これらに限定されない。メモリは、独立して存在し、バスを使用することによりプロセッサに接続されてもよい。或いは、メモリは、プロセッサに統合されてもよい。
【０２０５】
メモリ1103は、本開示の解決策を実行するためのアプリケーションプログラムコードを記憶するように構成され、実行は、プロセッサ1101により制御される。プロセッサ1101は、メモリ1103に記憶されたアプリケーションプログラムコードを実行するように構成される。
【０２０６】
図１１に示すUEのメモリ1103に記憶されたコードは、本開示において提供されるマルチキャストサービス読み取り方法を実行するために、例えば、マルチキャスト制御チャネルMCCH設定情報を決定し、MCCH設定情報は、マルチキャスト制御チャネル無線ネットワーク一時識別子MCCH-RNTI及びMCCH送信周期情報を含み、MCCH送信周期情報に従ってMCCH送信時間情報を決定し、MCCH-RNTIを使用することによりMCCH送信時間情報に従ってMCCHメッセージを読み取り、MCCHメッセージは、マルチキャストサービスの設定情報を含み、最後に、マルチキャストサービスの設定情報に従ってマルチキャストサービスを読み取るために使用されてもよい。
【０２０７】
具体的な実現の間に、実施例において、UE1100は、送信機1105と、受信機1106とを更に含んでもよい。送信機1105は、プロセッサ1101と通信し、複数の方式で情報を表示してもよい。受信機1106は、プロセッサ1101と通信し、複数の方式で、アプリケーションサーバ又はサービスレイヤ装置により送信されたシグナリングを受信してもよい。
【０２０８】
UE1100は、汎用コンピュータデバイス又は特殊用途コンピュータデバイスでもよい。具体的な実現の間に、コンピュータデバイス1100は、デスクトップコンピュータ、ポータブルコンピュータ、ネットワークサーバ、パームトップコンピュータ（例えば、Personal  Digital  Assistant（PDA））、モバイル電話、タブレットコンピュータ、無線端末デバイス、通信デバイス、埋め込みデバイス、又は図１１のものと同様の構成を有するデバイスでもよい。UE1100の種類は、本開示のこの実施例では限定されない。
【０２０９】
図１２は、本開示の実施例による基地局1200の概略図である。基地局1200は、少なくとも１つのプロセッサ1201と、通信バス1202と、メモリ1203と、少なくとも１つの通信インタフェース1204と、送信機1205と、受信機1206とを含む。
【０２１０】
プロセッサ1201は、汎用中央処理装置（CPU）、マイクロプロセッサ、特定用途向け集積回路（ASIC）、又は本開示の解決策のプログラムの実行を制御するように構成された１つ以上の集積回路でもよい。
【０２１１】
通信バス1202は、コンポーネントの間で情報を伝送するための経路を含んでもよい。通信インタフェース1204は、いずれかの送受信機タイプの装置に適用可能であり、他のデバイス、又はイーサーネット、無線アクセスネットワーク（RAN）若しくは無線ローカルエリアネットワーク（WLAN）のような通信ネットワークと通信するように構成される。
【０２１２】
メモリ1203は、読み取り専用メモリ（ROM）若しくは静的な情報及び命令を記憶できる他の種類の静的記憶デバイス、ランダムアクセスメモリ（RAM）若しくは情報及び命令を記憶できる他の種類の動的記憶デバイス、電気的消去可能プログラム可能読み取り専用メモリ（EEPROM）、コンパクトディスク読み取り専用メモリ（CD-ROM）若しくは他の光ディスクストレージ、光ディスクストレージ（コンパクトディスク、レーザーディスク、光ディスク、デジタル多用途ディスク、ブルーレイディスク等を含む）、磁気ディスク記憶媒体若しくは他の磁気記憶デバイス、又は命令若しくはデータ構造の形式で想定されるプログラムコードを搬送又は記憶でき且つコンピュータによりアクセスできる他の媒体でもよいが、これらに限定されない。メモリは、独立して存在し、バスを使用することによりプロセッサに接続されてもよい。或いは、メモリは、プロセッサに統合されてもよい。
【０２１３】
メモリ1203は、本開示の解決策を実行するためのアプリケーションプログラムコードを記憶するように構成され、実行は、プロセッサ1201により制御される。プロセッサ1201は、メモリ1203に記憶されたアプリケーションプログラムコードを実行するように構成される。
【０２１４】
図１２に示す基地局のメモリ1203に記憶されたコードは、本開示において提供されるマルチキャストサービス送信方法を実行するために、例えば、MCCH設定情報を決定し、MCCH設定情報は、MCCH-RNTI及びMCCH送信周期情報を含み、MCCH送信周期情報に従ってMCCH送信時間情報を決定し、MCCH-RNTIを使用することによりMCCH送信時間情報に従ってMCCHメッセージを送信し、MCCHメッセージは、マルチキャストサービスの設定情報を含み、最後に、マルチキャストサービスの設定情報に従ってマルチキャストサービスを送信するために使用されてもよい。
【０２１５】
具体的な実現の間に、実施例において、基地局1200は、送信機1205と、受信機1206とを更に含んでもよい。送信機1205は、プロセッサ1201と通信し、複数の方式で情報を表示してもよい。受信機1206は、プロセッサ1201と通信し、複数の方式で、アプリケーションサーバ又はサービスレイヤ装置により送信されたシグナリングを受信してもよい。
【０２１６】
本開示の実施例は、コンピュータ記憶媒体を更に提供する。コンピュータ記憶媒体は、プログラムを記憶してもよく、プログラムが実行されるとき、前述の方法の実施例に記録されたいずれかのマルチキャストサービス読み取り方法のステップの一部又は全部が実行されてもよい。
【０２１７】
本開示の実施例は、コンピュータ記憶媒体を更に提供する。コンピュータ記憶媒体は、プログラムを記憶してもよく、プログラムが実行されるとき、前述の方法の実施例に記録されたいずれかのマルチキャストサービス送信方法のステップの一部又は全部が実行されてもよい。
【０２１８】
説明を簡潔にするために、前述の方法の実施例は、一連の動作として表現されている点に留意すべきである。しかし、本開示に従って、いくつかのステップは他の順序で実行されてもよく、或いは同時に実行されてもよいため、当業者は、本開示が説明した動作順序に限定されないことを認識すべきである。さらに、当業者はまた、明細書に記載の全ての実施例が例示的な実施例であり、関係する動作及びモジュールが必ずしも本開示に必須であるとは限らないことも認識すべきである。
【０２１９】
前述の実施例において、各実施例の説明は、それぞれの焦点を有する。実施例において詳細に説明されていない部分については、他の実施例における関係する説明を参照する。
【０２２０】
この開示において提供されるいくつかの実施例では、開示の装置は他の方式で実現されてもよいことが理解されるべきである。例えば、記載の装置の実施例は、単なる例である。例えば、モジュールの分割は、単に論理的な機能分割であり、実際の実現では他の分割でもよい。例えば、複数のモジュール又はコンポーネントは結合されてもよく、或いは他のシステムに統合されてもよく、或いはいくつかの特徴が無視されてもよく或いは実行されなくてもよい。さらに、表示又は説明した相互結合若しくは直接結合又は通信接続は、いくつかのインタフェースを通じて実現されてもよい。装置又はモジュールの間の間接結合又は通信接続は、電子的又は他の形式で実現されてもよい。
【０２２１】
別々の部分として記載したモジュールは、物理的に別々でもよく或いは別々でなくてもよく、モジュールとして表示された部分は、物理的なモジュールでもよく或いは物理的なモジュールでなくてもよく、或いは１つの位置に存在してもよく、或いは複数のネットワークモジュールに分散されてもよい。モジュールの一部又は全部は、実施例の解決策の目的を達成するために、実際のニーズに従って選択されてもよい。
【０２２２】
さらに、本開示の実施例における機能モジュールは、１つの処理モジュールに統合されてもよく、或いはモジュールのそれぞれが物理的に単独で存在してもよく、或いは２つ以上のモジュールが１つのモジュールに統合される。統合されたモジュールは、ハードウェアの形式で実現されてもよく、或いはソフトウェア機能モジュールの形式で実現されてもよい。
【０２２３】
統合されたモジュールがソフトウェア機能モジュールの形式で実現され、独立したプロダクトとして販売又は使用される場合、統合されたモジュールは、コンピュータ読み取り可能メモリに記憶されてもよい。このような理解に基づいて、基本的に本開示の技術的解決策若しくは従来技術に寄与する部分、又は技術的解決策の全部若しくは一部は、ソフトウェアプロダクトの形式で実現されてもよい。ソフトウェアプロダクトは、メモリに記憶され、コンピュータデバイス（パーソナルコンピュータ、サーバ又はネットワークデバイス等でもよい）に対して本開示の実施例に記載の方法のステップの全部又は一部を実行するように命令するいくつかの命令を含む。前述のメモリは、USBフラッシュドライブ、読み取り専用メモリ（ROM）、ランダムアクセスメモリ（RAM）、取り外し可能ハードディスク、磁気ディスク又は光ディスクのようなプログラムコードを記憶できるいずれかの媒体を含む。
【０２２４】
当業者は、実施例における方法のステップの全部又は一部が関係するハードウェアに命令するプログラムにより実現されてもよいことを理解し得る。プログラムは、コンピュータ読み取り可能メモリに記憶されてもよい。メモリは、フラッシュメモリ、読み取り専用メモリ（ROM）、ランダムアクセスメモリ（RAM)、磁気ディスク、光ディスク等を含んでもよい。
【０２２５】
本開示の実施例について、上記において詳細に説明した。本開示の原理及び実現は、ここでは具体的な例を使用することにより説明されている。本開示の実施例についての説明は、単に本開示の方法及び核心の概念を理解するのを助けるために提供されている。さらに、当業者は、本開示の概念に従って、具体的な実現及び開示範囲に関して本開示に対して変更及び変形を行うことができる。したがって、この明細書の内容は、本開示への限定として解釈されないものとする。
【外国語明細書】
2020113994000001.pdf